(57)【要約】【課題】各回転体の接触圧を自動的に調整する液体塗布機械の接触圧調整方法、及び、液体塗布機械の接触圧調整装置を提供する。【解決手段】液体が供給される第１の回転体と第１の回転体から液体を供給される第２の回転体と、第１の回転体と第２の回転体の間の接触圧を調整する接触圧調整手段とを備えた液体塗布機械において、第１の回転体表面又は第２の回転体表面又はそれら回転体表面の液体の温度又はそれら近傍の温度を測定する温度測定手段を備え、第１の回転体表面又は第２の回転体表面又はそれら回転体表面の液体の温度又はそれら近傍の温度を測定し、測定した温度より接触圧調整手段を制御した。【選択図】図１
2008212826.tif 000002
【特許請求の範囲】
【請求項１】
液体が供給される第１の回転体と、
前記第１の回転体から液体を供給される第２の回転体と、
前記第１の回転体と第２の回転体の間の接触圧を調整する接触圧調整手段と
を備えた液体塗布機械において、
前記第１の回転体表面又は前記第２の回転体表面又はそれら回転体表面の液体の温度又はそれら近傍の温度を測定する温度測定手段を備え、
前記第１の回転体表面又は前記第２の回転体表面又はそれら回転体表面の液体の温度又はそれら近傍の温度を測定し、
測定した温度より前記接触圧調整手段を制御する
ことを特徴とする液体塗布機械の接触圧調整方法。
【請求項２】
液体が供給される第１の回転体と、
前記第１の回転体に対向し、前記第１の回転体より液体を供給される被液体塗布部材を保持する第２の回転体と、
前記第１の回転体と第２の回転体の間の接触圧を調整する接触圧調整手段と
を備えた液体塗布機械において、
前記第１の回転体表面又は前記第２の回転体表面又はそれら回転体表面の液体の温度又はそれら近傍の温度を測定する温度測定手段を備え、
前記第１の回転体表面又は前記第２の回転体表面又はそれら回転体表面の液体の温度又はそれら近傍の温度を測定し、
測定した温度より前記接触圧調整手段を制御する
ことを特徴とする液体塗布機械の接触圧調整方法。
【請求項３】
液体が供給される第１の回転体と、
前記第１の回転体から液体を供給される第２の回転体と、
前記第１の回転体と第２の回転体の間の接触圧を調整する接触圧調整手段と
を備えた液体塗布機械において、
前記液体塗布機械が稼動してからの稼働時間を計測する稼働時間計測手段又は塗布枚数計数手段を備え、
前記液体塗布機械が稼動してからの稼働時間又は塗布枚数を計測し、
計測した稼働時間又は塗布枚数より前記接触圧調整手段を制御する
ことを特徴とする液体塗布機械の接触圧調整方法。
【請求項４】
液体が供給される第１の回転体と、
前記第１の回転体に対向し、前記第１の回転体より液体を供給される被液体塗布部材を保持する第２の回転体と、
前記第１の回転体と第２の回転体の間の接触圧を調整する接触圧調整手段と
を備えた液体塗布機械において、
前記液体塗布機械が稼動してからの稼働時間を計測する稼働時間計測手段又は塗布枚数計数手段を備え、
前記液体塗布機械が稼動してからの稼働時間又は塗布枚数を計測し、
計測した稼働時間又は塗布枚数より前記接触圧調整手段を制御する
ことを特徴とする液体塗布機械の接触圧調整方法。
【請求項５】
液体が供給される第１の回転体と、
前記第１の回転体から液体を供給される第２の回転体と、
前記第１の回転体と第２の回転体の間の接触圧を調整する接触圧調整手段と
を備えた液体塗布機械において、
前記第１の回転体表面又は前記第２の回転体表面又はそれら回転体表面の液体の温度又はそれら近傍の温度を測定する温度測定手段と、
測定した温度より前記接触圧調整手段を制御する接触圧制御手段と
を備える
ことを特徴とする液体塗布機械の接触圧調整装置。
【請求項６】
液体が供給される第１の回転体と、
前記第１の回転体に対向し、前記第１の回転体より液体を供給される被液体塗布部材を保持する第２の回転体と、
前記第１の回転体と第２の回転体の間の接触圧を調整する接触圧調整手段と
を備えた液体塗布機械において、
前記第１の回転体表面又は前記第２の回転体表面又はそれら回転体表面の液体の温度又はそれら近傍の温度を測定する温度測定手段と、
測定した温度より前記接触圧調整手段を制御する接触圧制御手段と
を備える
ことを特徴とする液体塗布機械の接触圧調整装置。
【請求項７】
液体が供給される第１の回転体と、
前記第１の回転体から液体を供給される第２の回転体と、
前記第１の回転体と第２の回転体の間の接触圧を調整する接触圧調整手段と
を備えた液体塗布機械において、
前記液体塗布機械が稼動してからの稼働時間を計測する稼働時間計測手段又は塗布枚数計数手段と、
計測した稼働時間又は塗布枚数より前記接触圧調整手段を制御する接触圧制御手段と
を備える
ことを特徴とする液体塗布機械の接触圧調整装置。
【請求項８】
液体が供給される第１の回転体と、
前記第１の回転体に対向し、前記第１の回転体より液体を供給される被液体塗布部材を保持する第２の回転体と、
前記第１の回転体と第２の回転体の間の接触圧を調整する接触圧調整手段と
を備えた液体塗布機械において、
前記液体塗布機械が稼動してからの稼働時間を計測する稼働時間計測手段又は塗布枚数計数手段と、
計測した稼働時間又は塗布枚数より前記接触圧調整手段を制御する接触圧制御手段と
を備える
ことを特徴とする液体塗布機械の接触圧調整装置。
【発明の詳細な説明】
【技術分野】
【０００１】
本願発明は、液体塗布機械の接触圧調整方法、及び、液体塗布機械の接触圧調整装置に関する。
【背景技術】
【０００２】
印刷機は印刷開始から印刷機内部の温度が稼働時間と共に徐々に上昇していく。印刷機の各部品は温度上昇によりそれぞれに熱膨張するため、印刷開始時の各部の接触圧（ニップ圧又は印圧）の設定値から値が変化してしまう。この変化を修正するため、印刷機は、版面に対しインキを着ける着けローラが版面との接触圧を運転中に調整できる構造となっている。また、版面と圧胴及び版面とゴム胴も同様に接触圧を調整することができる構造となっている。特に、凸版印刷の場合、凸部周辺の色が濃くなったり、線が太くなったりするなどの印刷障害が発生するため、オペレータは絶えず印刷物を確認しながら頻繁に接触圧の調整を行っている。また、温度上昇は、印刷絵柄の違い、印刷方式の違い使用色数の違い、及び、使用印刷資材の違い等により変化し、これらによる接触圧の微量な変化が印刷物に大きく影響することとなる。このため、印刷機は、この印圧の変化を修正する目的で、接触圧を運転中に調整できる接触圧調整装置を有している。このような接触圧調整装置の一例が下記特許文献１〜５に開示されている。
【０００３】
【特許文献１】実開平１−１７１６４２号公報
【特許文献２】実開平３−１２４８３８号公報
【特許文献３】実開平４−１２８８３５号公報
【特許文献４】実開昭６３−１４１７３２号公報
【特許文献５】特開昭６３−２６４３５４号公報
【発明の開示】
【発明が解決しようとする課題】
【０００４】
しかしながら、上記特許文献１〜５に開示される接触圧調整装置では、オペレータが頻繁に接触圧（ニップ圧又は印圧）を調整する必要があるため、オペレータの負担が増大する。また、オペレータの経験に基く勘により接触圧を調整するため、オペレータの違いにより印刷物の品質にばらつきが起きてしまう。さらに、印刷機の運転時間と共に接触圧が変化するため、印刷物の品質が変化してしまう。
【０００５】
以上のことから、本願発明は、各回転体間の接触圧を自動的に調整する液体塗布機械の接触圧調整方法、及び、液体塗布機械の接触圧調整装置を提供することを目的とする。
【課題を解決するための手段】
【０００６】
上記の課題を解決するための第１の発明（請求項１に対応）に係る液体塗布機械の接触圧調整方法は、
液体が供給される第１の回転体と、
前記第１の回転体から液体を供給される第２の回転体と、
前記第１の回転体と第２の回転体の間の接触圧を調整する接触圧調整手段と
を備えた液体塗布機械において、
前記第１の回転体表面又は前記第２の回転体表面又はそれら回転体表面の液体の温度又はそれら近傍の温度を測定する温度測定手段を備え、
前記第１の回転体表面又は前記第２の回転体表面又はそれら回転体表面の液体の温度又はそれら近傍の温度を測定し、
測定した温度より前記接触圧調整手段を制御する
ことを特徴とする。
【０００７】
上記の課題を解決するための第２の発明（請求項２に対応）に係る液体塗布機械の接触圧調整方法は、
液体が供給される第１の回転体と、
前記第１の回転体に対向し、前記第１の回転体より液体を供給される被液体塗布部材を保持する第２の回転体と、
前記第１の回転体と第２の回転体の間の接触圧を調整する接触圧調整手段と
を備えた液体塗布機械において、
前記第１の回転体表面又は前記第２の回転体表面又はそれら回転体表面の液体の温度又はそれら近傍の温度を測定する温度測定手段を備え、
前記第１の回転体表面又は前記第２の回転体表面又はそれら回転体表面の液体の温度又はそれら近傍の温度を測定し、
測定した温度より前記接触圧調整手段を制御する
ことを特徴とする。
【０００８】
上記の課題を解決するための第３の発明（請求項３に対応）に係る液体塗布機械の接触圧調整方法は、
液体が供給される第１の回転体と、
前記第１の回転体から液体を供給される第２の回転体と、
前記第１の回転体と第２の回転体の間の接触圧を調整する接触圧調整手段と
を備えた液体塗布機械において、
前記液体塗布機械が稼動してからの稼働時間を計測する稼働時間計測手段又は塗布枚数計数手段を備え、
前記液体塗布機械が稼動してからの稼働時間又は塗布枚数を計測し、
計測した稼働時間又は塗布枚数より前記接触圧調整手段を制御する
ことを特徴とする。
【０００９】
上記の課題を解決するための第４の発明（請求項４に対応）に係る液体塗布機械の接触圧調整方法は、
液体が供給される第１の回転体と、
前記第１の回転体に対向し、前記第１の回転体より液体を供給される被液体塗布部材を保持する第２の回転体と、
前記第１の回転体と第２の回転体の間の接触圧を調整する接触圧調整手段と
を備えた液体塗布機械において、
前記液体塗布機械が稼動してからの稼働時間を計測する稼働時間計測手段又は塗布枚数計数手段を備え、
前記液体塗布機械が稼動してからの稼働時間又は塗布枚数を計測し、
計測した稼働時間又は塗布枚数より前記接触圧調整手段を制御する
ことを特徴とする。
【００１０】
上記の課題を解決するための第５の発明（請求項５に対応）に係る液体塗布機械の接触圧調整装置は、
液体が供給される第１の回転体と、
前記第１の回転体から液体を供給される第２の回転体と、
前記第１の回転体と第２の回転体の間の接触圧を調整する接触圧調整手段と
を備えた液体塗布機械において、
前記第１の回転体表面又は前記第２の回転体表面又はそれら回転体表面の液体の温度又はそれら近傍の温度を測定する温度測定手段と、
測定した温度より前記接触圧調整手段を制御する接触圧制御手段と
を備える
ことを特徴とする。
【００１１】
上記の課題を解決するための第６の発明（請求項６に対応）に係る液体塗布機械の接触圧調整装置は、
液体が供給される第１の回転体と、
前記第１の回転体に対向し、前記第１の回転体より液体を供給される被液体塗布部材を保持する第２の回転体と、
前記第１の回転体と第２の回転体の間の接触圧を調整する接触圧調整手段と
を備えた液体塗布機械において、
前記第１の回転体表面又は前記第２の回転体表面又はそれら回転体表面の液体の温度又はそれら近傍の温度を測定する温度測定手段と、
測定した温度より前記接触圧調整手段を制御する接触圧制御手段と
を備える
ことを特徴とする。
【００１２】
上記の課題を解決するための第７の発明（請求項７に対応）に係る液体塗布機械の接触圧調整装置は、
液体が供給される第１の回転体と、
前記第１の回転体から液体を供給される第２の回転体と、
前記第１の回転体と第２の回転体の接触圧を調整する接触圧調整手段と
を備えた液体塗布機械において、
前記液体塗布機械が稼動してからの稼働時間を計測する稼働時間計測手段又は塗布枚数計数手段と、
計測した稼働時間又は塗布枚数より前記接触圧調整手段を制御する接触圧制御手段と
を備える
ことを特徴とする。
【００１３】
上記の課題を解決するための第８の発明（請求項８に対応）に係る液体塗布機械の接触圧調整装置は、
液体が供給される第１の回転体と、
前記第１の回転体に対向し、前記第１の回転体より液体を供給される被液体塗布部材を保持する第２の回転体と、
前記第１の回転体と第２の回転体の間の接触圧を調整する接触圧調整手段と
を備えた液体塗布機械において、
前記液体塗布機械が稼動してからの稼働時間を計測する稼働時間計測手段又は塗布枚数計数手段と、
計測した稼働時間又は塗布枚数より前記接触圧調整手段を制御する接触圧制御手段と
を備える
ことを特徴とする。
【発明の効果】
【００１４】
本願発明によれば、自動制御により接触圧（ニップ圧又は印圧）を調整するため、オペレータの違いによる印刷品質のばらつきがない。また、自動制御により接触圧を調整するため、オペレータの負担が軽減される。さらに、自動的に接触圧を調整する仕組みとなっているため、印刷開始から終了まで印刷物の品質が変化することがない。
【発明を実施するための最良の形態】
【００１５】
以下、本願発明に係る液体塗布機械の接触圧調整方法、及び、液体塗布機械の接触圧調整装置について図を用いて説明する。
【００１６】
〔第１の実施形態〕
本願発明の第１の実施形態に係る液体塗布機械の接触圧調整方法、及び、液体塗布機械の接触圧調整装置について説明する。図１は本願発明の第１の実施形態に係る液体塗布機械の接触圧調整装置が適用される印刷機内部の模式図である。図１に示すように、本実施形態に係る印刷機には、各印刷ユニットＭごとに、インキを版の画線部にムラなく着けるインキ着けローラ１００と、インキ着けローラ１００と接する版上の突出部が画線部となる凸版胴１０１と、凸版胴１０１と接する版面の画線部のインキが移されるゴム胴１０２と、ゴム胴１０２と接する印刷物に印圧を加える圧胴１０３とを備えている。
【００１７】
インキ着けローラ１００は、インキ着けローラ１００と凸版胴１０１との間のニップ圧を調整するためにインキ着けローラ１００−凸版胴１０１間のニップ圧調整用モータ１８が設置されている。インキ着けローラ１００−凸版胴１０１間のニップ圧調整用モータ１８は、インキ着けローラ１００−凸版胴１０１間のニップ圧調整用モータ・ドライバ１９により制御されている。また、インキ着けローラ１００−凸版胴１０１間のニップ圧調整用モータ１８には、インキ着けローラ１００と凸版胴１０１との間のニップ圧を検出するためにインキ着けローラ１００−凸版胴１０１間のニップ圧調整用モータ用ポテンショ・メータ２０が設置されている。
【００１８】
凸版胴１０１は、凸版胴１０１とゴム胴１０２との間のニップ圧を調整するために凸版胴１０１−ゴム胴１０２間のニップ圧調整用モータ２１が設置されている。凸版胴１０１−ゴム胴１０２間のニップ圧調整用モータ２１は、凸版胴１０１−ゴム胴１０２間のニップ圧調整用モータ・ドライバ２２により制御されている。また、凸版胴１０１−ゴム胴１０２間のニップ圧調整用モータ２１には、凸版胴１０１とゴム胴１０２との間のニップ圧を検出するために凸版胴１０１−ゴム胴１０２間のニップ圧調整用モータ用ポテンショ・メータ２３が設置されている。
【００１９】
ゴム胴１０２は、ゴム胴１０２と圧胴１０３との間の印圧を調整するためにゴム胴１０２−圧胴１０３間の印圧調整用モータ２４が設置されている。ゴム胴１０２−圧胴１０３間の印圧調整用モータ２４は、ゴム胴１０２−圧胴１０３間の印圧調整用モータ・ドライバ２５により制御されている。また、ゴム胴１０２−圧胴１０３間の印圧調整用モータ２４には、ゴム胴１０２と圧胴１０３との間の印圧を検出するためにゴム胴１０２−圧胴１０３間の印圧調整用モータ用ポテンショ・メータ２６が設置されている。
【００２０】
ここで、本実施形態に係るニップ圧又は印圧を調整する接触圧調整手段について説明する。図２は本願発明の第１の実施形態に係るニップ圧又は印圧を調整する接触圧調整方法の模式図である。なお、ここでは例としてゴム胴１０２と圧胴１０３との間のニップ圧を調整する場合について説明するが、これ以外の胴に設置する接触圧調整方法も略同様の構造とする。
【００２１】
図２に示すように、印刷用の版が装着された凸版胴１０１と、印刷作業中はこの凸版胴１０１に対接しブランケットが周面に装着されたゴム胴１０２と、印刷作業中はこのゴム胴１０２を対接させる印刷胴としての圧胴１０３とを備えており、これらの胴１０１、１０２、１０３のうち、圧胴１０３の両端軸は印刷ユニットＭに設けられた左右のフレーム１０６に軸受（図示省略）を介して回転自在に軸支されている。また、ゴム胴１０２の両端軸１０４は、左右のフレーム１０６に嵌着されたゴム胴１０２の中心軸から偏心して設けられた偏心軸受１０５に回転自在に軸支されている。
【００２２】
一方、圧胴１０３の端軸に近接して片側のフレーム１０６から外方へ突設されたスタッド１０７には、ブラケット１０８が支持されていて、このブラケット１０８には、駆動装置としてのゴム胴１０２−圧胴１０３間の印圧調整用モータ２４が駆動ロッド１０９を直立させて固定されており、ゴム胴１０２−圧胴１０３間の印圧調整用モータ２４の回転によりナット１１０が回転すると、このナット１１０にねじ部を螺合させた駆動ロッド１０９が上下に進退するように構成されている。駆動ロッド１０９の上方に位置して左右のフレーム１０６に両端部を軸支されたレバー軸１１１の一方への突出部には、正面視をＬ字状に形成された連結レバー１１２が軸着されている。
【００２３】
左右両側の偏心軸受１０５に固定された軸受レバー１１３と前記連結レバー１１２とはロッド１１４で連結されており、ゴム胴１０２−圧胴１０３間の印圧調整用モータ２４が回転することにより駆動ロッド１０９が進退し、連結レバー１１２とロッド１１４および軸受レバー１１３を経て両側の偏心軸受１０５が回動するように構成されている。このような方法により、ゴム胴１０２と圧胴１０３との間の印圧を調整することが可能となる。なお、本実施形態では、図２に示すような接触圧調整方法としたが、これ以外の方法でニップ圧又は印圧を調整してもよい。
【００２４】
次に、本願発明の第１の実施形態に係る液体塗布機械の接触圧調整装置について説明する。図３（ａ）及び図３（ｂ）は本願発明の第１の実施形態に係る液体塗布機械の接触圧調整装置のハードブロック図である。図３（ａ）及び図３（ｂ）に示すように、液体塗布機械の接触圧調整装置１は、ＣＰＵ１０、ＲＡＭ１１、ＲＯＭ１２、入力装置１３、表示器１４、出力装置(Ｆ・Ｄドライブ、プリンタ等)１５、Ｉ／Ｏ（入出力インターフェイス）１６を備えている。
【００２５】
また、印刷ユニットＭは、印刷機温度測定器１７、インキ着けローラ１００−凸版胴１０１間のニップ圧調整用モータ１８、インキ着けローラ１００−凸版胴１０１間のニップ圧調整用モータ・ドライバ１９、インキ着けローラ１００−凸版胴１０１間のニップ圧調整用モータ用ポテンショ・メータ２０、凸版胴１０１−ゴム胴１０２間のニップ圧調整用モータ２１、凸版胴１０１−ゴム胴１０２間のニップ圧調整用モータ・ドライバ２２、凸版胴１０１−ゴム胴１０２間のニップ圧調整用モータ用ポテンショ・メータ２３、ゴム胴１０２−圧胴１０３間の印圧調整用モータ２４、ゴム胴１０２−圧胴１０３間の印圧調整用モータ・ドライバ２５、ゴム胴１０２−圧胴１０３間の印圧調整用モータ用ポテンショ・メータ２６、Ａ／Ｄ（アナログ／デジタル変換器）２７〜３０、Ｉ／Ｏ（入出力インターフェイス）３１〜３４を備えている。なお、印刷機温度測定器１７は、印刷ユニットＭ内部又は各ローラ表面のインキの基準となる温度を測定するためのものであるため、印刷機温度測定器１７の設置場所については、インキ着けローラ１００、凸版胴１０１、ゴム胴１０２及び圧胴１０３の近傍であればよい。
【００２６】
本実施形態に係る印刷機においては、４色のインキを用いるため、１色目（例えば、スミ）の印刷ユニット２、２色目（例えば、アイ）の印刷ユニット３、３色目（例えば、アカ）の印刷ユニット４、及び、４色目（例えば、キ）の印刷ユニット５にそれぞれ印刷機温度測定器１７、インキ着けローラ１００−凸版胴１０１間のニップ圧調整用モータ１８、インキ着けローラ１００−凸版胴１０１間のニップ圧調整用モータ・ドライバ１９、インキ着けローラ１００−凸版胴１０１間のニップ圧調整用モータ用ポテンショ・メータ２０、凸版胴１０１−ゴム胴１０２間のニップ圧調整用モータ２１、凸版胴１０１−ゴム胴１０２間のニップ圧調整用モータ・ドライバ２２、凸版胴１０１−ゴム胴１０２間のニップ圧調整用モータ用ポテンショ・メータ２３、ゴム胴１０２−圧胴１０３間の印圧調整用モータ２４、ゴム胴１０２−圧胴１０３間の印圧調整用モータ・ドライバ２５、ゴム胴１０２−圧胴１０３間の印圧調整用モータ用ポテンショ・メータ２６、Ａ／Ｄ（アナログ／デジタル変換器）２７〜３０、Ｉ／Ｏ（入出力インターフェイス）３１〜３４を備えている。なお、本実施形態においては、４色のインキを用いたが、印刷ユニットの台数を増減して使用するインキ色数を増減することも可能である。
【００２７】
さらに、液体塗布機械の接触圧調整装置１は、印刷ユニットＭのインキ色ＩＣｍ記憶用メモリＭ１、選択された印刷ユニット番号記憶用メモリＭ２、カウント値Ｍ記憶用メモリＭ３、インキ着けローラ１００−凸版胴１０１間のニップ圧調整用モータ用ポテンショ・メータ２０に接続されたＡ／Ｄ変換器の出力記憶用メモリＭ４、基準のインキ着けローラ１００−凸版胴１０１間のニップ圧記憶用メモリＭ５、凸版胴１０１−ゴム胴１０２間のニップ圧調整用モータ用ポテンショ・メータ２３に接続されたＡ／Ｄ変換器の出力記憶用メモリＭ６、基準の凸版胴１０１−ゴム胴１０２間のニップ圧記憶用メモリＭ７、ゴム胴１０２−圧胴１０３間の印圧調整用モータ用ポテンショ・メータ２６に接続されたＡ／Ｄ変換器の出力記憶用メモリＭ８、基準のゴム胴１０２−圧胴１０３間の印圧記憶用メモリＭ９、印刷ユニット総数Ｍｍａｘ記憶用メモリＭ１０、印刷機温度測定器１７に接続されたＡ／Ｄ変換器の出力記憶用メモリＭ１１、印刷機温度記憶用メモリＭ１２、印刷機温度−インキ着けローラ１００と凸版胴１０１間のニップ圧補正量変換テーブル記憶用メモリＭ１３、インキ着けローラ１００−凸版胴１０１間のニップ圧補正量記憶用メモリＭ１４、印刷機温度−凸版胴１０１とゴム胴１０２間のニップ圧補正量変換テーブル記憶用メモリＭ１５、凸版胴１０１−ゴム胴１０２間のニップ圧補正量記憶用メモリＭ１６、印刷機温度−ゴム胴１０２と圧胴１０３間の印圧補正量変換テーブル記憶用メモリＭ１７、ゴム胴１０２−圧胴１０３間の印圧補正量記憶用メモリＭ１８、目標とするインキ着けローラ１００−凸版胴１０１間のニップ圧記憶用メモリＭ１９、目標とするインキ着けローラ１００−凸版胴１０１間のニップ圧調整用モータ用ポテンショ・メータ２０に接続されたＡ／Ｄ変換器の出力記憶用メモリＭ２０、目標とする凸版胴１０１−ゴム胴１０２間のニップ圧記憶用メモリＭ２１、目標とする凸版胴１０１−ゴム胴１０２間のニップ圧調整用モータ用ポテンショ・メータ２３に接続されたＡ／Ｄ変換器の出力記憶用メモリＭ２２、目標とするゴム胴１０２−圧胴１０３間の印圧記憶用メモリＭ２３、目標とするゴム胴１０２−圧胴１０３間の印圧調整用モータ用ポテンショ・メータ２６に接続されたＡ／Ｄ変換器の出力記憶用メモリＭ２４を備えている。
【００２８】
ＣＰＵ１０は、Ｉ／Ｏ１６，３１〜３４を介して与えられる各種入力情報を得て、ＲＡＭ１１やメモリＭ１〜Ｍ２４にアクセスしながら、ＲＯＭ１２に記憶されたプログラムに従って動作する。入力装置１３には、印刷ユニットＭのインキ色ＩＣｍの入力部、印刷ユニット選択スイッチ、インキ着けローラ１００−凸版胴１０１間のニップ圧調整選択スイッチ、圧調整完了スイッチ、アップ・ボタン、ダウン・ボタン、凸版胴１０１−ゴム胴１０２間のニップ圧調整選択スイッチ、ゴム胴−圧胴１０３間の印圧調整選択スイッチ、本刷り開始ボタン、本刷り完了ボタン等の各種入力装置が設置されている。
【００２９】
次に、本願発明の第１の実施の形態に係る液体塗布機械の接触圧調整装置の動作について説明する。図４（ａ）〜図４（ｄ）、図５（ａ）、図５（ｂ）、及び、図６（ａ）〜図６（ｃ）は本願発明の第１の実施の形態に係る液体塗布機械の接触圧調整装置１の動作フロー図である。以下、各ステップ毎に処理の内容について説明する。
【００３０】
ステップＰ１において、ＣＰＵ１０は、各メモリを初期化する。ＣＰＵ１０は、ステップＰ１の処理が完了した後、ステップＰ２を実行する。
【００３１】
ステップＰ２において、ＣＰＵ１０は、入力装置１３に設けられた印刷ユニットＭのインキ色ＩＣｍの入力部に、オペレータにより印刷ユニットＭのインキ色ＩＣｍが入力されているかを判断する。ＣＰＵ１０は、印刷ユニットＭのインキ色ＩＣｍが、オペレータにより入力されている場合、ステップＰ３を実行する。また、ＣＰＵ１０は、印刷ユニットＭのインキ色ＩＣｍが、オペレータにより入力されていない場合、ステップＰ３をとばしてステップＰ４を実行する。
【００３２】
ステップＰ３において、ＣＰＵ１０は、印刷ユニットＭのインキ色ＩＣｍを読み込み、メモリＭ１へ記憶する。ＣＰＵ１０は、ステップＰ３の処理が完了した後、ステップＰ４を実行する。
【００３３】
ステップＰ４において、ＣＰＵ１０は、入力装置１３に設けられた印刷ユニット選択スイッチが、オペレータによりＯＮにされているか判断する。ＣＰＵ１０は、印刷ユニット選択スイッチがＯＮになっている場合、ステップＰ５を実行する。また、ＣＰＵ１０は、印刷ユニット選択スイッチがＯＮになっていない場合、ステップＰ５をとばしてステップＰ６を実行する。
【００３４】
ステップＰ５において、ＣＰＵ１０は、選択された印刷ユニット番号ＭをメモリＭ２に記憶する。ＣＰＵ１０は、ステップＰ５の処理が完了した後、ステップＰ６を実行する。
【００３５】
ステップＰ６において、ＣＰＵ１０は、入力装置１３に設けられたインキ着けローラ−凸版胴間のニップ圧調整選択スイッチが、オペレータによりＯＮにされているか判断する。ＣＰＵ１０は、インキ着けローラ−凸版胴間のニップ圧調整選択スイッチがＯＮになっている場合、ステップＰ７を実行する。また、ＣＰＵ１０は、インキ着けローラ−凸版胴間のニップ圧調整選択スイッチがＯＮになっていない場合、ステップＰ７からステップＰ１７をとばしてステップＰ１８を実行する。
【００３６】
ステップＰ７において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ８からステップＰ１７をとばしてステップＰ１８を実行する。また、ＣＰＵ１０は、圧調整完了スイッチがＯＮになっていない場合、ステップＰ８を実行する。
【００３７】
ステップＰ８において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ９を実行する。また、ＣＰＵ１０は、アップ・ボタンがＯＮになっていない場合、ステップＰ９からステップＰ１２をとばしてステップＰ１３を実行する。
【００３８】
ステップＰ９において、ＣＰＵ１０は、メモリＭ２に記憶された選択された印刷ユニット番号Ｍを読み込む。ＣＰＵ１０は、ステップＰ９の処理が完了した後、ステップＰ１０を実行する。
【００３９】
ステップＰ１０において、ＣＰＵ１０は、印刷ユニットＭのインキ着けローラ−凸版胴間のニップ圧調整用モータ・ドライバ１９に正転指令を出力する。ＣＰＵ１０は、ステップＰ１０の処理が完了した後、ステップＰ１１を実行する。
【００４０】
ステップＰ１１において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ１２を実行する。また、ＣＰＵ１０は、アップ・ボタンがＯＦＦになっていない場合、ステップＰ１１を再度実行する。
【００４１】
ステップＰ１２において、ＣＰＵ１０は、印刷ユニットＭのインキ着けローラ−凸版胴間のニップ圧調整用モータ・ドライバ１９への正転指令出力を停止する。ＣＰＵ１０は、ステップＰ１２の処理が完了した後、ステップＰ１３を実行する。
【００４２】
ステップＰ１３において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ１４を実行する。また、ＣＰＵ１０は、ダウン・ボタンがＯＮになっていない場合、ステップＰ７を実行する。
【００４３】
ステップＰ１４において、ＣＰＵ１０は、メモリＭ２に記憶された選択された印刷ユニット番号Ｍを読み込む。ＣＰＵ１０は、ステップＰ１４の処理が完了した後、ステップＰ１５を実行する。
【００４４】
ステップＰ１５において、ＣＰＵ１０は、印刷ユニットＭのインキ着けローラ−凸版胴間のニップ圧調整用モータ・ドライバ１９に逆転指令を出力する。ＣＰＵ１０は、ステップＰ１５の処理が完了した後、ステップＰ１６を実行する。
【００４５】
ステップＰ１６において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ１７を実行する。また、ＣＰＵ１０は、ダウン・ボタンがＯＦＦになっていない場合、ステップＰ１６を再度実行する。
【００４６】
ステップＰ１７において、ＣＰＵ１０は、印刷ユニットＭのインキ着けローラ−凸版胴間のニップ圧調整用モータ・ドライバ１９への逆転指令出力を停止する。ＣＰＵ１０は、ステップＰ１７の処理が完了した後、ステップＰ７を実行する。
【００４７】
ステップＰ１８において、ＣＰＵ１０は、入力装置１３に設けられた凸版胴−ゴム胴間のニップ圧調整選択スイッチが、オペレータによりＯＮにされているか判断する。ＣＰＵ１０は、凸版胴−ゴム胴間のニップ圧調整選択スイッチがＯＮになっている場合、ステップＰ１９を実行する。また、ＣＰＵ１０は、凸版胴−ゴム胴間のニップ圧調整選択スイッチがＯＮになっていない場合、ステップＰ１９からステップＰ２９をとばしてステップＰ３０を実行する。
【００４８】
ステップＰ１９において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ２０からステップＰ２９をとばしてステップＰ３０を実行する。また、ＣＰＵ１０は、圧調整完了スイッチがＯＮになっていない場合、ステップＰ２０を実行する。
【００４９】
ステップＰ２０において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ２１を実行する。また、ＣＰＵ１０は、アップ・ボタンがＯＮになっていない場合、ステップＰ２１からステップＰ２４をとばしてステップＰ２５を実行する。
【００５０】
ステップＰ２１において、ＣＰＵ１０は、メモリＭ２から選択された印刷ユニット番号Ｍを読み込む。ＣＰＵ１０は、ステップＰ２１の処理が完了した後、ステップＰ２２を実行する。
【００５１】
ステップＰ２２において、ＣＰＵ１０は、印刷ユニットＭの凸版胴−ゴム胴間のニップ圧調整用モータ・ドライバ２２に正転指令を出力する。ＣＰＵ１０は、ステップＰ２２の処理が完了した後、ステップＰ２３を実行する。
【００５２】
ステップＰ２３において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ２４を実行する。また、ＣＰＵ１０は、アップ・ボタンがＯＦＦになっていない場合、ステップＰ２３を再度実行する。
【００５３】
ステップＰ２４において、ＣＰＵ１０は、印刷ユニットＭの凸版胴−ゴム胴間のニップ圧調整用モータ・ドライバ２２への正転指令出力を停止する。ＣＰＵ１０は、ステップＰ２４の処理が完了した後、ステップＰ２５を実行する。
【００５４】
ステップＰ２５において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ２６を実行する。また、ＣＰＵ１０は、ダウン・ボタンがＯＮになっていない場合、ステップＰ１９を実行する。
【００５５】
ステップＰ２６において、ＣＰＵ１０は、メモリＭ２から選択された印刷ユニット番号Ｍを読み込む。ＣＰＵ１０は、ステップＰ２６の処理が完了した後、ステップＰ２７を実行する。
【００５６】
ステップＰ２７において、ＣＰＵ１０は、印刷ユニットＭの凸版胴−ゴム胴間のニップ圧調整用モータ・ドライバ２２に逆転指令を出力する。ＣＰＵ１０は、ステップＰ２７の処理が完了した後、ステップＰ２８を実行する。
【００５７】
ステップＰ２８において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ２９を実行する。また、ＣＰＵ１０は、ダウン・ボタンがＯＦＦになっていない場合、ステップＰ２８を再度実行する。
【００５８】
ステップＰ２９において、ＣＰＵ１０は、印刷ユニットＭの凸版胴−ゴム胴間のニップ圧調整用モータ・ドライバ２２への逆転指令出力を停止する。ＣＰＵ１０は、ステップＰ２９の処理が完了した後、ステップＰ１９を実行する。
【００５９】
ステップＰ３０において、ＣＰＵ１０は、入力装置１３に設けられたゴム胴−圧胴間の印圧調整選択スイッチが、オペレータによりＯＮにされているか判断する。ＣＰＵ１０は、ゴム胴−圧胴間の印圧調整選択スイッチがＯＮになっている場合、ステップＰ３１を実行する。また、ＣＰＵ１０は、ゴム胴−圧胴間の印圧調整選択スイッチがＯＮになっていない場合、ステップＰ３１からステップＰ４１をとばしてステップＰ４２を実行する。
【００６０】
ステップＰ３１において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ３２からステップＰ４１をとばしてステップＰ４２を実行する。また、ＣＰＵ１０は、圧調整完了スイッチがＯＮになっていない場合、ステップＰ３２を実行する。
【００６１】
ステップＰ３２において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ３３を実行する。また、ＣＰＵ１０は、アップ・ボタンがＯＮになっていない場合、ステップＰ３３からステップＰ３６をとばしてステップＰ３７を実行する。
【００６２】
ステップＰ３３において、ＣＰＵ１０は、メモリＭ２から選択された印刷ユニット番号Ｍを読み込む。ＣＰＵ１０は、ステップＰ３３の処理が完了した後、ステップＰ３４を実行する。
【００６３】
ステップＰ３４において、ＣＰＵ１０は、印刷ユニットＭのゴム胴−圧胴間の印圧調整用モータ・ドライバ２５に正転指令を出力する。ＣＰＵ１０は、ステップＰ３４の処理が完了した後、ステップＰ３５を実行する。
【００６４】
ステップＰ３５において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ３６を実行する。また、ＣＰＵ１０は、アップ・ボタンがＯＦＦになっていない場合、ステップＰ３５を再度実行する。
【００６５】
ステップＰ３６において、ＣＰＵ１０は、印刷ユニットＭのゴム胴−圧胴間の印圧調整用モータ・ドライバ２５への正転指令出力を停止する。ＣＰＵ１０は、ステップＰ３６の処理が完了した後、ステップＰ３７を実行する。
【００６６】
ステップＰ３７において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ３８を実行する。また、ＣＰＵ１０は、ダウン・ボタンがＯＮになっていない場合、ステップＰ３１を実行する。
【００６７】
ステップＰ３８において、ＣＰＵ１０は、メモリＭ２から選択された印刷ユニット番号Ｍを読み込む。ＣＰＵ１０は、ステップＰ３８の処理が完了した後、ステップＰ３９を実行する。
【００６８】
ステップＰ３９において、ＣＰＵ１０は、印刷ユニットＭのゴム胴−圧胴間の印圧調整用モータ・ドライバ２５に逆転指令を出力する。ＣＰＵ１０は、ステップＰ３９の処理が完了した後、ステップＰ４０を実行する。
【００６９】
ステップＰ４０において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ４１を実行する。また、ＣＰＵ１０は、ダウン・ボタンがＯＦＦになっていない場合、ステップＰ４０を再度実行する。
【００７０】
ステップＰ４１において、ＣＰＵ１０は、印刷ユニットＭのゴム胴−圧胴間の印圧調整用モータ・ドライバ２５への逆転指令出力を停止する。ＣＰＵ１０は、ステップＰ４１の処理が完了した後、ステップＰ３１を実行する。以上のステップにより、オペレータのマニュアル操作による本刷り開始前の各印刷ユニットＭの各接触圧調整手段の調整が行われる。
【００７１】
ステップＰ４２において、ＣＰＵ１０は、入力装置１３に設けられた本刷り開始ボタンが、オペレータによりＯＮにされているか判断する。ＣＰＵ１０は、本刷り開始ボタンがＯＮになっている場合、ステップＰ４３を実行する。また、ＣＰＵ１０は、本刷り開始ボタンがＯＮになっていない場合、ステップＰ２を実行する。
【００７２】
ステップＰ４３において、ＣＰＵ１０は、メモリＭ３に記憶されたカウント値Ｍに１を書き込む。ＣＰＵ１０は、ステップＰ４３の処理が完了した後、ステップＰ４４を実行する。
【００７３】
ステップＰ４４において、ＣＰＵ１０は、印刷ユニットＭのインキ着けローラ−凸版胴間のニップ圧調整用モータ用ポテンショ・メータ２０に接続されたＡ／Ｄ変換器の出力を読み込み、メモリＭ４に記憶する。ＣＰＵ１０は、ステップＰ４４の処理が完了した後、ステップＰ４５を実行する。
【００７４】
ステップＰ４５において、ＣＰＵ１０は、印刷ユニットＭのインキ着けローラ−凸版胴間のニップ圧調整用モータ用ポテンショ・メータ２０に接続されたＡ／Ｄ変換器の出力より、印刷ユニットＭの基準のインキ着けローラ−凸版胴間のニップ圧を演算し、この演算結果をメモリＭ５に記憶する。ＣＰＵ１０は、ステップＰ４５の処理が完了した後、ステップＰ４６を実行する。
【００７５】
ステップＰ４６において、ＣＰＵ１０は、印刷ユニットＭの凸版胴−ゴム胴間のニップ圧調整用モータ用ポテンショ・メータ２３に接続されたＡ／Ｄ変換器の出力を読み込み、メモリＭ６に記憶する。ＣＰＵ１０は、ステップＰ４６の処理が完了した後、ステップＰ４７を実行する。
【００７６】
ステップＰ４７において、ＣＰＵ１０は、印刷ユニットＭの凸版胴−ゴム胴間のニップ圧調整用モータ用ポテンショ・メータ２３に接続されたＡ／Ｄ変換器の出力より、印刷ユニットＭの基準の凸版胴−ゴム胴間のニップ圧を演算し、この演算結果をメモリＭ７に記憶する。ＣＰＵ１０は、ステップＰ４７の処理が完了した後、ステップＰ４８を実行する。
【００７７】
ステップＰ４８において、ＣＰＵ１０は、印刷ユニットＭのゴム胴−圧胴間の印圧調整用モータ用ポテンショ・メータ２６に接続されたＡ／Ｄ変換器の出力を読み込み、メモリＭ８に記憶する。ＣＰＵ１０は、ステップＰ４８の処理が完了した後、ステップＰ４９を実行する。
【００７８】
ステップＰ４９において、ＣＰＵ１０は、印刷ユニットＭのゴム胴−圧胴間の印圧調整用モータ用ポテンショ・メータ２６に接続されたＡ／Ｄ変換器の出力より、印刷ユニットＭの基準のゴム胴−圧胴間の印圧を演算し、この演算結果をメモリＭ９に記憶する。ＣＰＵ１０は、ステップＰ４９の処理が完了した後、ステップＰ５０を実行する。
【００７９】
ステップＰ５０において、ＣＰＵ１０は、メモリＭ３に記憶されたカウント値Ｍに１を加算し上書きする。ＣＰＵ１０は、ステップＰ５０の処理が完了した後、ステップＰ５１を実行する。
【００８０】
ステップＰ５１において、ＣＰＵ１０は、メモリＭ１０に記憶された印刷ユニット総数Ｍｍａｘを読み込む。ＣＰＵ１０は、ステップＰ５１の処理が完了した後、ステップＰ５２を実行する。
【００８１】
ステップＰ５２において、ＣＰＵ１０は、メモリＭ３に記憶されたカウント値Ｍが印刷ユニット総数Ｍｍａｘより大きいか判断する。ＣＰＵ１０は、メモリＭ３に記憶されたカウント値Ｍが印刷ユニット総数Ｍｍａｘより大きい場合、ステップＰ５３を実行する。また、ＣＰＵ１０は、メモリＭ３に記憶されたカウント値Ｍが印刷ユニット総数Ｍｍａｘより大きくない場合、ステップＰ４４を実行する。以上のステップにより、本刷りが開始された時の各印刷ユニットＭの各接触圧調整手段の位置を、基準位置として記憶する。
【００８２】
ステップＰ５３において、ＣＰＵ１０は、メモリＭ３に記憶されたカウント値Ｍに１を書き込む。ＣＰＵ１０は、ステップＰ５３の処理が完了した後、ステップＰ５４を実行する。
【００８３】
ステップＰ５４において、ＣＰＵ１０は、印刷ユニットＭの印刷機温度測定器１７に接続されたＡ／Ｄ変換器の出力を読み込み、メモリＭ１１に記憶する。ＣＰＵ１０は、ステップＰ５４の処理が完了した後、ステップＰ５５を実行する。
【００８４】
ステップＰ５５において、ＣＰＵ１０は、印刷ユニットＭの印刷機温度測定器１７に接続されたＡ／Ｄ変換器の出力より、印刷ユニットＭの印刷機温度を演算し、この演算結果をメモリＭ１２に記憶する。ＣＰＵ１０は、ステップＰ５５の処理が完了した後、ステップＰ５６を実行する。
【００８５】
ステップＰ５６において、ＣＰＵ１０は、メモリＭ１に記憶された印刷ユニットＭのインキ色ＩＣｍを読み込む。ＣＰＵ１０は、ステップＰ５６の処理が完了した後、ステップＰ５７を実行する。
【００８６】
ステップＰ５７において、ＣＰＵ１０は、メモリＭ１３に記憶されたインキ色ＩＣｍの印刷機温度−インキ着けローラと凸版胴間のニップ圧補正量変換テーブルを読み込む。ＣＰＵ１０は、ステップＰ５７の処理が完了した後、ステップＰ５８を実行する。
【００８７】
ステップＰ５８において、ＣＰＵ１０は、インキ色ＩＣｍの印刷機温度−インキ着けローラと凸版胴間のニップ圧補正量変換テーブルを用いて、印刷ユニットＭの印刷機温度より、インキ着けローラ−凸版胴間のニップ圧補正量を求め、メモリＭ１４に記憶する。ＣＰＵ１０は、ステップＰ５８の処理が完了した後、ステップＰ５９を実行する。
【００８８】
ステップＰ５９において、ＣＰＵ１０は、メモリＭ１５に記憶されたインキ色ＩＣｍの印刷機温度−凸版胴とゴム胴間のニップ圧補正量変換テーブルを読み込む。ステップＰ５９の処理が完了した後、ステップＰ６０を実行する。
【００８９】
ステップＰ６０において、ＣＰＵ１０は、インキ色ＩＣｍの印刷機温度−凸版胴とゴム胴間のニップ圧補正量変換テーブルを用いて、印刷ユニットＭの印刷機温度より、凸版胴−ゴム胴間のニップ圧補正量を求め、メモリＭ１６に記憶する。ＣＰＵ１０は、ステップＰ６０の処理が完了した後、ステップＰ６１を実行する。
【００９０】
ステップＰ６１において、ＣＰＵ１０は、メモリＭ１７に記憶されたインキ色ＩＣｍの印刷機温度−ゴム胴と圧胴間の印圧補正量変換テーブルを読み込む。ＣＰＵ１０は、ステップＰ６１の処理が完了した後、ステップＰ６２を実行する。
【００９１】
ステップＰ６２において、ＣＰＵ１０は、インキ色ＩＣｍの印刷機温度−ゴム胴と圧胴間の印圧補正量変換テーブルを用いて、印刷ユニットＭの印刷機温度より、ゴム胴−圧胴間の印圧補正量を求め、メモリＭ１８に記憶する。ＣＰＵ１０は、ステップＰ６２の処理が完了した後、ステップＰ６３を実行する。
【００９２】
ステップＰ６３において、ＣＰＵ１０は、メモリＭ５に記憶された印刷ユニットＭの基準のインキ着けローラ−凸版胴間のニップ圧を読み込む。ＣＰＵ１０は、ステップＰ６３の処理が完了した後、ステップＰ６４を実行する。
【００９３】
ステップＰ６４において、ＣＰＵ１０は、メモリＭ１４に記憶された印刷ユニットＭのインキ着けローラ−凸版胴間のニップ圧補正量を読み込む。ＣＰＵ１０は、ステップＰ６４の処理が完了した後、ステップＰ６５を実行する。
【００９４】
ステップＰ６５において、ＣＰＵ１０は、印刷ユニットＭの基準のインキ着けローラ−凸版胴間のニップ圧に印刷ユニットＭのインキ着けローラ−凸版胴間のニップ圧補正量を加算し、目標とするインキ着けローラ−凸版胴間のニップ圧を演算し、この演算結果をメモリＭ１９に記憶する。ＣＰＵ１０は、ステップＰ６５の処理が完了した後、ステップＰ６６を実行する。
【００９５】
ステップＰ６６において、ＣＰＵ１０は、印刷ユニットＭの目標とするインキ着けローラ−凸版胴間のニップ圧より、目標とするインキ着けローラ−凸版胴間のニップ圧調整用モータ用ポテンショ・メータ２０に接続されたＡ／Ｄ変換器の出力を演算し、この演算結果をメモリＭ２０に記憶する。ＣＰＵ１０は、ステップＰ６６の処理が完了した後、ステップＰ６７を実行する。
【００９６】
ステップＰ６７において、ＣＰＵ１０は、印刷ユニットＭのインキ着けローラ−凸版胴間のニップ圧調整用モータ用ポテンショ・メータ２０に接続されたＡ／Ｄ変換器の出力を読み込み、メモリＭ４に記憶する。ＣＰＵ１０は、ステップＰ６７の処理が完了した後、ステップＰ６８を実行する。
【００９７】
ステップＰ６８において、ＣＰＵ１０は、メモリＭ４に記憶された印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しいか判断する。
【００９８】
印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しい場合、ステップＰ６９からステップＰ７７をとばしてステップＰ７８を実行する。
【００９９】
また、印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しくない場合、ステップＰ６９を実行する。
【０１００】
ステップＰ６９において、ＣＰＵ１０は、メモリＭ４に記憶された印刷ユニットＭのインキ着けローラ−凸版胴間のニップ圧調整用モータ用ポテンショ・メータ２０に接続されたＡ／Ｄ変換器の出力より、メモリＭ２０に記憶された印刷ユニットＭの目標とするインキ着けローラ−凸版胴間のニップ圧調整用モータ用ポテンショ・メータ２０に接続されたＡ／Ｄ変換器の出力が大きいか判断する。
【０１０１】
メモリＭ４に記憶された印刷ユニットＭのインキ着けローラ−凸版胴間のニップ圧調整用モータ用ポテンショ・メータ２０に接続されたＡ／Ｄ変換器の出力より、メモリＭ２０に記憶された印刷ユニットＭの目標とするインキ着けローラ−凸版胴間のニップ圧調整用モータ用ポテンショ・メータ２０に接続されたＡ／Ｄ変換器の出力が大きい場合、ステップＰ７０を実行する。
【０１０２】
また、メモリＭ４に記憶された印刷ユニットＭのインキ着けローラ−凸版胴間のニップ圧調整用モータ用ポテンショ・メータ２０に接続されたＡ／Ｄ変換器の出力より、メモリＭ２０に記憶された印刷ユニットＭの目標とするインキ着けローラ−凸版胴間のニップ圧調整用モータ用ポテンショ・メータ２０に接続されたＡ／Ｄ変換器の出力が大きくない場合、ステップＰ７４を実行する。
【０１０３】
ステップＰ７０において、ＣＰＵ１０は、印刷ユニットＭのインキ着けローラ−凸版胴間のニップ圧調整用モータ・ドライバ１９に正転指令を出力する。ＣＰＵ１０は、ステップＰ７０の処理が完了した後、ステップＰ７１を実行する。
【０１０４】
ステップＰ７１において、ＣＰＵ１０は、印刷ユニットＭのインキ着けローラ−凸版胴間のニップ圧調整用モータ用ポテンショ・メータ２０に接続されたＡ／Ｄ変換器の出力を読み込み、メモリＭ４に記憶する。ＣＰＵ１０は、ステップＰ７１の処理が完了した後、ステップＰ７２を実行する。
【０１０５】
ステップＰ７２において、ＣＰＵ１０は、メモリＭ４に記憶されている印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しいか判断する。
【０１０６】
メモリＭ４に記憶されている印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しい場合、ステップＰ７３を実行する。
【０１０７】
また、メモリＭ４に記憶されている印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しくない場合、ステップＰ７１を実行する。
【０１０８】
ステップＰ７３において、ＣＰＵ１０は、印刷ユニットＭのインキ着けローラ−凸版胴間のニップ圧調整用モータ・ドライバ１９への正転指令出力を停止する。ＣＰＵ１０は、ステップＰ７３の処理が完了した後、ステップＰ７８を実行する。
【０１０９】
ステップＰ７４において、ＣＰＵ１０は、印刷ユニットＭのインキ着けローラ−凸版胴間のニップ圧調整用モータ・ドライバ１９に逆転指令を出力する。ＣＰＵ１０は、ステップＰ７４の処理が完了した後、ステップＰ７５を実行する。
【０１１０】
ステップＰ７５において、ＣＰＵ１０は、印刷ユニットＭのインキ着けローラ−凸版胴間のニップ圧調整用モータ用ポテンショ・メータ２０に接続されたＡ／Ｄ変換器の出力を読み込み、メモリＭ４に記憶する。ＣＰＵ１０は、ステップＰ７５の処理が完了した後、ステップＰ７６を実行する。
【０１１１】
ステップＰ７６において、ＣＰＵ１０は、メモリＭ４に記憶された印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しいか判断する。
【０１１２】
メモリＭ４に記憶された印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しい場合は、ステップＰ７７を実行する。
【０１１３】
また、メモリＭ４に記憶された印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しくない場合は、ステップＰ７５を実行する。
【０１１４】
ステップＰ７７において、ＣＰＵ１０は、印刷ユニットＭのインキ着けローラ−凸版胴間のニップ圧調整用モータ・ドライバ１９への逆転指令出力を停止する。ＣＰＵ１０は、ステップＰ７７の処理が完了した後、ステップＰ７８を実行する。
【０１１５】
ステップＰ７８において、ＣＰＵ１０は、メモリＭ７に記憶された印刷ユニットＭの基準の凸版胴−ゴム胴間のニップ圧を読み込む。ＣＰＵ１０は、ステップＰ７８の処理が完了した後、ステップＰ７９を実行する。
【０１１６】
ステップＰ７９において、ＣＰＵ１０は、メモリＭ１６に記憶された印刷ユニットＭの凸版胴−ゴム胴間のニップ圧補正量を読み込む。ＣＰＵ１０は、ステップＰ７９の処理が完了した後、ステップＰ８０を実行する。
【０１１７】
ステップＰ８０において、ＣＰＵ１０は、印刷ユニットＭの基準の凸版胴−ゴム胴間のニップ圧に印刷ユニットＭの凸版胴−ゴム胴間のニップ圧補正量を加算し、目標とする凸版胴−ゴム胴間のニップ圧を演算し、この演算結果をメモリＭ２１に記憶する。ＣＰＵ１０は、ステップＰ８０の処理が完了した後、ステップＰ８１を実行する。
【０１１８】
ステップＰ８１において、ＣＰＵ１０は、印刷ユニットＭの目標とする凸版胴−ゴム胴間のニップ圧より、目標とする凸版胴−ゴム胴間のニップ圧調整用モータ用ポテンショ・メータ２３に接続されたＡ／Ｄ変換器の出力を演算し、この演算結果をメモリＭ２２に記憶する。ＣＰＵ１０は、ステップＰ８１の処理が完了した後、ステップＰ８２を実行する。
【０１１９】
ステップＰ８２において、ＣＰＵ１０は、印刷ユニットＭの凸版胴−ゴム胴間のニップ圧調整用モータ用ポテンショ・メータ２３に接続されたＡ／Ｄ変換器の出力を読み込み、メモリＭ６に記憶する。ＣＰＵ１０は、ステップＰ８２の処理が完了した後、ステップＰ８３を実行する。
【０１２０】
ステップＰ８３において、ＣＰＵ１０は、メモリＭ６に記憶された印刷ユニットＭの凸版胴−ゴム胴間のニップ圧調整用モータ用ポテンショ・メータ２３に接続されたＡ／Ｄ変換器の出力と、メモリＭ２１に記憶された印刷ユニットＭの目標とする凸版胴−ゴム胴間のニップ圧調整用モータ用ポテンショ・メータ２３に接続されたＡ／Ｄ変換器の出力とが等しいか判断する。
【０１２１】
メモリＭ６に記憶された印刷ユニットＭの凸版胴−ゴム胴間のニップ圧調整用モータ用ポテンショ・メータ２３に接続されたＡ／Ｄ変換器の出力と、メモリＭ２２に記憶された印刷ユニットＭの目標とする凸版胴−ゴム胴間のニップ圧調整用モータ用ポテンショ・メータ２３に接続されたＡ／Ｄ変換器の出力とが等しい場合は、ステップＰ８４からステップＰ９２をとばしてステップＰ９３を実行する。
【０１２２】
また、メモリＭ６に記憶された印刷ユニットＭの凸版胴−ゴム胴間のニップ圧調整用モータ用ポテンショ・メータ２３に接続されたＡ／Ｄ変換器の出力と、メモリＭ２２に記憶された印刷ユニットＭの目標とする凸版胴−ゴム胴間のニップ圧調整用モータ用ポテンショ・メータ２３に接続されたＡ／Ｄ変換器の出力とが等しくない場合は、ステップＰ８４を実行する。
【０１２３】
ステップＰ８４において、ＣＰＵ１０は、メモリＭ６に記憶された印刷ユニットＭの凸版胴−ゴム胴間のニップ圧調整用モータ用ポテンショ・メータ２３に接続されたＡ／Ｄ変換器の出力より、メモリＭ２２に記憶された印刷ユニットＭの目標とする凸版胴−ゴム胴間のニップ圧調整用モータ用ポテンショ・メータ２３に接続されたＡ／Ｄ変換器の出力が大きいか判断する。
【０１２４】
メモリＭ６に記憶された印刷ユニットＭの凸版胴−ゴム胴間のニップ圧調整用モータ用ポテンショ・メータ２３に接続されたＡ／Ｄ変換器の出力より、メモリＭ２２に記憶された印刷ユニットＭの目標とする凸版胴−ゴム胴間のニップ圧調整用モータ用ポテンショ・メータ２３に接続されたＡ／Ｄ変換器の出力が大きい場合、ステップＰ８５を実行する。
【０１２５】
また、メモリＭ６に記憶された印刷ユニットＭの凸版胴−ゴム胴間のニップ圧調整用モータ用ポテンショ・メータ２３に接続されたＡ／Ｄ変換器の出力より、メモリＭ２２に記憶された印刷ユニットＭの目標とする凸版胴−ゴム胴間のニップ圧調整用モータ用ポテンショ・メータ２３に接続されたＡ／Ｄ変換器の出力が大きくない場合、ステップＰ８９を実行する。
【０１２６】
ステップＰ８５において、ＣＰＵ１０は、印刷ユニットＭの凸版胴−ゴム胴間のニップ圧調整用モータ・ドライバ２２に正転指令を出力する。ＣＰＵ１０は、ステップＰ８５の処理が完了した後、ステップＰ８６を実行する。
【０１２７】
ステップＰ８６において、ＣＰＵ１０は、印刷ユニットＭの凸版胴−ゴム胴間のニップ圧調整用モータ用ポテンショ・メータ２３に接続されたＡ／Ｄ変換器の出力を読み込み、メモリＭ６に記憶する。ＣＰＵ１０は、ステップＰ８６の処理が完了した後、ステップＰ８７を実行する。
【０１２８】
ステップＰ８７において、ＣＰＵ１０は、メモリＭ６に記憶された印刷ユニットＭの凸版胴−ゴム胴間のニップ圧調整用モータ用ポテンショ・メータ２３に接続されたＡ／Ｄ変換器の出力と、メモリＭ２２に記憶された印刷ユニットＭの目標とする凸版胴−ゴム胴間のニップ圧調整用モータ用ポテンショ・メータ２３に接続されたＡ／Ｄ変換器の出力とが等しいか判断する。
【０１２９】
メモリＭ６に記憶された印刷ユニットＭの凸版胴−ゴム胴間のニップ圧調整用モータ用ポテンショ・メータ２３に接続されたＡ／Ｄ変換器の出力と、メモリＭ２２に記憶された印刷ユニットＭの目標とする凸版胴−ゴム胴間のニップ圧調整用モータ用ポテンショ・メータ２３に接続されたＡ／Ｄ変換器の出力とが等しい場合は、ステップＰ８８を実行する。
【０１３０】
また、メモリＭ６に記憶された印刷ユニットＭの凸版胴−ゴム胴間のニップ圧調整用モータ用ポテンショ・メータ２３に接続されたＡ／Ｄ変換器の出力と、メモリＭ２２に記憶された印刷ユニットＭの目標とする凸版胴−ゴム胴間のニップ圧調整用モータ用ポテンショ・メータ２３に接続されたＡ／Ｄ変換器の出力とが等しくない場合は、ステップＰ８６を実行する。
【０１３１】
ステップＰ８８において、ＣＰＵ１０は、印刷ユニットＭの凸版胴−ゴム胴間のニップ圧調整用モータ・ドライバ２２への正転指令出力を停止する。ＣＰＵ１０は、ステップＰ８８の処理が完了した後、ステップＰ９３を実行する。
【０１３２】
ステップＰ８９において、ＣＰＵ１０は、印刷ユニットＭの凸版胴−ゴム胴間のニップ圧調整用モータ・ドライバ２２に逆転指令を出力する。ＣＰＵ１０は、ステップＰ８９の処理が完了した後、ステップＰ９０を実行する。
【０１３３】
ステップＰ９０において、ＣＰＵ１０は、印刷ユニットＭの凸版胴−ゴム胴間のニップ圧調整用モータ用ポテンショ・メータ２３に接続されたＡ／Ｄ変換器の出力を読み込み、メモリＭ６に記憶する。ＣＰＵ１０は、ステップＰ９０の処理が完了した後、ステップＰ９１を実行する。
【０１３４】
ステップＰ９１において、ＣＰＵ１０は、メモリＭ６に記憶された印刷ユニットＭの凸版胴−ゴム胴間のニップ圧調整用モータ用ポテンショ・メータ２３に接続されたＡ／Ｄ変換器の出力と、メモリＭ２２に記憶された印刷ユニットＭの目標とする凸版胴−ゴム胴間のニップ圧調整用モータ用ポテンショ・メータ２３に接続されたＡ／Ｄ変換器の出力とが等しいか判断する。
【０１３５】
メモリＭ６に記憶された印刷ユニットＭの凸版胴−ゴム胴間のニップ圧調整用モータ用ポテンショ・メータ２３に接続されたＡ／Ｄ変換器の出力と、メモリＭ２２に記憶された印刷ユニットＭの目標とする凸版胴−ゴム胴間のニップ圧調整用モータ用ポテンショ・メータ２３に接続されたＡ／Ｄ変換器の出力とが等しい場合は、ステップＰ９２を実行する。
【０１３６】
また、メモリＭ６に記憶された印刷ユニットＭの凸版胴−ゴム胴間のニップ圧調整用モータ用ポテンショ・メータ２３に接続されたＡ／Ｄ変換器の出力と、メモリＭ２２に記憶された印刷ユニットＭの目標とする凸版胴−ゴム胴間のニップ圧調整用モータ用ポテンショ・メータ２３に接続されたＡ／Ｄ変換器の出力とが等しくない場合は、ステップＰ９０を実行する。
【０１３７】
ステップＰ９２において、ＣＰＵ１０は、印刷ユニットＭの凸版胴−ゴム胴間のニップ圧調整用モータ・ドライバ２２への逆転指令出力を停止する。ＣＰＵ１０は、ステップＰ９２の処理が完了した後、ステップＰ９３を実行する。
【０１３８】
ステップＰ９３において、ＣＰＵ１０は、メモリＭ７に記憶された印刷ユニットＭの基準のゴム胴−圧胴間の印圧を読み込む。ＣＰＵ１０は、ステップＰ９３の処理が完了した後、ステップＰ９４を実行する。
【０１３９】
ステップＰ９４において、ＣＰＵ１０は、メモリＭ１８に記憶された印刷ユニットＭのゴム胴−圧胴間の印圧補正量を読み込む。ＣＰＵ１０は、ステップＰ９４の処理が完了した後、ステップＰ９５を実行する。
【０１４０】
ステップＰ９５において、ＣＰＵ１０は、印刷ユニットＭの基準のゴム胴−圧胴間の印圧に印刷ユニットＭのゴム胴−圧胴間の印圧補正量を加算し、目標とするゴム胴−圧胴間の印圧を演算し、この演算結果をメモリＭ２３に記憶する。ＣＰＵ１０は、ステップＰ９５の処理が完了した後、ステップＰ９６を実行する。
【０１４１】
ステップＰ９６において、ＣＰＵ１０は、印刷ユニットＭの目標とするゴム胴−圧胴間の印圧より、目標とするゴム胴−圧胴間の印圧調整用モータ用ポテンショ・メータ２６に接続されたＡ／Ｄ変換器の出力を演算し、この演算結果をＭ２４に記憶する。ＣＰＵ１０は、ステップＰ９６の処理が完了した後、ステップＰ９７を実行する。
【０１４２】
ステップＰ９７において、ＣＰＵ１０は、印刷ユニットＭのゴム胴−圧胴間の印圧調整用モータ用ポテンショ・メータ２６に接続されたＡ／Ｄ変換器の出力を読み込み、メモリＭ８に記憶する。ＣＰＵ１０は、ステップＰ９７の処理が完了した後、ステップＰ９８を実行する。
【０１４３】
ステップＰ９８において、ＣＰＵ１０は、メモリＭ８に記憶された印刷ユニットＭのゴム胴−圧胴間の印圧調整用モータ用ポテンショ・メータ２６に接続されたＡ／Ｄ変換器の出力と、メモリＭ２４に記憶された印刷ユニットＭの目標とするゴム胴−圧胴間の印圧調整用モータ用ポテンショ・メータ２６に接続されたＡ／Ｄ変換器の出力とが等しいか判断する。
【０１４４】
メモリＭ８に記憶された印刷ユニットＭのゴム胴−圧胴間の印圧調整用モータ用ポテンショ・メータ２６に接続されたＡ／Ｄ変換器の出力と、メモリＭ２４に記憶された印刷ユニットＭの目標とするゴム胴−圧胴間の印圧調整用モータ用ポテンショ・メータ２６に接続されたＡ／Ｄ変換器の出力とが等しい場合は、ステップＰ９９からステップＰ１０７をとばしてステップＰ１０８を実行する。
【０１４５】
また、メモリＭ８に記憶された印刷ユニットＭのゴム胴−圧胴間の印圧調整用モータ用ポテンショ・メータ２６に接続されたＡ／Ｄ変換器の出力と、メモリＭ２４に記憶された印刷ユニットＭの目標とするゴム胴−圧胴間の印圧調整用モータ用ポテンショ・メータ２６に接続されたＡ／Ｄ変換器の出力とが等しくない場合は、ステップＰ９９を実行する。
【０１４６】
ステップＰ９９において、ＣＰＵ１０は、メモリＭ８に記憶された印刷ユニットＭのゴム胴−圧胴間の印圧調整用モータ用ポテンショ・メータ２６に接続されたＡ／Ｄ変換器の出力より、メモリＭ２４に記憶された印刷ユニットＭの目標とするゴム胴−圧胴間の印圧調整用モータ用ポテンショ・メータ２６に接続されたＡ／Ｄ変換器の出力が大きいか判断する。
【０１４７】
メモリＭ８に記憶された印刷ユニットＭのゴム胴−圧胴間の印圧調整用モータ用ポテンショ・メータ２６に接続されたＡ／Ｄ変換器の出力より、メモリＭ２４に記憶された印刷ユニットＭの目標とするゴム胴−圧胴間の印圧調整用モータ用ポテンショ・メータ２６に接続されたＡ／Ｄ変換器の出力が大きい場合、ステップＰ１００を実行する。
【０１４８】
また、メモリＭ８に記憶された印刷ユニットＭのゴム胴−圧胴間の印圧調整用モータ用ポテンショ・メータ２６に接続されたＡ／Ｄ変換器の出力より、メモリＭ２４に記憶された印刷ユニットＭの目標とするゴム胴−圧胴間の印圧調整用モータ用ポテンショ・メータ２６に接続されたＡ／Ｄ変換器の出力が大きくない場合、ステップＰ１０４を実行する。
【０１４９】
ステップＰ１００において、ＣＰＵ１０は、印刷ユニットＭのゴム胴−圧胴間の印圧調整用モータ・ドライバ２５に正転指令を出力する。ＣＰＵ１０は、ステップＰ１００の処理が完了した後にステップＰ１０１を実行する。
【０１５０】
ステップＰ１０１において、ＣＰＵ１０は、印刷ユニットＭのゴム胴−圧胴間の印圧調整用モータ用ポテンショ・メータ２６に接続されたＡ／Ｄ変換器の出力を読み込み、メモリＭ８に記憶する。ＣＰＵ１０は、ステップＰ１０１の処理が完了した後、ステップＰ１０２を実行する。
【０１５１】
ステップＰ１０２において、ＣＰＵ１０は、メモリＭ８に記憶された印刷ユニットＭのゴム胴−圧胴間の印圧調整用モータ用ポテンショ・メータ２６に接続されたＡ／Ｄ変換器の出力と、メモリＭ２４に記憶された印刷ユニットＭの目標とするゴム胴−圧胴間の印圧調整用モータ用ポテンショ・メータ２６に接続されたＡ／Ｄ変換器の出力とが等しいか判断する。
【０１５２】
メモリＭ８に記憶された印刷ユニットＭのゴム胴−圧胴間の印圧調整用モータ用ポテンショ・メータ２６に接続されたＡ／Ｄ変換器の出力と、メモリＭ２４に記憶された印刷ユニットＭの目標とするゴム胴−圧胴間の印圧調整用モータ用ポテンショ・メータ２６に接続されたＡ／Ｄ変換器の出力とが等しい場合は、ステップＰ１０３を実行する。
【０１５３】
また、メモリＭ８に記憶された印刷ユニットＭのゴム胴−圧胴間の印圧調整用モータ用ポテンショ・メータ２６に接続されたＡ／Ｄ変換器の出力と、メモリＭ２４に記憶された印刷ユニットＭの目標とするゴム胴−圧胴間の印圧調整用モータ用ポテンショ・メータ２６に接続されたＡ／Ｄ変換器の出力とが等しくない場合は、ステップＰ１０１を実行する。
【０１５４】
ステップＰ１０３において、ＣＰＵ１０は、印刷ユニットＭのゴム胴−圧胴間の印圧調整用モータ・ドライバ２５への正転指令出力を停止する。ＣＰＵ１０は、ステップＰ１０３の処理が完了した後、ステップＰ１０８を実行する。
【０１５５】
ステップＰ１０４において、ＣＰＵ１０は、印刷ユニットＭのゴム胴−圧胴間の印圧調整用モータ・ドライバ２５に逆転指令を出力する。ＣＰＵ１０は、ステップＰ１０４の処理が完了した後、ステップＰ１０５を実行する。
【０１５６】
ステップＰ１０５において、ＣＰＵ１０は、印刷ユニットＭのゴム胴−圧胴間の印圧調整用モータ用ポテンショ・メータ２６に接続されたＡ／Ｄ変換器の出力を読み込み、メモリＭ８に記憶する。ＣＰＵ１０は、ステップＰ１０５の処理が完了した後、ステップＰ１０６を実行する。
【０１５７】
ステップＰ１０６において、ＣＰＵ１０は、メモリＭ８に記憶された印刷ユニットＭのゴム胴−圧胴間の印圧調整用モータ用ポテンショ・メータ２６に接続されたＡ／Ｄ変換器の出力と、メモリＭ２４に記憶された印刷ユニットＭの目標とするゴム胴−圧胴間の印圧調整用モータ用ポテンショ・メータ２６に接続されたＡ／Ｄ変換器の出力とが等しいか判断する。
【０１５８】
メモリＭ８に記憶された印刷ユニットＭのゴム胴−圧胴間の印圧調整用モータ用ポテンショ・メータ２６に接続されたＡ／Ｄ変換器の出力と、メモリＭ２４に記憶された印刷ユニットＭの目標とするゴム胴−圧胴間の印圧調整用モータ用ポテンショ・メータ２６に接続されたＡ／Ｄ変換器の出力とが等しい場合は、ステップＰ１０７を実行する。
【０１５９】
また、メモリＭ８に記憶された印刷ユニットＭのゴム胴−圧胴間の印圧調整用モータ用ポテンショ・メータ２６に接続されたＡ／Ｄ変換器の出力と、メモリＭ２４に記憶された印刷ユニットＭの目標とするゴム胴−圧胴間の印圧調整用モータ用ポテンショ・メータ２６に接続されたＡ／Ｄ変換器の出力とが等しくない場合は、ステップＰ１０５を実行する。
【０１６０】
ステップＰ１０７において、ＣＰＵ１０は、印刷ユニットＭのゴム胴−圧胴間の印圧調整用モータ・ドライバ２５への逆転指令出力を停止する。ＣＰＵ１０は、ステップＰ１０７の処理が完了した後、ステップＰ１０８を実行する。
【０１６１】
ステップＰ１０８において、ＣＰＵ１０は、メモリＭ３に記憶されたカウント値Ｍに１を加算し上書きする。ＣＰＵ１０は、ステップＰ１０８の処理が完了した後、ステップＰ１０８を実行する。
【０１６２】
ステップＰ１０９において、ＣＰＵ１０は、メモリＭ１０に記憶された印刷ユニット総数Ｍｍａｘを読み込む。ＣＰＵ１０は、ステップＰ１０９の処理が完了した後、ステップＰ１１０を実行する。
【０１６３】
ステップＰ１１０において、ＣＰＵ１０は、メモリＭ３に記憶されたカウント値Ｍが印刷ユニット総数Ｍｍａｘより大きいか判断する。ＣＰＵ１０は、メモリＭ３に記憶されたカウント値Ｍが印刷ユニット総数Ｍｍａｘより大きい場合、ステップＰ１１１を実行する。また、ＣＰＵ１０は、メモリＭ３に記憶されたカウント値Ｍが印刷ユニット総数Ｍｍａｘより大きくない場合、ステップＰ５４を実行する。以上のステップにより、各印刷ユニットＭの印刷機温度測定器１７によって測定された印刷機温度に応じて、各印刷ユニットＭの各接触圧調整手段を調整する。
【０１６４】
ステップＰ１１１において、ＣＰＵ１０は、入力装置１３に設けられた本刷り完了ボタンが、オペレータによりＯＮにされているか判断する。ＣＰＵ１０は、本刷り完了ボタンがＯＮになっている場合、ステップＰ１を実行する。また、ＣＰＵ１０は、本刷り完了ボタンがＯＮになっていない場合、ステップＰ５３を実行する。
【０１６５】
〔第２の実施形態〕
本願発明の第２の実施形態に係る液体塗布機械の接触圧調整方法、及び、液体塗布機械の接触圧調整装置について説明する。なお、本実施形態に係る液体塗布機械の接触圧調整装置が適用される印刷機の構成については第１の実施形態と同様であるためここでの説明は省略する。
【０１６６】
次に、本願発明の第２の実施形態に係る液体塗布機械の接触圧調整装置について説明する。図７（ａ）及び図７（ｂ）は本願発明の第２の実施形態に係る液体塗布機械の接触圧調整装置のハードブロック図である。図７（ａ）及び図７（ｂ）に示すように、液体塗布機械の接触圧調整装置１は、ＣＰＵ１０、ＲＡＭ１１、ＲＯＭ１２、入力装置１３、表示器１４、出力装置(Ｆ・Ｄドライブ、プリンタ等)１５、Ｉ／Ｏ（入出力インターフェイス）１６，３７、クロック発生器３５、印刷稼動時間計測用カウンタ３６を備えている。この印刷稼動時間計測用カウンタ３６は、クロック発生器３５が印刷機の印刷開始から一定時間（例えば１秒）の間隔をおいて発生されるクロック信号を計測することにより、印刷機の稼働時間を計測することができる。
【０１６７】
また、印刷ユニットＭは、インキ着けローラ１００−凸版胴１０１間のニップ圧調整用モータ１８、インキ着けローラ１００−凸版胴１０１間のニップ圧調整用モータ・ドライバ１９、インキ着けローラ１００−凸版胴１０１間のニップ圧調整用モータ用ポテンショ・メータ２０、凸版胴１０１−ゴム胴１０２間のニップ圧調整用モータ２１、凸版胴１０１−ゴム胴１０２間のニップ圧調整用モータ・ドライバ２２、凸版胴１０１−ゴム胴１０２間のニップ圧調整用モータ用ポテンショ・メータ２３、ゴム胴１０２−圧胴１０３間の印圧調整用モータ２４、ゴム胴１０２−圧胴１０３間の印圧調整用モータ・ドライバ２５、ゴム胴１０２−圧胴１０３間の印圧調整用モータ用ポテンショ・メータ２６、Ａ／Ｄ（アナログ／デジタル変換器）２８〜３０、Ｉ／Ｏ（入出力インターフェイス）３２〜３４を備えている。
【０１６８】
本実施形態に係る印刷機においては、４色のインキを用いるため、１色目（例えば、スミ）の印刷ユニット２、２色目（例えば、アイ）の印刷ユニット３、３色目（例えば、アカ）の印刷ユニット４、及び、４色目（例えば、キ）の印刷ユニット５にそれぞれインキ着けローラ１００−凸版胴１０１間のニップ圧調整用モータ１８、インキ着けローラ１００−凸版胴１０１間のニップ圧調整用モータ・ドライバ１９、インキ着けローラ１００−凸版胴１０１間のニップ圧調整用モータ用ポテンショ・メータ２０、凸版胴１０１−ゴム胴１０２間のニップ圧調整用モータ２１、凸版胴１０１−ゴム胴１０２間のニップ圧調整用モータ・ドライバ２２、凸版胴１０１−ゴム胴１０２間のニップ圧調整用モータ用ポテンショ・メータ２３、ゴム胴１０２−圧胴１０３間の印圧調整用モータ２４、ゴム胴１０２−圧胴１０３間の印圧調整用モータ・ドライバ２５、ゴム胴１０２−圧胴１０３間の印圧調整用モータ用ポテンショ・メータ２６、Ａ／Ｄ（アナログ／デジタル変換器）２８〜３０、Ｉ／Ｏ（入出力インターフェイス）３２〜３４を備えている。なお、本実施形態においては、４色のインキを用いたが、印刷ユニットの台数を増減して使用するインキ色数を増減することも可能である。
【０１６９】
さらに、接触圧調整装置１は、印刷ユニットＭのインキ色ＩＣｍ記憶用メモリＭ１、選択された印刷ユニット番号記憶用メモリＭ２、カウント値Ｍ記憶用メモリＭ３、インキ着けローラ１００−凸版胴１０１間のニップ圧調整用モータ用ポテンショ・メータ２０に接続されたＡ／Ｄ変換器の出力記憶用メモリＭ４、基準のインキ着けローラ１００−凸版胴１０１間のニップ圧記憶用メモリＭ５、凸版胴１０１−ゴム胴１０２間のニップ圧調整用モータ用ポテンショ・メータ２３に接続されたＡ／Ｄ変換器の出力記憶用メモリＭ６、基準の凸版胴１０１−ゴム胴１０２間のニップ圧記憶用メモリＭ７、ゴム胴１０２−圧胴１０３間の印圧調整用モータ用ポテンショ・メータ２６に接続されたＡ／Ｄ変換器の出力記憶用メモリＭ８、基準のゴム胴１０２−圧胴１０３間の印圧記憶用メモリＭ９、印刷ユニット総数Ｍｍａｘ記憶用メモリＭ１０、インキ着けローラ１００−凸版胴１０１間のニップ圧補正量記憶用メモリＭ１４、凸版胴１０１−ゴム胴１０２間のニップ圧補正量記憶用メモリＭ１６、ゴム胴１０２−圧胴１０３間の印圧補正量記憶用メモリＭ１８、目標とするインキ着けローラ１００−凸版胴１０１間のニップ圧記憶用メモリＭ１９、目標とするインキ着けローラ１００−凸版胴１０１間のニップ圧調整用モータ用ポテンショ・メータ２０に接続されたＡ／Ｄ変換器の出力記憶用メモリＭ２０、目標とする凸版胴１０１−ゴム胴１０２間のニップ圧記憶用メモリＭ２１、目標とする凸版胴１０１−ゴム胴１０２間のニップ圧調整用モータ用ポテンショ・メータ２３に接続されたＡ／Ｄ変換器の出力記憶用メモリＭ２２、目標とするゴム胴１０２−圧胴１０３間の印圧記憶用メモリＭ２３、目標とするゴム胴１０２−圧胴１０３間の印圧調整用モータ用ポテンショ・メータ２６に接続されたＡ／Ｄ変換器の出力記憶用メモリＭ２４、印刷稼動時間計測用カウンタ３６のカウント値記憶用メモリＭ２５、印刷稼動時間記憶用メモリＭ２６、補正されたインキ着けローラ１００−凸版胴１０１間のニップ圧記憶用メモリＭ２７、印刷稼動時間−インキ着けローラ１００と凸版胴１０１間のニップ圧補正量変換カーブ用データ・ベース記憶用メモリＭ２８、印刷稼動時間−インキ着けローラ１００と凸版胴１０１間のニップ圧補正量変換カーブ記憶用メモリＭ２９、補正された凸版胴１０１−ゴム胴１０２間のニップ圧記憶用メモリＭ３０、印刷稼動時間−凸版胴１０１とゴム胴１０２間のニップ圧補正量変換カーブ用データ・ベース記憶用メモリＭ３１、印刷稼動時間−凸版胴１０１とゴム胴１０２間のニップ圧補正量変換カーブ記憶用メモリＭ３２、補正されたゴム胴１０２−圧胴１０３間の印圧記憶用メモリＭ３３、印刷稼動時間−ゴム胴１０２と圧胴１０３間の印圧補正量変換カーブ用データ・ベース記憶用メモリＭ３４、印刷稼動時間−ゴム胴１０２と圧胴１０３間の印圧補正量変換カーブ記憶用メモリＭ３５を備えている。
【０１７０】
ＣＰＵ１０は、Ｉ／Ｏ１６，３２〜３４，３７を介して与えられる各種入力情報を得て、ＲＡＭ１１やメモリＭ１〜Ｍ１０，Ｍ１４，Ｍ１６，Ｍ１８，Ｍ１９〜Ｍ３５にアクセスしながら、ＲＯＭ１２に記憶されたプログラムに従って動作する。入力装置１３には、印刷ユニットＭのインキ色ＩＣｍ入力部、印刷ユニット選択スイッチ、インキ着けローラ１００−凸版胴１０１間のニップ圧調整選択スイッチ、圧調整完了スイッチ、アップ・ボタン、ダウン・ボタン、凸版胴１０１−ゴム胴１０２間のニップ圧調整選択スイッチ、ゴム胴１０２−圧胴１０３間の印圧調整選択スイッチ、本刷り開始ボタン、本刷り完了ボタン等の各種入力装置が設置されている。
【０１７１】
次に、本願発明の第２の実施形態に係る液体塗布機械の接触圧調整装置の動作について説明する。図８（ａ）〜図８（ｄ）、図９（ａ）〜図９（ｆ）、図１０（ａ）、図１０（ｂ）、図１１（ａ）〜図１１（ｃ）は本願発明の第２の実施形態に係る液体塗布機械の接触圧調整装置１の動作フロー図である。以下、各ステップ毎に処理の内容について説明する。
【０１７２】
ステップＰ１〜ステップＰ４１における処理は第１の実施形態と同様であるため説明は省略する。
【０１７３】
ステップＰ４２において、ＣＰＵ１０は、入力装置１３に設けられた本刷り開始ボタンが、オペレータによりＯＮにされているか判断する。ＣＰＵ１０は、本刷り開始ボタンがＯＮになっている場合、ステップＰ１１２を実行する。また、ＣＰＵ１０は、本刷り開始ボタンがＯＮになっていない場合、ステップＰ２を実行する。
【０１７４】
ステップＰ１１２において、ＣＰＵ１０は、印刷稼動時間計測用カウンタ３６にリセット信号及びイネーブル信号を出力する。ＣＰＵ１０は、ステップＰ１１２の処理が完了した後、ステップＰ１１３を実行する。
【０１７５】
ステップＰ１１３において、ＣＰＵ１０は、印刷稼動時間計測用カウンタ３６へのリセット信号の出力を停止する。ＣＰＵ１０は、ステップＰ１１３の処理が完了した後、ステップＰ４３を実行する。
【０１７６】
ステップＰ４３〜ステップＰ５１における処理は第１の実施形態と同様であるため説明は省略する。
【０１７７】
ステップＰ５２において、ＣＰＵ１０は、メモリＭ３に記憶されたカウント値ＭがメモリＭ１０に記憶された印刷ユニット総数Ｍｍａｘより大きいか判断する。ＣＰＵ１０は、メモリＭ３に記憶されたカウント値ＭがメモリＭ１０に記憶された印刷ユニット総数Ｍｍａｘより大きい場合、ステップＰ１１４を実行する。また、ＣＰＵ１０は、メモリＭ３に記憶されたカウント値ＭがメモリＭ１０に記憶された印刷ユニット総数Ｍｍａｘより大きくない場合、ステップＰ４４を実行する。
【０１７８】
ステップＰ１１４において、ＣＰＵ１０は、入力装置１３に設けられた印刷ユニット選択スイッチが、オペレータによりＯＮにされているか判断する。ＣＰＵ１０は、印刷ユニット選択スイッチがＯＮになっている場合、ステップＰ１１５を実行する。また、ＣＰＵ１０は、印刷ユニット選択スイッチがＯＮになっていない場合、ステップＰ１１５をとばしてステップＰ１１６を実行する。
【０１７９】
ステップＰ１１５において、ＣＰＵ１０は、選択された印刷ユニット番号ＭをメモリＭ２に記憶する。ＣＰＵ１０は、ステップＰ１１５の処理が完了した後、ステップＰ１１６を実行する。
【０１８０】
ステップＰ１１６において、ＣＰＵ１０は、入力装置１３に設けられたインキ着けローラ−凸版胴間のニップ圧調整選択スイッチが、オペレータによりＯＮにされているか判断する。ＣＰＵ１０は、インキ着けローラ−凸版胴間のニップ圧調整選択スイッチがＯＮになっている場合、ステップＰ１１７を実行する。また、ＣＰＵ１０は、インキ着けローラ−凸版胴間のニップ圧調整選択スイッチがＯＮになっていない場合、ステップＰ１１７からステップＰ１３８をとばしてステップＰ１３９を実行する。
【０１８１】
ステップＰ１１７において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ１１８からステップＰ１２７をとばしてステップＰ１２８を実行する。また、ＣＰＵ１０は、圧調整完了スイッチがＯＮになっていない場合、ステップＰ１１８を実行する。
【０１８２】
ステップＰ１１８において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ１１９を実行する。また、ＣＰＵ１０は、アップ・ボタンがＯＮになっていない場合、ステップＰ１１９からステップＰ１２２をとばしてステップＰ１２３を実行する。
【０１８３】
ステップＰ１１９において、ＣＰＵ１０は、メモリＭ２から選択された印刷ユニット番号Ｍを読み込む。ＣＰＵ１０は、ステップＰ１１９の処理が完了した後、ステップＰ１２０を実行する。
【０１８４】
ステップＰ１２０において、ＣＰＵ１０は、印刷ユニットＭのインキ着けローラ−凸版胴間のニップ圧調整用モータ・ドライバ１９に正転指令を出力する。ＣＰＵ１０は、ステップＰ１２０の処理が完了した後、ステップＰ１２１を実行する。
【０１８５】
ステップＰ１２１において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ１２１を実行する。また、ＣＰＵ１０は、アップ・ボタンがＯＦＦになっていない場合、ステップＰ１２１を再度実行する。
【０１８６】
ステップＰ１２２において、ＣＰＵ１０は、印刷ユニットＭのインキ着けローラ−凸版胴間のニップ圧調整用モータ・ドライバ１９への正転指令出力を停止する。ＣＰＵ１０は、ステップＰ１２２の処理が完了した後、ステップＰ１２３を実行する。
【０１８７】
ステップＰ１２３において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ１２４を実行する。また、ＣＰＵ１０は、ダウン・ボタンがＯＮになっていない場合、ステップＰ１１７を実行する。
【０１８８】
ステップＰ１２４において、ＣＰＵ１０は、メモリＭ２から選択された印刷ユニット番号Ｍを読み込む。ＣＰＵ１０は、ステップＰ１２４の処理が完了した後、ステップＰ１２５を実行する。
【０１８９】
ステップＰ１２５において、ＣＰＵ１０は、印刷ユニットＭのインキ着けローラ−凸版胴間のニップ圧調整用モータ・ドライバ１９に逆転指令を出力する。ＣＰＵ１０は、ステップＰ１２５の処理が完了した後、ステップＰ１２６を実行する。
【０１９０】
ステップＰ１２６において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ１２７を実行する。また、ＣＰＵ１０は、ダウン・ボタンがＯＦＦになっていない場合、ステップＰ１２６を再度実行する。
【０１９１】
ステップＰ１２７において、ＣＰＵ１０は、印刷ユニットＭのインキ着けローラ−凸版胴間のニップ圧調整用モータ・ドライバ１９への逆転指令出力を停止する。ＣＰＵ１０は、ステップＰ１２７の処理が完了した後、ステップＰ１１７を実行する。
【０１９２】
ステップＰ１２８において、ＣＰＵ１０は、印刷稼動時間計測用カウンタ３６のカウント値を読み込み、メモリＭ２５に記憶する。ＣＰＵ１０は、ステップＰ１２８の処理が完了した後、ステップＰ１２９を実行する。
【０１９３】
ステップＰ１２９において、ＣＰＵ１０は、メモリＭ２５に記憶された印刷稼動時間計測用カウンタ３６のカウント値より、印刷稼動時間を演算し、この演算結果をメモリＭ２６に記憶する。ＣＰＵ１０は、ステップＰ１２９の処理が完了した後、ステップＰ１３０を実行する。
【０１９４】
ステップＰ１３０において、ＣＰＵ１０は、メモリＭ２に記憶された選択された印刷ユニット番号Ｍを読み込む。ＣＰＵ１０は、ステップＰ１３０の処理が完了した後、ステップＰ１３１を実行する。
【０１９５】
ステップＰ１３１において、ＣＰＵ１０は、選択された印刷ユニットＭのインキ着けローラ−凸版胴間のニップ圧調整用モータ用ポテンショ・メータ２０に接続されたＡ／Ｄ変換器の出力を読み込み、メモリＭ４に記憶する。ＣＰＵ１０は、ステップＰ１３１の処理が完了した後、ステップＰ１３２を実行する。
【０１９６】
ステップＰ１３２において、ＣＰＵ１０は、メモリＭ４に記憶された印刷ユニットＭのインキ着けローラ−凸版胴間のニップ圧調整用モータ用ポテンショ・メータ２０に接続されたＡ／Ｄ変換器の出力より、印刷ユニットＭの補正されたインキ着けローラ−凸版胴間のニップ圧を演算し、この演算結果をメモリＭ２７に記憶する。ＣＰＵ１０は、ステップＰ１３２の処理が完了した後、ステップＰ１３３を実行する。
【０１９７】
ステップＰ１３３において、ＣＰＵ１０は、メモリＭ５に記憶された印刷ユニットＭの基準のインキ着けローラ−凸版胴間のニップ圧を読み込む。ＣＰＵ１０は、ステップＰ１３３の処理が完了した後、ステップＰ１３４を実行する。
【０１９８】
ステップＰ１３４において、ＣＰＵ１０は、印刷ユニットＭの補正されたインキ着けローラ−凸版胴間のニップ圧より印刷ユニットＭの基準のインキ着けローラ−凸版胴間のニップ圧を減算し、印刷ユニットＭのインキ着けローラ−凸版胴間のニップ圧補正量を演算し、この演算結果をメモリＭ１４に記憶する。ＣＰＵ１０は、ステップＰ１３４の処理が完了した後、ステップＰ１３５を実行する。
【０１９９】
ステップＰ１３５において、ＣＰＵ１０は、メモリＭ２に記憶された選択された印刷ユニット番号Ｍを読み込む。ＣＰＵ１０は、ステップＰ１３５の処理が完了した後、ステップＰ１３６を実行する。
【０２００】
ステップＰ１３６において、ＣＰＵ１０は、メモリＭ１に記憶された印刷ユニットＭのインキ色ＩＣｍを読み込む。ＣＰＵ１０は、ステップＰ１３６の処理が完了した後、ステップＰ１３７を実行する。
【０２０１】
ステップＰ１３７において、ＣＰＵ１０は、メモリＭ２８に記憶されたインキ色ＩＣｍの印刷稼動時間−インキ着けローラと凸版胴間のニップ圧補正量変換カーブ用データ・ベースに、印刷稼動時間に対応付けてインキ着けローラ−凸版胴間のニップ圧補正量を追加記憶する。ＣＰＵ１０は、ステップＰ１３７の処理が完了した後、ステップＰ１３８を実行する。
【０２０２】
ステップＰ１３８において、ＣＰＵ１０は、メモリＭ２９に記憶されたインキ色ＩＣｍの印刷稼動時間−インキ着けローラと凸版胴間のニップ圧補正量変換カーブ用データ・ベースより、最小二乗法を用いて、印刷稼動時間−インキ着けローラと凸版胴間のニップ圧補正量変換カーブを作成し、メモリＭ２９に上書きする。ＣＰＵ１０は、ステップＰ１３８の処理が完了した後、ステップＰ１３９を実行する。
【０２０３】
ステップＰ１３９において、ＣＰＵ１０は、入力装置１３に設けられた凸版胴−ゴム胴間のニップ圧調整選択スイッチが、オペレータによりＯＮにされているか判断する。ＣＰＵ１０は、凸版胴−ゴム胴間のニップ圧調整選択スイッチがＯＮになっている場合、ステップＰ１４０を実行する。また、ＣＰＵ１０は、凸版胴−ゴム胴間のニップ圧調整選択スイッチがＯＮになっていない場合、ステップＰ１４０からステップＰ１６１をとばしてステップＰ１６２を実行する。
【０２０４】
ステップＰ１４０において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ１４１からステップＰ１５０をとばしてステップＰ１５１を実行する。また、ＣＰＵ１０は、圧調整完了スイッチがＯＮになっていない場合、ステップＰ１４１を実行する。
【０２０５】
ステップＰ１４１において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ１４２を実行する。また、ＣＰＵ１０は、アップ・ボタンがＯＮになっていない場合、ステップＰ１４２からステップＰ１４５をとばしてステップＰ１４６を実行する。
【０２０６】
ステップＰ１４２において、ＣＰＵ１０は、メモリＭ２から選択された印刷ユニット番号Ｍを読み込む。ＣＰＵ１０は、ステップＰ１４２の処理が完了した後、ステップＰ１４３を実行する。
【０２０７】
ステップＰ１４３において、ＣＰＵ１０は、印刷ユニットＭの凸版胴−ゴム胴間のニップ圧調整用モータ・ドライバ２２に正転指令を出力する。ＣＰＵ１０は、ステップＰ１４３の処理が完了した後、ステップＰ１４４を実行する。
【０２０８】
ステップＰ１４４において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ１４５を実行する。また、ＣＰＵ１０は、アップ・ボタンがＯＦＦになっていない場合、ステップＰ１４４を再度実行する。
【０２０９】
ステップＰ１４５において、ＣＰＵ１０は、印刷ユニットＭの凸版胴−ゴム胴間のニップ圧調整用モータ・ドライバ２２への正転指令出力を停止する。ＣＰＵ１０は、ステップＰ１４５の処理が完了した後、ステップＰ１４６を実行する。
【０２１０】
ステップＰ１４６において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ１４７を実行する。また、ＣＰＵ１０は、ダウン・ボタンがＯＮになっていない場合、ステップＰ１４０を実行する。
【０２１１】
ステップＰ１４７において、ＣＰＵ１０は、メモリＭ２から選択された印刷ユニット番号Ｍを読み込む。ＣＰＵ１０は、ステップＰ１４７の処理が完了した後、ステップＰ１４８を実行する。
【０２１２】
ステップＰ１４８において、ＣＰＵ１０は、印刷ユニットＭの凸版胴−ゴム胴間のニップ圧調整用モータ・ドライバ２２に逆転指令を出力する。ＣＰＵ１０は、ステップＰ１４８の処理が完了した後、ステップＰ１４９を実行する。
【０２１３】
ステップＰ１４９において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ１５０を実行する。また、ＣＰＵ１０は、ダウン・ボタンがＯＦＦになっていない場合、ステップＰ１４９を再度実行する。
【０２１４】
ステップＰ１５０において、ＣＰＵ１０は、印刷ユニットＭの凸版胴−ゴム胴間のニップ圧調整用モータ・ドライバ２２への逆転指令出力を停止する。ＣＰＵ１０は、ステップＰ１５０の処理が完了した後、ステップＰ１４０を実行する。
【０２１５】
ステップＰ１５１において、ＣＰＵ１０は、印刷稼動時間計測用カウンタ３６のカウント値を読み込み、メモリＭ２５に記憶する。ＣＰＵ１０は、ステップＰ１５１の処理が完了した後、ステップＰ１５２を実行する。
【０２１６】
ステップＰ１５２において、ＣＰＵ１０は、メモリＭ２５に記憶された印刷稼動時間計測用カウンタ３６のカウント値より、印刷稼動時間を演算し、この演算結果をメモリＭ２６に記憶する。ＣＰＵ１０は、ステップＰ１５２の処理が完了した後、ステップＰ１５３を実行する。
【０２１７】
ステップＰ１５３において、ＣＰＵ１０は、メモリＭ２に記憶された選択された印刷ユニット番号Ｍを読み込む。ＣＰＵ１０は、ステップＰ１５３の処理が完了した後、ステップＰ１５４を実行する。
【０２１８】
ステップＰ１５４において、ＣＰＵ１０は、選択された印刷ユニットＭの凸版胴−ゴム胴間のニップ圧調整用モータ用ポテンショ・メータ２３に接続されたＡ／Ｄ変換器の出力を読み込み、メモリＭ６に記憶する。ＣＰＵ１０は、ステップＰ１５４の処理が完了した後、ステップＰ１５５を実行する。
【０２１９】
ステップＰ１５５において、ＣＰＵ１０は、メモリＭ６に記憶された印刷ユニットＭの凸版胴−ゴム胴間のニップ圧調整用モータ用ポテンショ・メータ２３に接続されたＡ／Ｄ変換器の出力より、印刷ユニットＭの補正された凸版胴−ゴム胴間のニップ圧を演算し、この演算結果をメモリＭ３０に記憶する。ＣＰＵ１０は、ステップＰ１５５の処理が完了した後、ステップＰ１５６を実行する。
【０２２０】
ステップＰ１５６において、ＣＰＵ１０は、メモリＭ７に記憶された印刷ユニットＭの基準の凸版胴−ゴム胴間のニップ圧を読み込む。ＣＰＵ１０は、ステップＰ１５６の処理が完了した後、ステップＰ１５７を実行する。
【０２２１】
ステップＰ１５７において、ＣＰＵ１０は、印刷ユニットＭの補正された凸版胴−ゴム胴間のニップ圧より印刷ユニットＭの基準の凸版胴−ゴム胴間のニップ圧を減算し、印刷ユニットＭの凸版胴−ゴム胴間のニップ圧補正量を演算し、この演算結果をメモリＭ１６に記憶する。ＣＰＵ１０は、ステップＰ１５７の処理が完了した後、ステップＰ１５８を実行する。
【０２２２】
ステップＰ１５８において、ＣＰＵ１０は、メモリＭ２に記憶された選択された印刷ユニット番号Ｍを読み込む。ＣＰＵ１０は、ステップＰ１５８の処理が完了した後、ステップＰ１５９を実行する。
【０２２３】
ステップＰ１５９において、ＣＰＵ１０は、メモリＭ１に記憶された印刷ユニットＭのインキ色ＩＣｍを読み込む。ＣＰＵ１０は、ステップＰ１５９の処理が完了した後、ステップＰ１６０を実行する。
【０２２４】
ステップＰ１６０において、ＣＰＵ１０は、メモリＭ３１に記憶されたインキ色ＩＣmの印刷稼動時間−凸版胴とゴム胴間のニップ圧補正量変換カーブ用データ・ベースに、印刷稼動時間に対応付けて凸版胴−ゴム胴間のニップ圧補正量を追加記憶する。ＣＰＵ１０は、ステップＰ１６０の処理が完了した後、ステップＰ１６１を実行する。
【０２２５】
ステップＰ１６１において、ＣＰＵ１０は、メモリＭ３１に記憶されたインキ色ＩＣmの印刷稼動時間−凸版胴−ゴム胴間のニップ圧補正量変換カーブ用データ・ベースより、最小二乗法を用いて、印刷稼動時間−凸版胴とゴム胴間のニップ圧補正量変換カーブを作成し、メモリＭ３２に上書きする。ＣＰＵ１０は、ステップＰ１６１の処理が完了した後、ステップＰ１６２を実行する。
【０２２６】
ステップＰ１６２において、ＣＰＵ１０は、入力装置１３に設けられたゴム胴−圧胴間の印圧調整選択スイッチが、オペレータによりＯＮにされているか判断する。ＣＰＵ１０は、ゴム胴−圧胴間の印圧調整選択スイッチがＯＮになっている場合、ステップＰ１６３を実行する。また、ＣＰＵ１０は、ゴム胴−圧胴間の印圧調整選択スイッチがＯＮになっていない場合、ステップＰ１６３からステップＰ１８４をとばしてステップＰ１８５を実行する。
【０２２７】
ステップＰ１６３において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ１６４からステップＰ１７３をとばしてステップＰ１７４を実行する。また、ＣＰＵ１０は、圧調整完了スイッチがＯＮになっていない場合、ステップＰ１６４を実行する。
【０２２８】
ステップＰ１６４において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ１６５を実行する。また、ＣＰＵ１０は、アップ・ボタンがＯＮになっていない場合、ステップＰ１６５からステップＰ１６８をとばしてステップＰ１６９を実行する。
【０２２９】
ステップＰ１６５において、ＣＰＵ１０は、メモリＭ２から選択された印刷ユニット番号Ｍを読み込む。ＣＰＵ１０は、ステップＰ１６５の処理が完了した後、ステップＰ１６６を実行する。
【０２３０】
ステップＰ１６６において、ＣＰＵ１０は、印刷ユニットＭのゴム胴−圧胴間の印圧調整用モータ・ドライバ２５に正転指令を出力する。ＣＰＵ１０は、ステップＰ１６６の処理が完了した後、ステップＰ１６７を実行する。
【０２３１】
ステップＰ１６７において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ１６８を実行する。また、ＣＰＵ１０は、アップ・ボタンがＯＦＦになっていない場合、ステップＰ１６７を再度実行する。
【０２３２】
ステップＰ１６８において、ＣＰＵ１０は、印刷ユニットＭのゴム胴−圧胴間の印圧調整用モータ・ドライバ２５への正転指令出力を停止する。ＣＰＵ１０は、ステップＰ１６８の処理が完了した後、ステップＰ１６９を実行する。
【０２３３】
ステップＰ１６９において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ１７０を実行する。また、ＣＰＵ１０は、ダウン・ボタンがＯＮになっていない場合、ステップＰ１６３を実行する。
【０２３４】
ステップＰ１７０において、ＣＰＵ１０は、メモリＭ２から選択された印刷ユニット番号Ｍを読み込む。ＣＰＵ１０は、ステップＰ１７０の処理が完了した後、ステップＰ１７１を実行する。
【０２３５】
ステップＰ１７１において、ＣＰＵ１０は、印刷ユニットＭのゴム胴−圧胴間の印圧調整用モータ・ドライバ２５に逆転指令を出力する。ＣＰＵ１０は、ステップＰ１７１の処理が完了した後、ステップＰ１７２を実行する。
【０２３６】
ステップＰ１７２において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ１７３を実行する。また、ＣＰＵ１０は、ダウン・ボタンがＯＦＦになっていない場合、ステップＰ１７２を再度実行する。
【０２３７】
ステップＰ１７３において、ＣＰＵ１０は、印刷ユニットＭのゴム胴−圧胴間の印圧調整用モータ・ドライバ２５への逆転指令出力を停止する。ＣＰＵ１０は、ステップＰ１７３の処理が完了した後、ステップＰ１６３を実行する。
【０２３８】
ステップＰ１７４において、ＣＰＵ１０は、印刷稼動時間計測用カウンタ３６のカウント値を読み込み、メモリＭ２５に記憶する。ＣＰＵ１０は、ステップＰ１７４の処理が完了した後、ステップＰ１７５を実行する。
【０２３９】
ステップＰ１７５において、ＣＰＵ１０は、メモリＭ２５に記憶された印刷稼動時間計測用カウンタ３６のカウント値より、印刷稼動時間を演算し、この演算結果をメモリＭ２６に記憶する。ＣＰＵ１０は、ステップＰ１７５の処理が完了した後、ステップＰ１７６を実行する。
【０２４０】
ステップＰ１７６において、ＣＰＵ１０は、メモリＭ２に記憶された選択された印刷ユニット番号Ｍを読み込む。ＣＰＵ１０は、ステップＰ１７６の処理が完了した後、ステップＰ１７７を実行する。
【０２４１】
ステップＰ１７７において、ＣＰＵ１０は、選択された印刷ユニットＭのゴム胴−圧胴間の印圧調整用モータ用ポテンショ・メータ２６に接続されたＡ／Ｄ変換器の出力を読み込み、メモリＭ８に記憶する。ＣＰＵ１０は、ステップＰ１７７の処理が完了した後、ステップＰ１７８を実行する。
【０２４２】
ステップＰ１７８において、ＣＰＵ１０は、メモリＭ８に記憶された印刷ユニットＭのゴム胴−圧胴間の印圧調整用モータ用ポテンショ・メータ２６に接続されたＡ／Ｄ変換器の出力より、印刷ユニットＭの補正されたゴム胴−圧胴間の印圧を演算し、この演算結果をメモリＭ３３に記憶する。ＣＰＵ１０は、ステップＰ１７８の処理が完了した後、ステップＰ１７９を実行する。
【０２４３】
ステップＰ１７９において、ＣＰＵ１０は、メモリＭ９に記憶された印刷ユニットＭの基準のゴム胴−圧胴間の印圧を読み込む。ＣＰＵ１０は、ステップＰ１７９の処理が完了した後、ステップＰ１８０を実行する。
【０２４４】
ステップＰ１８０において、ＣＰＵ１０は、印刷ユニットＭの補正されたゴム胴−圧胴間の印圧より印刷ユニットＭの基準のゴム胴−圧胴間の印圧を減算し、印刷ユニットＭのゴム胴−圧胴間の印圧補正量を演算し、この演算結果をメモリＭ１８に記憶する。ＣＰＵ１０は、ステップＰ１８０の処理が完了した後、ステップＰ１８１を実行する。
【０２４５】
ステップＰ１８１において、ＣＰＵ１０は、メモリＭ２に記憶された選択された印刷ユニット番号Ｍを読み込む。ＣＰＵ１０は、ステップＰ１８１の処理が完了した後、ステップＰ１８２を実行する。
【０２４６】
ステップＰ１８２において、ＣＰＵ１０は、メモリＭ１に記憶された印刷ユニットＭのインキ色ＩＣｍを読み込む。ＣＰＵ１０は、ステップＰ１８２の処理が完了した後、ステップＰ１８３を実行する。
【０２４７】
ステップＰ１８３において、ＣＰＵ１０は、メモリＭ３４に記憶されたインキ色ＩＣｍの印刷稼動時間−ゴム胴と圧胴間の印圧補正量変換カーブ用データ・ベースに、印刷稼動時間に対応付けてゴム胴−圧胴間の印圧補正量を追加記憶する。ＣＰＵ１０は、ステップＰ１８３の処理が完了した後、ステップＰ１８４を実行する。
【０２４８】
ステップＰ１８４において、ＣＰＵ１０は、メモリＭ３４に記憶されたインキ色ＩＣmの印刷稼動時間−ゴム胴と圧胴間の印圧補正量変換カーブ用データ・ベースより、最小二乗法を用いて、印刷稼動時間−ゴム胴と圧胴間の印圧補正量変換カーブを作成し、メモリＭ３５に上書きする。ＣＰＵ１０は、ステップＰ１８４の処理が完了した後、ステップＰ１８５を実行する。以上のステップにより、本刷り中に各印刷ユニットＭの各接触圧調整手段のどれかがオペレータによって手動で調整された場合、その結果を考慮して調整された部分に対応するインキ色の印刷稼働時間−ニップ圧又は印圧変換カーブを書き換える。
【０２４９】
ステップＰ１８５において、ＣＰＵ１０は、印刷稼動時間計測用カウンタ３６のカウント値を読み込み、メモリＭ２５に記憶する。ＣＰＵ１０は、ステップＰ１８５の処理が完了した後、ステップＰ１８６を実行する。
【０２５０】
ステップＰ１８６において、ＣＰＵ１０は、印刷稼動時間計測用カウンタ３６のカウント値より、印刷稼動時間を演算し、メモリＭ２６に記憶する。ＣＰＵ１０は、ステップＰ１８６の処理が完了した後、ステップＰ１８７を実行する。
【０２５１】
ステップＰ１８７において、ＣＰＵ１０は、メモリＭ３に記憶されたカウント値Ｍに１を加算し上書きする。ＣＰＵ１０は、ステップＰ１８７の処理が完了した後、ステップＰ１８８を実行する。
【０２５２】
ステップＰ１８８において、ＣＰＵ１０は、メモリＭ１に記憶された印刷ユニットＭのインキ色ＩＣｍを読み込む。ＣＰＵ１０は、ステップＰ１８８の処理が完了した後、ステップＰ１８９を実行する。
【０２５３】
ステップＰ１８９において、ＣＰＵ１０は、メモリＭ２９に記憶されたインキ色ＩＣｍの印刷稼動時間−インキ着けローラと凸版胴間のニップ圧補正量変換テーブルを読み込む。ＣＰＵ１０は、ステップＰ１８９の処理が完了した後、ステップＰ１９０を実行する。
【０２５４】
ステップＰ１９０において、ＣＰＵ１０は、インキ色ＩＣｍの印刷稼動時間−インキ着けローラと凸版胴間のニップ圧補正量変換テーブルを用いて、印刷稼動時間より、インキ着けローラ−凸版胴間のニップ圧補正量を求め、メモリＭ１４に記憶する。ＣＰＵ１０は、ステップＰ１９０の処理が完了した後、ステップＰ１９１を実行する。
【０２５５】
ステップＰ１９１において、ＣＰＵ１０は、メモリＭ３２に記憶されたインキ色ＩＣｍの印刷稼動時間−凸版胴とゴム胴間のニップ圧補正量変換テーブルを読み込む。ＣＰＵ１０は、ステップＰ１９１の処理が完了した後、ステップＰ１９２を実行する。
【０２５６】
ステップＰ１９２において、ＣＰＵ１０は、インキ色ＩＣｍの印刷稼動時間−凸版胴とゴム胴間のニップ圧補正量変換テーブルを用いて、印刷稼動時間より、凸版胴−ゴム胴間のニップ圧補正量を求め、メモリＭ１６に記憶する。ＣＰＵ１０は、ステップＰ１９２の処理が完了した後、ステップＰ１９３を実行する。
【０２５７】
ステップＰ１９３において、ＣＰＵ１０は、メモリＭ３５に記憶されたインキ色ＩＣｍの印刷稼動時間−ゴム胴と圧胴間の印圧補正量変換テーブルを読み込む。ＣＰＵ１０は、ステップＰ１９３の処理が完了した後、ステップＰ１９４を実行する。
【０２５８】
ステップＰ１９４において、ＣＰＵ１０は、インキ色ＩＣｍの印刷稼動時間−ゴム胴と圧胴間の印圧補正量変換テーブルを用いて、印刷稼動時間より、ゴム胴−圧胴間の印圧補正量を求め、メモリＭ１８に記憶する。ＣＰＵ１０は、ステップＰ１９４の処理が完了した後、ステップＰ１９５を実行する。
【０２５９】
ステップＰ１９５において、ＣＰＵ１０は、メモリＭ５に記憶された印刷ユニットＭの基準のインキ着けローラ−凸版胴間のニップ圧を読み込む。ＣＰＵ１０は、ステップＰ１９５の処理が完了した後、ステップＰ１９６を実行する。
【０２６０】
ステップＰ１９６において、ＣＰＵ１０は、メモリＭ１４に記憶された印刷ユニットＭのインキ着けローラ−凸版胴間のニップ圧補正量を読み込む。ＣＰＵ１０は、ステップＰ１９６の処理が完了した後、ステップＰ１９７を実行する。
【０２６１】
ステップＰ１９７において、ＣＰＵ１０は、印刷ユニットＭの基準のインキ着けローラ−凸版胴間のニップ圧に印刷ユニットＭのインキ着けローラ−凸版胴間のニップ圧補正量を加算し、目標とするインキ着けローラ−凸版胴間のニップ圧を演算し、この演算結果をメモリＭ１９に記憶する。ＣＰＵ１０は、ステップＰ１９７の処理が完了した後、ステップＰ１９８を実行する。
【０２６２】
ステップＰ１９８において、ＣＰＵ１０は、印刷ユニットＭの目標とするインキ着けローラ−凸版胴間のニップ圧より、目標とするインキ着けローラ−凸版胴間のニップ圧調整用モータ用ポテンショ・メータ２０に接続されたＡ／Ｄ変換器の出力を演算し、この演算結果をメモリＭ２０に記憶する。ＣＰＵ１０は、ステップＰ１９８の処理が完了した後、ステップＰ１９９を実行する。
【０２６３】
ステップＰ１９９において、ＣＰＵ１０は、印刷ユニットＭのインキ着けローラ−凸版胴間のニップ圧調整用モータ用ポテンショ・メータ２０に接続されたＡ／Ｄ変換器の出力を読み込み、メモリＭ４に記憶する。ＣＰＵ１０は、ステップＰ１９９の処理が完了した後、ステップＰ２００を実行する。
【０２６４】
ステップＰ２００において、ＣＰＵ１０は、メモリＭ４に記憶された印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しいか判断する。
【０２６５】
メモリＭ４に記憶された印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しい場合は、ステップＰ２０１からステップＰ２０９をとばしてステップＰ７８を実行する。
【０２６６】
また、メモリＭ４に記憶された印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しくない場合は、ステップＰ２０１を実行する。
【０２６７】
ステップＰ２０１において、ＣＰＵ１０は、メモリＭ４に記憶された印刷ユニットＭのインキ着けローラ−凸版胴間のニップ圧調整用モータ用ポテンショ・メータ２０に接続されたＡ／Ｄ変換器の出力より、メモリＭ２０に記憶された印刷ユニットＭの目標とするインキ着けローラ−凸版胴間のニップ圧調整用モータ用ポテンショ・メータ２０に接続されたＡ／Ｄ変換器の出力が大きいか判断する。
【０２６８】
メモリＭ４に記憶された印刷ユニットＭのインキ着けローラ−凸版胴間のニップ圧調整用モータ用ポテンショ・メータ２０に接続されたＡ／Ｄ変換器の出力より、メモリＭ２０に記憶された印刷ユニットＭの目標とするインキ着けローラ−凸版胴間のニップ圧調整用モータ用ポテンショ・メータ２０に接続されたＡ／Ｄ変換器の出力が大きい場合は、ステップＰ２０２を実行する。
【０２６９】
また、メモリＭ４に記憶された印刷ユニットＭのインキ着けローラ−凸版胴間のニップ圧調整用モータ用ポテンショ・メータ２０に接続されたＡ／Ｄ変換器の出力より、メモリＭ２０に記憶された印刷ユニットＭの目標とするインキ着けローラ−凸版胴間のニップ圧調整用モータ用ポテンショ・メータ２０に接続されたＡ／Ｄ変換器の出力が大きくない場合は、ステップＰ２０６を実行する。
【０２７０】
ステップＰ２０２において、ＣＰＵ１０は、印刷ユニットＭのインキ着けローラ−凸版胴間のニップ圧調整用モータ・ドライバ１９に正転指令を出力する。ＣＰＵ１０は、ステップＰ２０２の処理が完了した後、ステップＰ２０３を実行する。
【０２７１】
ステップＰ２０３において、ＣＰＵ１０は、印刷ユニットＭのインキ着けローラ−凸版胴間のニップ圧調整用モータ用ポテンショ・メータ２０に接続されたＡ／Ｄ変換器の出力を読み込み、メモリＭ４に記憶する。ＣＰＵ１０は、ステップＰ２０３の処理が完了した後、ステップＰ２０４を実行する。
【０２７２】
ステップＰ２０４において、ＣＰＵ１０は、メモリＭ４に記憶された印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しいか判断する。
【０２７３】
メモリＭ４に記憶された印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しい場合は、ステップＰ２０５を実行する。
【０２７４】
また、メモリＭ４に記憶された印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しくない場合は、ステップＰ２０３を実行する。
【０２７５】
ステップＰ２０５において、ＣＰＵ１０は、印刷ユニットＭのインキ着けローラ−凸版胴間のニップ圧調整用モータ・ドライバ１９への正転指令出力を停止する。ＣＰＵ１０は、ステップＰ２０５の処理が完了した後、ステップＰ７８を実行する。
【０２７６】
ステップＰ２０６において、ＣＰＵ１０は、印刷ユニットＭのインキ着けローラ−凸版胴間のニップ圧調整用モータ・ドライバ１９に逆転指令を出力する。ＣＰＵ１０は、ステップＰ２０６の処理が完了した後、ステップＰ２０７を実行する。
【０２７７】
ステップＰ２０７において、ＣＰＵ１０は、印刷ユニットＭのインキ着けローラ−凸版胴間のニップ圧調整用モータ用ポテンショ・メータ２０に接続されたＡ／Ｄ変換器の出力を読み込み、メモリＭ４に記憶する。ＣＰＵ１０は、ステップＰ２０７の処理が完了した後、ステップＰ２０８を実行する。
【０２７８】
ステップＰ２０８において、ＣＰＵ１０は、メモリＭ４に記憶され印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しいか判断する。
【０２７９】
メモリＭ４に記憶され印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しい場合は、ステップＰ２０９を実行する。
【０２８０】
また、メモリＭ４に記憶され印刷ユニットＭのインキ着けローラ−凸版胴間のニップ圧調整用モータ用ポテンショ・メータ２０に接続されたＡ／Ｄ変換器の出力と、メモリＭ２０に記憶された印刷ユニットＭの目標とするインキ着けローラ−凸版胴間のニップ圧調整用モータ用ポテンショ・メータ２０に接続されたＡ／Ｄ変換器の出力とが等しくない場合は、ステップＰ２０７を実行する。
【０２８１】
ステップＰ２０９において、ＣＰＵ１０は、印刷ユニットＭのインキ着けローラ−凸版胴間のニップ圧調整用モータ・ドライバ１９への逆転指令出力を停止する。ＣＰＵ１０は、ステップＰ２０９の処理が完了した後、ステップＰ７８を実行する。
【０２８２】
ステップＰ７８〜ステップＰ１０９における処理は第１の実施形態と同様であるため説明は省略する。
【０２８３】
ステップＰ１１０において、ＣＰＵ１０は、メモリＭ３に記憶されたカウント値ＭがメモリＭ１０に記憶された印刷ユニット総数Ｍｍａｘより大きいか判断する。ＣＰＵ１０は、メモリＭ３に記憶されたカウント値ＭがメモリＭ１０に記憶された印刷ユニット総数Ｍｍａｘより大きい場合、ステップＰ１１１を実行する。また、ＣＰＵ１０は、メモリＭ３に記憶されたカウント値ＭがメモリＭ１０に記憶された印刷ユニット総数Ｍｍａｘより大きくない場合、ステップＰ１８８を実行する。
【０２８４】
ステップＰ１１１において、ＣＰＵ１０は、入力装置１３に設けられた本刷り完了ボタンが、オペレータによりＯＮにされているか判断する。ＣＰＵ１０は、本刷り完了ボタンがＯＮになっている場合、ステップＰ１を実行する。また、ＣＰＵ１０は、本刷り完了ボタンがＯＮになっていない場合、ステップＰ１１４を実行する。
【０２８５】
〔第３の実施形態〕
本願発明の第３の実施形態に係る液体塗布機械の接触圧調整方法、及び、液体塗布機械の接触圧調整装置について説明する。なお、本実施形態に係る液体塗布機械の接触圧調整装置が適用される印刷機の構成については第１の実施形態と同様であるためここでの説明は省略する。
【０２８６】
次に、本願発明の第３の実施形態に係る液体塗布機械の接触圧調整装置について説明する。図１２（ａ）及び図１２（ｂ）は本願発明の第３の実施形態に係る液体塗布機械の接触圧調整装置のハードブロック図である。図１２（ａ）及び図１２（ｂ）に示すように、液体塗布機械の接触圧調整装置１は、ＣＰＵ１０、ＲＡＭ１１、ＲＯＭ１２、入力装置１３、表示器１４、出力装置(Ｆ・Ｄドライブ、プリンタ等)１５、Ｉ／Ｏ（入出力インターフェイス）１６，４０、印刷機基準位置回転検出器３８、印刷枚数用カウンタ３９を備えている。この印刷枚数用カウンタ３９は、例えは凸版胴１０１の回転軸に設置した印刷機基準位置回転検出器３８が印刷機で印刷物が１枚印刷される毎に発生する計数信号を計測することにより、印刷機の印刷開始からの印刷枚数を計測することができる。
【０２８７】
また、印刷ユニットＭは、インキ着けローラ１００−凸版胴１０１間のニップ圧調整用モータ１８、インキ着けローラ１００−凸版胴１０１間のニップ圧調整用モータ・ドライバ１９、インキ着けローラ１００−凸版胴１０１間のニップ圧調整用モータ用ポテンショ・メータ２０、凸版胴１０１−ゴム胴１０２間のニップ圧調整用モータ２１、凸版胴１０１−ゴム胴１０２間のニップ圧調整用モータ・ドライバ２２、凸版胴１０１−ゴム胴１０２間のニップ圧調整用モータ用ポテンショ・メータ２３、ゴム胴１０２−圧胴１０３間の印圧調整用モータ２４、ゴム胴１０２−圧胴１０３間の印圧調整用モータ・ドライバ２５、ゴム胴１０２−圧胴１０３間の印圧調整用モータ用ポテンショ・メータ２６、Ａ／Ｄ（アナログ／デジタル変換器）２８〜３０、Ｉ／Ｏ（入出力インターフェイス）３２〜３４を備えている。
【０２８８】
本実施形態に係る印刷機においては、４色のインキを用いるため、１色目（例えば、スミ）の印刷ユニット２、２色目（例えば、アイ）の印刷ユニット３、３色目（例えば、アカ）の印刷ユニット４、及び、４色目（例えば、キ）の印刷ユニット５にそれぞれインキ着けローラ１００−凸版胴１０１間のニップ圧調整用モータ１８、インキ着けローラ１００−凸版胴１０１間のニップ圧調整用モータ・ドライバ１９、インキ着けローラ１００−凸版胴１０１間のニップ圧調整用モータ用ポテンショ・メータ２０、凸版胴１０１−ゴム胴１０２間のニップ圧調整用モータ２１、凸版胴１０１−ゴム胴１０２間のニップ圧調整用モータ・ドライバ２２、凸版胴１０１−ゴム胴１０２間のニップ圧調整用モータ用ポテンショ・メータ２３、ゴム胴１０２−圧胴１０３間の印圧調整用モータ２４、ゴム胴１０２−圧胴１０３間の印圧調整用モータ・ドライバ２５、ゴム胴１０２−圧胴１０３間の印圧調整用モータ用ポテンショ・メータ２６、Ａ／Ｄ（アナログ／デジタル変換器）２８〜３０、Ｉ／Ｏ（入出力インターフェイス）３２〜３４を備えている。なお、本実施形態においては、４色のインキを用いたが、印刷ユニットの台数を増減して使用するインキ色数を増減することも可能である。
【０２８９】
さらに、接触圧調整装置１は、印刷ユニットＭのインキ色ＩＣｍ記憶用メモリＭ１、選択された印刷ユニット番号記憶用メモリＭ２、カウント値Ｍ記憶用メモリＭ３、インキ着けローラ１００−凸版胴１０１間のニップ圧調整用モータ用ポテンショ・メータ２０に接続されたＡ／Ｄ変換器の出力記憶用メモリＭ４、基準のインキ着けローラ１００−凸版胴１０１間のニップ圧記憶用メモリＭ５、凸版胴１０１−ゴム胴１０２間のニップ圧調整用モータ用ポテンショ・メータ２３に接続されたＡ／Ｄ変換器の出力記憶用メモリＭ６、基準の凸版胴１０１−ゴム胴１０２間のニップ圧記憶用メモリＭ７、ゴム胴１０２−圧胴１０３間の印圧調整用モータ用ポテンショ・メータ２６に接続されたＡ／Ｄ変換器の出力記憶用メモリＭ８、基準のゴム胴１０２−圧胴１０３間の印圧記憶用メモリＭ９、印刷ユニット総数Ｍｍａｘ記憶用メモリＭ１０、インキ着けローラ１００−凸版胴１０１間のニップ圧補正量記憶用メモリＭ１４、凸版胴１０１−ゴム胴１０２間のニップ圧補正量記憶用メモリＭ１６、ゴム胴１０２−圧胴１０３間の印圧補正量記憶用メモリＭ１８、目標とするインキ着けローラ１００−凸版胴１０１間のニップ圧記憶用メモリＭ１９、目標とするインキ着けローラ１００−凸版胴１０１間のニップ圧調整用モータ用ポテンショ・メータ２０に接続されたＡ／Ｄ変換器の出力記憶用メモリＭ２０、目標とする凸版胴１０１−ゴム胴１０２間のニップ圧記憶用メモリＭ２１、目標とする凸版胴１０１−ゴム胴１０２間のニップ圧調整用モータ用ポテンショ・メータ２３に接続されたＡ／Ｄ変換器の出力記憶用メモリＭ２２、目標とするゴム胴１０２−圧胴１０３間の印圧記憶用メモリＭ２３、目標とするゴム胴１０２−圧胴１０３間の印圧調整用モータ用ポテンショ・メータ２６に接続されたＡ／Ｄ変換器の出力記憶用メモリＭ２４、補正されたインキ着けローラ１００−凸版胴１０１間のニップ圧記憶用メモリＭ２７、補正された凸版胴１０１−ゴム胴１０２間のニップ圧記憶用メモリＭ３０、補正されたゴム胴１０２−圧胴１０３間の印圧記憶用メモリＭ３３、印刷枚数用カウンタ３９のカウント値記憶用メモリＭ３６、印刷枚数−インキ着けローラ１００と凸版胴１０１間のニップ圧補正量変換カーブ用データ・ベース記憶用メモリＭ３７、印刷枚数−インキ着けローラ１００と凸版胴１０１間のニップ圧補正量変換カーブ記憶用メモリＭ３８、印刷枚数−凸版胴１０１とゴム胴１０２間のニップ圧補正量変換カーブ用データ・ベース記憶用メモリＭ３９、印刷枚数−凸版胴１０１とゴム胴１０２間のニップ圧補正量変換カーブ記憶用メモリＭ４０、印刷枚数−ゴム胴１０２と圧胴１０３間の印圧補正量変換カーブ用データ・ベース記憶用メモリＭ４１、印刷枚数−ゴム胴１０２と圧胴１０３間の印圧補正量変換カーブ記憶用メモリＭ４２を備えている。
【０２９０】
ＣＰＵ１０は、Ｉ／Ｏ１６，３２〜３４，４０を介して与えられる各種入力情報を得て、ＲＡＭ１１やメモリＭ１〜Ｍ１０，Ｍ１４，Ｍ１６，Ｍ１８，Ｍ１９〜Ｍ２４，Ｍ２７，Ｍ３０，Ｍ３３，Ｍ３６〜Ｍ４２にアクセスしながら、ＲＯＭ１２に記憶されたプログラムに従って動作する。入力装置１３には、印刷ユニットＭのインキ色ＩＣｍ入力部、印刷ユニット選択スイッチ、インキ着けローラ１００−凸版胴１０１間のニップ圧調整選択スイッチ、圧調整完了スイッチ、アップ・ボタン、ダウン・ボタン、凸版胴１０１−ゴム胴１０２間のニップ圧調整選択スイッチ、ゴム胴１０２−圧胴１０３間の印圧調整選択スイッチ、本刷り開始ボタン、本刷り完了ボタン等の各種入力装置が設置されている。
【０２９１】
次に、本願発明の第３の実施形態に係る液体塗布機械の接触圧調整装置の動作について説明する。図１３（ａ）〜図１３（ｄ）、図１４（ａ）〜図１４（ｆ）、図１５（ａ）、図１５（ｂ）、及び、図１６（ａ）〜図１６（ｃ）は本願発明の第３の実施形態に係る液体塗布機械の接触圧調整装置１の動作フロー図である。以下、各ステップ毎に処理の内容について説明する。
【０２９２】
ステップＰ１〜ステップＰ４１における処理は第２の実施形態と同様であるため説明は省略する。
【０２９３】
ステップＰ４２において、ＣＰＵ１０は、入力装置１３に設けられた本刷り開始ボタンが、オペレータによりＯＮにされているか判断する。ＣＰＵ１０は、本刷り開始ボタンがＯＮになっている場合、ステップＰ２１０を実行する。また、ＣＰＵ１０は、本刷り開始ボタンがＯＮになっていない場合、ステップＰ２を実行する。
【０２９４】
ステップＰ２１０において、ＣＰＵ１０は、印刷枚数用カウンタ３９にリセット信号を出力する。ＣＰＵ１０は、ステップＰ２１０の処理が完了した後、ステップＰ２１１を実行する。
【０２９５】
ステップＰ２１１において、ＣＰＵ１０は、印刷枚数用カウンタ３９へのリセット信号の出力を停止する。ＣＰＵ１０は、ステップＰ２１１の処理が完了した後、ステップＰ４３を実行する。
【０２９６】
ステップＰ４３〜ステップＰ５２、ステップＰ１１４〜ステップＰ１１６における処理は第２の実施形態と同様であるため説明は省略する。
【０２９７】
ステップＰ１１７において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ１１８からステップＰ１２７をとばしてステップＰ２１２を実行する。また、ＣＰＵ１０は、圧調整完了スイッチがＯＮになっていない場合、ステップＰ１１８を実行する。
【０２９８】
ステップＰ１１８〜ステップＰ１２７における処理は第２の実施形態と同様であるため説明は省略する。
【０２９９】
ステップＰ２１２において、ＣＰＵ１０は、印刷枚数用カウンタ３９のカウント値を読み込み、メモリＭ３６に記憶する。ＣＰＵ１０は、ステップＰ２１２の処理が完了した後、ステップＰ２１３を実行する。
【０３００】
ステップＰ２１３において、ＣＰＵ１０は、メモリＭ２に記憶された選択された印刷ユニット番号Ｍを読み込む。ＣＰＵ１０は、ステップＰ２１３の処理が完了した後、ステップＰ２１４を実行する。
【０３０１】
ステップＰ２１４において、ＣＰＵ１０は、選択された印刷ユニットＭのインキ着けローラ−凸版胴間のニップ圧調整用モータ用ポテンショ・メータ２０に接続されたＡ／Ｄ変換器の出力を読み込み、メモリＭ４に記憶する。ＣＰＵ１０は、ステップＰ２１４の処理が完了した後、ステップＰ２１５を実行する。
【０３０２】
ステップＰ２１５において、ＣＰＵ１０は、メモリＭ４に記憶された印刷ユニットＭのインキ着けローラ−凸版胴間のニップ圧調整用モータ用ポテンショ・メータ２０に接続されたＡ／Ｄ変換器の出力より、印刷ユニットＭの補正されたインキ着けローラ−凸版胴間のニップ圧を演算し、この演算結果をメモリＭ２７に記憶する。ＣＰＵ１０は、ステップＰ２１５の処理が完了した後、ステップＰ２１６を実行する。
【０３０３】
ステップＰ２１６において、ＣＰＵ１０は、メモリＭ５に記憶された印刷ユニットＭの基準のインキ着けローラ−凸版胴間のニップ圧を読み込む。ＣＰＵ１０は、ステップＰ２１６の処理が完了した後、ステップＰ２１７を実行する。
【０３０４】
ステップＰ２１７において、ＣＰＵ１０は、印刷ユニットＭの補正されたインキ着けローラ−凸版胴間のニップ圧より印刷ユニットＭの基準のインキ着けローラ−凸版胴間のニップ圧を減算し、印刷ユニットＭのインキ着けローラ−凸版胴間のニップ圧補正量を演算し、この演算結果をメモリＭ１４に記憶する。ＣＰＵ１０は、ステップＰ２１７の処理が完了した後、ステップＰ２１８を実行する。
【０３０５】
ステップＰ２１８において、ＣＰＵ１０は、メモリＭ２に記憶された選択された印刷ユニット番号Ｍを読み込む。ＣＰＵ１０は、ステップＰ２１８の処理が完了した後、ステップＰ２１９を実行する。
【０３０６】
ステップＰ２１９において、ＣＰＵ１０は、メモリＭ１に記憶された印刷ユニットＭのインキ色ＩＣｍを読み込む。ＣＰＵ１０は、ステップＰ２１９の処理が完了した後、ステップＰ２２０を実行する。
【０３０７】
ステップＰ２２０において、ＣＰＵ１０は、メモリＭ３７に記憶されたインキ色ＩＣｍの印刷枚数−インキ着けローラと凸版胴間のニップ圧補正量変換カーブ用データ・ベースに、印刷枚数に対応付けてインキ着けローラ−凸版胴間のニップ圧補正量を追加記憶する。ＣＰＵ１０は、ステップＰ２２０の処理が完了した後、ステップＰ２２１を実行する。
【０３０８】
ステップＰ２２１において、ＣＰＵ１０は、インキ色ＩＣｍの印刷枚数−インキ着けローラと凸版胴間のニップ圧補正量変換カーブ用データ・ベースより、最小二乗法を用いて、印刷枚数−インキ着けローラと凸版胴間のニップ圧補正量変換カーブを作成し、メモリＭ３８に上書きする。ＣＰＵ１０は、ステップＰ２２１の処理が完了した後、ステップＰ１３９を実行する。
【０３０９】
ステップＰ１３９において、ＣＰＵ１０は、入力装置１３に設けられた凸版胴−ゴム胴間のニップ圧調整選択スイッチが、オペレータによりＯＮにされているか判断する。ＣＰＵ１０は、凸版胴−ゴム胴間のニップ圧調整選択スイッチがＯＮになっている場合、ステップＰ１４０を実行する。また、ＣＰＵ１０は、凸版胴−ゴム胴間のニップ圧調整選択スイッチがＯＮになっていない場合、ステップＰ１４０からステップＰ１５０、ステップＰ２２２からステップＰ２３１をとばしてステップＰ１６２を実行する。
【０３１０】
ステップＰ１４０において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ１４１からステップＰ１５０をとばしてステップＰ２２２を実行する。また、ＣＰＵ１０は、圧調整完了スイッチがＯＮになっていない場合、ステップＰ１４１を実行する。
【０３１１】
ステップＰ１４１〜ステップＰ１５０における処理は第２の実施形態と同様であるため説明は省略する。
【０３１２】
ステップＰ２２２において、ＣＰＵ１０は、印刷枚数用カウンタ３９のカウント値を読み込み、メモリＭ３６に記憶する。ＣＰＵ１０は、ステップＰ２２２の処理が完了した後、ステップＰ２２３を実行する。
【０３１３】
ステップＰ２２３において、ＣＰＵ１０は、メモリＭ２に記憶された選択された印刷ユニット番号Ｍを読み込む。ＣＰＵ１０は、ステップＰ２２３の処理が完了した後、ステップＰ２２４を実行する。
【０３１４】
ステップＰ２２４において、ＣＰＵ１０は、選択された印刷ユニットＭの凸版胴−ゴム胴間のニップ圧調整用モータ用ポテンショ・メータ２３に接続されたＡ／Ｄ変換器の出力を読み込み、メモリＭ６に記憶する。ＣＰＵ１０は、ステップＰ２２４の処理が完了した後、ステップＰ２２５を実行する。
【０３１５】
ステップＰ２２５において、ＣＰＵ１０は、メモリＭ６に記憶された印刷ユニットＭの凸版胴−ゴム胴間のニップ圧調整用モータ用ポテンショ・メータ２３に接続されたＡ／Ｄ変換器の出力より、印刷ユニットＭの補正された凸版胴−ゴム胴間のニップ圧を演算し、この演算結果をメモリＭ３０に記憶する。ＣＰＵ１０は、ステップＰ２２５の処理が完了した後、ステップＰ２２６を実行する。
【０３１６】
ステップＰ２２６において、ＣＰＵ１０は、メモリＭ７に記憶された印刷ユニットＭの基準の凸版胴−ゴム胴間のニップ圧を読み込む。ＣＰＵ１０は、ステップＰ２２６の処理が完了した後、ステップＰ２２７を実行する。
【０３１７】
ステップＰ２２７において、ＣＰＵ１０は、印刷ユニットＭの補正された凸版胴−ゴム胴間のニップ圧より印刷ユニットＭの基準の凸版胴−ゴム胴間のニップ圧を減算し、印刷ユニットＭの凸版胴−ゴム胴間のニップ圧補正量を演算し、この演算結果をメモリＭ１６に記憶する。ＣＰＵ１０は、ステップＰ２２７の処理が完了した後、ステップＰ２２８を実行する。
【０３１８】
ステップＰ２２８において、ＣＰＵ１０は、メモリＭ２に記憶された選択された印刷ユニット番号Ｍを読み込む。ＣＰＵ１０は、ステップＰ２２８の処理が完了した後、ステップＰ２２９を実行する。
【０３１９】
ステップＰ２２９において、ＣＰＵ１０は、メモリＭ１に記憶された印刷ユニットＭのインキ色ＩＣｍを読み込む。ＣＰＵ１０は、ステップＰ２２９の処理が完了した後、ステップＰ２３０を実行する。
【０３２０】
ステップＰ２３０において、ＣＰＵ１０は、メモリＭ３９に記憶されたインキ色ＩＣｍの印刷枚数−凸版胴とゴム胴間のニップ圧補正量変換カーブ用データ・ベースに、印刷枚数に対応付けて凸版胴−ゴム胴間のニップ圧補正量を追加記憶する。ＣＰＵ１０は、ステップＰ２３０の処理が完了した後、ステップＰ２３１を実行する。
【０３２１】
ステップＰ２３１において、ＣＰＵ１０は、インキ色ＩＣｍの印刷枚数−凸版胴とゴム胴間のニップ圧補正量変換カーブ用データ・ベースより、最小二乗法を用いて、印刷枚数−凸版胴とゴム胴間のニップ圧補正量変換カーブを作成し、メモリＭ４０に上書きする。ＣＰＵ１０は、ステップＰ２３１の処理が完了した後、ステップＰ１６２を実行する。
【０３２２】
ステップＰ１６２において、ＣＰＵ１０は、入力装置１３に設けられたゴム胴−圧胴間の印圧調整選択スイッチが、オペレータによりＯＮにされているか判断する。ＣＰＵ１０は、ゴム胴−圧胴間の印圧調整選択スイッチがＯＮになっている場合、ステップＰ１６３を実行する。また、ＣＰＵ１０は、ゴム胴−圧胴間の印圧調整選択スイッチがＯＮになっていない場合、ステップＰ１６３からステップＰ１７３，ステップＰ２３２からステップＰ２４１をとばしてステップＰ２４２を実行する。
【０３２３】
ステップＰ１６３において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ１６４からステップＰ１７３をとばしてステップＰ２３２を実行する。また、ＣＰＵ１０は、圧調整完了スイッチがＯＮになっていない場合、ステップＰ１６４を実行する。
【０３２４】
ステップＰ１６４〜ステップＰ１７３における処理は第２の実施形態と同様であるため説明は省略する。
【０３２５】
ステップＰ２３２において、ＣＰＵ１０は、印刷枚数用カウンタ３９のカウント値を読み込み、メモリＭ３６に記憶する。ＣＰＵ１０は、ステップＰ２３２の処理が完了した後、ステップＰ２３３を実行する。
【０３２６】
ステップＰ２３３において、ＣＰＵ１０は、メモリＭ２に記憶された選択された印刷ユニット番号Ｍを読み込む。ＣＰＵ１０は、ステップＰ２３３の処理が完了した後、ステップＰ２３４を実行する。
【０３２７】
ステップＰ２３４において、ＣＰＵ１０は、選択された印刷ユニットＭのゴム胴−圧胴間の印圧調整用モータ用ポテンショ・メータ２６に接続されたＡ／Ｄ変換器の出力を読み込み、メモリＭ８に記憶する。ＣＰＵ１０は、ステップＰ２３４の処理が完了した後、ステップＰ２３５を実行する。
【０３２８】
ステップＰ２３５において、ＣＰＵ１０は、メモリＭ８に記憶された印刷ユニットＭのゴム胴−圧胴間の印圧調整用モータ用ポテンショ・メータ２６に接続されたＡ／Ｄ変換器の出力より、印刷ユニットＭの補正されたゴム胴−圧胴間の印圧を演算し、この演算結果をメモリＭ３３に記憶する。ＣＰＵ１０は、ステップＰ２３５の処理が完了した後、ステップＰ２３６を実行する。
【０３２９】
ステップＰ２３６において、ＣＰＵ１０は、メモリＭ９に記憶された印刷ユニットＭの基準のゴム胴−圧胴間の印圧を読み込む。ＣＰＵ１０は、ステップＰ２３６の処理が完了した後、ステップＰ２３７を実行する。
【０３３０】
ステップＰ２３７において、ＣＰＵ１０は、印刷ユニットＭの補正されたゴム胴−圧胴間の印圧より印刷ユニットＭの基準のゴム胴−圧胴間の印圧を減算し、印刷ユニットＭのゴム胴−圧胴間の印圧補正量を演算し、この演算結果をメモリＭ１８に記憶する。ＣＰＵ１０は、ステップＰ２３７の処理が完了した後、ステップＰ２３８を実行する。
【０３３１】
ステップＰ２３８において、ＣＰＵ１０は、メモリＭ２に記憶された選択された印刷ユニット番号Ｍを読み込む。ＣＰＵ１０は、ステップＰ２３８の処理が完了した後、ステップＰ２３９を実行する。
【０３３２】
ステップＰ２３９において、ＣＰＵ１０は、メモリＭ１に記憶された印刷ユニットＭのインキ色ＩＣｍを読み込む。ＣＰＵ１０は、ステップＰ２３９の処理が完了した後、ステップＰ２４０を実行する。
【０３３３】
ステップＰ２４０において、ＣＰＵ１０は、メモリＭ４１に記憶されたインキ色ＩＣｍの印刷枚数−ゴム胴と圧胴間の印圧補正量変換カーブ用データ・ベースに、印刷枚数に対応付けてゴム胴−圧胴間の印圧補正量を追加記憶する。ＣＰＵ１０は、ステップＰ２４０の処理が完了した後、ステップＰ２４１を実行する。
【０３３４】
ステップＰ２４１において、ＣＰＵ１０は、インキ色ＩＣｍの印刷枚数−ゴム胴と圧胴間の印圧補正量変換カーブ用データ・ベースより、最小二乗法を用いて、印刷枚数−ゴム胴と圧胴間の印圧補正量変換カーブを作成し、メモリＭ４２に上書きする。ＣＰＵ１０は、ステップＰ２４１の処理が完了した後、ステップＰ２４２を実行する。以上のステップにより、本刷り中に各印刷ユニットＭの各接触圧調整手段のどれかがオペレータによって手動で調整された場合、その調整された結果を考慮して調整された部分に対応するインキ色の印刷枚数−ニップ圧又は印圧変換カーブを書き換える。
【０３３５】
ステップＰ２４２において、ＣＰＵ１０は、印刷枚数用カウンタ３９のカウント値を読み込み、メモリＭ３６に記憶する。ＣＰＵ１０は、ステップＰ２４２の処理が完了した後、ステップＰ２４３を実行する。
【０３３６】
ステップＰ２４３において、ＣＰＵ１０は、メモリＭ３に記憶されたカウント値Ｍに１を加算し上書きする。ＣＰＵ１０は、ステップＰ２４３の処理が完了した後、ステップＰ２４４を実行する。
【０３３７】
ステップＰ２４４において、ＣＰＵ１０は、メモリＭ１に記憶された印刷ユニットＭのインキ色ＩＣｍを読み込む。ＣＰＵ１０は、ステップＰ２４４の処理が完了した後、ステップＰ２４５を実行する。
【０３３８】
ステップＰ２４５において、ＣＰＵ１０は、メモリＭ３８に記憶されたインキ色ＩＣｍの印刷枚数−インキ着けローラと凸版胴間のニップ圧補正量変換テーブルを読み込む。ＣＰＵ１０は、ステップＰ２４５の処理が完了した後、ステップＰ２４６を実行する。
【０３３９】
ステップＰ２４６において、ＣＰＵ１０は、インキ色ＩＣｍの印刷枚数−インキ着けローラと凸版胴間のニップ圧補正量変換テーブルを用いて、印刷枚数より、インキ着けローラ−凸版胴間のニップ圧補正量を求め、メモリＭ１４に記憶する。ＣＰＵ１０は、ステップＰ２４６の処理が完了した後、ステップＰ２４７を実行する。
【０３４０】
ステップＰ２４７において、ＣＰＵ１０は、メモリＭ４０に記憶されたインキ色ＩＣｍの印刷枚数−凸版胴とゴム胴間のニップ圧補正量変換テーブルを読み込む。ＣＰＵ１０は、ステップＰ２４７の処理が完了した後、ステップＰ２４８を実行する。
【０３４１】
ステップＰ２４８において、ＣＰＵ１０は、インキ色ＩＣｍの印刷枚数−凸版胴とゴム胴間のニップ圧補正量変換テーブルを用いて、印刷枚数より、凸版胴−ゴム胴間のニップ圧補正量を求め、メモリＭ１６に記憶する。ＣＰＵ１０は、ステップＰ２４８の処理が完了した後、ステップＰ２４９を実行する。
【０３４２】
ステップＰ２４９において、ＣＰＵ１０は、メモリＭ４２に記憶されたインキ色ＩＣｍの印刷枚数−ゴム胴と圧胴間の印圧補正量変換テーブルを読み込む。ＣＰＵ１０は、ステップＰ２４９の処理が完了した後、ステップＰ２５０を実行する。
【０３４３】
ステップＰ２５０において、ＣＰＵ１０は、インキ色ＩＣｍの印刷枚数−ゴム胴と圧胴間の印圧補正量変換テーブルを用いて、印刷枚数より、ゴム胴−圧胴間の印圧補正量を求め、メモリＭ１８に記憶する。ＣＰＵ１０は、ステップＰ２５０の処理が完了した後、ステップＰ１９５を実行する。  
ステップＰ１９５〜ステップＰ２０９，ステップＰ７８〜ステップＰ１０９における処理は第２の実施形態と同様であるため説明は省略する。
【０３４４】
ステップＰ１１０において、ＣＰＵ１０は、メモリＭ３に記憶されたカウント値ＭがメモリＭ１０に記憶された印刷ユニット総数Ｍｍａｘより大きいか判断する。ＣＰＵ１０は、メモリＭ３に記憶されたカウント値ＭがメモリＭ１０に記憶された印刷ユニット総数Ｍｍａｘより大きい場合、ステップＰ１１１を実行する。また、ＣＰＵ１０は、メモリＭ３に記憶されたカウント値ＭがメモリＭ１０に記憶された印刷ユニット総数Ｍｍａｘより大きくない場合、ステップＰ２４４を実行する。
【０３４５】
ステップＰ１１１において、ＣＰＵ１０は、入力装置１３に設けられた本刷り完了ボタンが、オペレータによりＯＮにされているか判断する。ＣＰＵ１０は、本刷り完了ボタンがＯＮになっている場合、ステップＰ１を実行する。また、ＣＰＵ１０は、本刷り完了ボタンがＯＮになっていない場合、ステップＰ１１４を実行する。
【０３４６】
〔第４の実施形態〕
本願発明の第４の実施形態に係る液体塗布機械の接触圧調整方法、及び、液体塗布機械の接触圧調整装置について説明する。図１７は本願発明の第４の実施形態に係る液体塗布機械の接触圧調整装置が適用される印刷機内部の模式図である。図１７に示すように、本実施形態に係る印刷機には、各印刷ユニットＭごとに、インキを版の画線部にムラなく着けるインキ着けローラ１００と、インキ着けローラ１００と接する版上の突出部が画線部となる凸版胴１０１と、凸版胴１０１と接する版面の画線部のインキが移されるゴム胴１０２と、ゴム胴１０２と接する印刷物に印圧を加える圧胴１０３とを備えている。
【０３４７】
インキ着けローラ１００には、インキ着けローラ１００と凸版胴１０１との間のニップ圧を検出するためにインキ着けローラ１００−版胴間のニップ圧調整位置表示用ポテンショ・メータ２０’が設置されている。凸版胴１０１には、凸版胴１０１とゴム胴１０２との間のニップ圧を検出するために版胴−ゴム胴１０２間のニップ圧調整位置表示用ポテンショ・メータ２３’が設置されている。ゴム胴１０２には、ゴム胴１０２と圧胴１０３との間の印圧を検出するためにゴム胴１０２−圧胴１０３間の印圧調整位置表示用ポテンショ・メータ２６’が設置されている。
【０３４８】
次に、本願発明の第４の実施形態に係る液体塗布機械の接触圧調整装置について説明する。図１８（ａ）及び図１８（ｂ）は本願発明の第４の実施形態に係る液体塗布機械の接触圧調整装置のハードブロック図である。図１８（ａ）及び図１８（ｂ）に示すように、接触圧調整装置１は、ＣＰＵ１０、ＲＡＭ１１、ＲＯＭ１２、入力装置１３、表示器１４、出力装置(Ｆ・Ｄドライブ、プリンタ等)１５、Ｉ／Ｏ（入出力インターフェイス）１６を備えている。
【０３４９】
また、印刷ユニットＭは、印刷機温度測定器１７、インキ着けローラ１００−凸版胴１０１間のニップ圧調整位置表示用ポテンショ・メータ２０’、凸版胴１０１−ゴム胴１０２間のニップ圧調整位置表示用ポテンショ・メータ２３’、ゴム胴１０２−圧胴１０３間の印圧調整位置表示用ポテンショ・メータ２６’、Ａ／Ｄ（アナログ／デジタル変換器）２７〜３０、Ｉ／Ｏ（入出力インターフェイス）３１〜３４を備えている。インキ着けローラ１００−凸版胴１０１間のニップ圧調整位置表示用ポテンショ・メータ２０’、凸版胴１０１−ゴム胴１０２間のニップ圧調整位置表示用ポテンショ・メータ２３’、ゴム胴１０２−圧胴１０３間の印圧調整位置表示用ポテンショ・メータ２６’から得られた各値は、表示器１４に表示される。なお、本実施形態においては、ニップ圧及び印圧の調整は、オペレータが表示器１４に表示された各ニップ圧及び印圧の値を確認しつつ手動により行う。
【０３５０】
本実施形態に係る印刷機においては、４色のインキを用いるため、１色目（例えば、スミ）の印刷ユニット２、２色目（例えば、アイ）の印刷ユニット３、３色目（例えば、アカ）の印刷ユニット４、及び、４色目（例えば、キ）の印刷ユニット５にそれぞれ印刷機温度測定器１７、インキ着けローラ１００−凸版胴１０１間のニップ圧調整位置表示用ポテンショ・メータ２０’、凸版胴１０１−ゴム胴１０２間のニップ圧調整位置表示用ポテンショ・メータ２３’、ゴム胴１０２−圧胴１０３間の印圧調整位置表示用ポテンショ・メータ２６’、Ａ／Ｄ（アナログ／デジタル変換器）２７〜３０、Ｉ／Ｏ（入出力インターフェイス）３１〜３４を備えている。なお、本実施形態においては、４色のインキを用いたが、印刷ユニットの台数を増減して使用するインキ色数を増減することも可能である。
【０３５１】
さらに、接触圧調整装置１は、印刷ユニットＭのインキ色ＩＣｍ記憶用メモリＭ１、カウント値Ｍ記憶用メモリＭ３、基準のインキ着けローラ１００−凸版胴１０１間のニップ圧記憶用メモリＭ５、基準の凸版胴１０１−ゴム胴１０２間のニップ圧記憶用メモリＭ７、基準のゴム胴１０２−圧胴１０３間の印圧記憶用メモリＭ９、印刷ユニット総数Ｍｍａｘ記憶用メモリＭ１０、印刷機温度測定器１７に接続されたＡ／Ｄ変換器の出力記憶用メモリＭ１１、印刷機温度記憶用メモリＭ１２、印刷機温度−インキ着けローラ１００と凸版胴１０１間のニップ圧補正量変換テーブル記憶用メモリＭ１３、インキ着けローラ１００−凸版胴１０１間のニップ圧補正量記憶用メモリＭ１４、印刷機温度−凸版胴１０１とゴム胴１０２間のニップ圧補正量変換テーブル記憶用メモリＭ１５、凸版胴１０１−ゴム胴１０２間のニップ圧補正量記憶用メモリＭ１６、印刷機温度−ゴム胴１０２と圧胴１０３間の印圧補正量変換テーブル記憶用メモリＭ１７、ゴム胴１０２−圧胴１０３間の印圧補正量記憶用メモリＭ１８、目標とするインキ着けローラ１００−凸版胴１０１間のニップ圧記憶用メモリＭ１９、目標とする凸版胴１０１−ゴム胴１０２間のニップ圧記憶用メモリＭ２１、目標とするゴム胴１０２−圧胴１０３間の印圧記憶用メモリＭ２３、インキ着けローラ１００−凸版胴１０１間のニップ圧調整位置表示用ポテンショ・メータに接続されたＡ／Ｄ変換器の出力記憶用メモリＭ４３、現在のインキ着けローラ１００−凸版胴１０１間のニップ圧記憶用メモリＭ４４、凸版胴１０１−ゴム胴１０２間のニップ圧調整位置表示用ポテンショ・メータに接続されたＡ／Ｄ変換器の出力記憶用メモリＭ４５、現在の凸版胴１０１−ゴム胴１０２間のニップ圧記憶用メモリＭ４６、ゴム胴１０２−圧胴１０３間の印圧調整位置表示用ポテンショ・メータに接続されたＡ／Ｄ変換器の出力記憶用メモリＭ４７、現在のゴム胴１０２−圧胴１０３間の印圧記憶用メモリＭ４８、インキ着けローラ１００−凸版胴１０１間のニップ圧誤差量記憶用メモリＭ４９、凸版胴１０１−ゴム胴１０２間のニップ圧誤差量記憶用メモリＭ５０、ゴム胴１０２−圧胴１０３間の印圧誤差量記憶用メモリＭ５１を備えている。
【０３５２】
ＣＰＵ１０は、Ｉ／Ｏ１６，３１〜３４を介して与えられる各種入力情報を得て、ＲＡＭ１１やメモリＭ１，Ｍ３，Ｍ５，Ｍ７，Ｍ９〜Ｍ１９，Ｍ２１，Ｍ２３，Ｍ４３〜Ｍ５１にアクセスしながら、ＲＯＭ１２に記憶されたプログラムに従って動作する。入力装置１３には、印刷ユニットＭのインキ色ＩＣｍの入力部、本刷り開始ボタン、本刷り完了ボタン等の各種入力装置が設置されている。
【０３５３】
次に、本願発明の第４の実施形態に係る液体塗布機械の接触圧調整装置の動作について説明する。図１９（ａ）、図１９（ｂ）、図２０（ａ）、及び、図２０（ｂ）は本願発明の第４の実施形態に係る液体塗布機械の接触圧調整装置１の動作フロー図である。以下、各ステップ毎に処理の内容について説明する。
【０３５４】
ステップＰ１において、ＣＰＵ１０は、各メモリを初期化する。ＣＰＵ１０は、ステップＰ１の処理が完了した後、ステップＰ２を実行する。
【０３５５】
ステップＰ２において、ＣＰＵ１０は、入力装置１３に設けられた印刷ユニットＭのインキ色ＩＣｍの入力部に、オペレータにより印刷ユニットＭのインキ色ＩＣｍが入力されているかを判断する。ＣＰＵ１０は、印刷ユニットＭのインキ色ＩＣｍが、オペレータにより入力されている場合、ステップＰ３を実行する。また、ＣＰＵ１０は、印刷ユニットＭのインキ色ＩＣｍが、オペレータにより入力されていない場合、ステップＰ２を再度実行する。
【０３５６】
ステップＰ３において、ＣＰＵ１０は、印刷ユニットＭのインキ色ＩＣｍを読み込み、メモリＭ１へ記憶する。ＣＰＵ１０は、ステップＰ３の処理が完了した後、ステップＰ２５１を実行する。
【０３５７】
ステップＰ２５１において、ＣＰＵ１０は、メモリＭ３に記憶されたカウント値Ｍに１を加算し上書きする。ＣＰＵ１０は、ステップＰ２５１の処理が完了した後、ステップＰ２５２を実行する。
【０３５８】
ステップＰ２５２において、ＣＰＵ１０は、印刷ユニットＭのインキ着けローラ−凸版胴間のニップ圧調整位置表示用ポテンショ・メータ２０’に接続されたＡ／Ｄ変換器の出力を読み込み、メモリＭ４３に記憶する。ＣＰＵ１０は、ステップＰ２５２の処理が完了した後、ステップＰ２５３を実行する。
【０３５９】
ステップＰ２５３において、ＣＰＵ１０は、印刷ユニットＭのインキ着けローラ−凸版胴間のニップ圧調整位置表示用ポテンショ・メータに接続されたＡ／Ｄ変換器の出力より、現在のインキ着けローラ−凸版胴間のニップ圧を演算し、この演算結果をメモリＭ４４に記憶し、さらに現在位置表示器に表示する。ＣＰＵ１０は、ステップＰ２５３の処理が完了した後、ステップＰ２５４を実行する。
【０３６０】
ステップＰ２５４において、ＣＰＵ１０は、印刷ユニットＭの凸版胴−ゴム胴間のニップ圧調整位置表示用ポテンショ・メータ２３’に接続されたＡ／Ｄ変換器の出力を読み込み、メモリＭ４５に記憶する。ＣＰＵ１０は、ステップＰ２５４の処理が完了した後、ステップＰ２５５を実行する。
【０３６１】
ステップＰ２５５において、ＣＰＵ１０は、印刷ユニットＭの凸版胴−ゴム胴間のニップ圧調整位置表示用ポテンショ・メータに接続されたＡ／Ｄ変換器の出力より、現在の凸版胴−ゴム胴間のニップ圧を演算し、この演算結果をメモリＭ４６に記憶し、さらに現在位置表示器に表示する。ＣＰＵ１０は、ステップＰ２５５の処理が完了した後、ステップＰ２５６を実行する。
【０３６２】
ステップＰ２５６において、ＣＰＵ１０は、印刷ユニットＭのゴム胴−圧胴間の印圧調整位置表示用ポテンショ・メータ２６’に接続されたＡ／Ｄ変換器の出力を読み込み、メモリＭ４７に記憶する。ＣＰＵ１０は、ステップＰ２５６の処理が完了した後、ステップＰ２５７を実行する。
【０３６３】
ステップＰ２５７において、ＣＰＵ１０は、印刷ユニットＭのゴム胴−圧胴間の印圧調整位置表示用ポテンショ・メータに接続されたＡ／Ｄ変換器の出力より、印刷ユニットＭの現在のゴム胴−圧胴間の印圧を演算し、この演算結果をメモリＭ４８に記憶し、さらに現在位置表示器に表示する。ＣＰＵ１０は、ステップＰ２５７の処理が完了した後、ステップＰ２５８を実行する。
【０３６４】
ステップＰ２５８において、ＣＰＵ１０は、メモリＭ３に記憶したカウント値Ｍに１を加算し上書きする。ＣＰＵ１０は、ステップＰ２５８の処理が完了した後、ステップＰ２５９を実行する。
【０３６５】
ステップＰ２５９において、ＣＰＵ１０は、メモリＭ１０から印刷ユニット総数Ｍｍａｘを読み込む。ＣＰＵ１０は、ステップＰ２５９の処理が完了した後、ステップＰ２６０を実行する。
【０３６６】
ステップＰ２６０において、ＣＰＵ１０は、メモリＭ３に記憶されたカウント値ＭがメモリＭ１０に記憶された印刷ユニット総数Ｍｍａｘより大きいか判断する。ＣＰＵ１０は、メモリＭ３に記憶されたカウント値ＭがメモリＭ１０に記憶された印刷ユニット総数Ｍｍａｘより大きい場合、ステップＰ４２を実行する。また、ＣＰＵ１０は、メモリＭ３に記憶されたカウント値ＭがメモリＭ１０に記憶された印刷ユニット総数Ｍｍａｘより大きくない場合、ステップＰ２５２を実行する。
【０３６７】
ステップＰ４２〜ステップＰ６１における処理は第１の実施形態と同様であるため説明は省略する。
【０３６８】
ステップＰ６２において、ＣＰＵ１０は、インキ色ＩＣｍの印刷機温度−ゴム胴と圧胴間の印圧補正量変換テーブルを用いて、印刷ユニットＭの印刷機温度より、ゴム胴−圧胴間の印圧補正量を求め、メモリＭ１８に記憶する。ＣＰＵ１０は、ステップＰ６２の処理が完了した後、ステップＰ２６１を実行する。
【０３６９】
ステップＰ２６１において、ＣＰＵ１０は、メモリＭ５に記憶された印刷ユニットＭの基準のインキ着けローラ−凸版胴間のニップ圧を読み込みむ。ＣＰＵ１０は、ステップＰ２６１の処理が完了した後、ステップＰ２６２を実行する。
【０３７０】
ステップＰ２６２において、ＣＰＵ１０は、メモリＭ１４に記憶された印刷ユニットＭのインキ着けローラ−凸版胴間のニップ圧補正量を読み込む。ＣＰＵ１０は、ステップＰ２６２の処理が完了した後、ステップＰ２６３を実行する。
【０３７１】
ステップＰ２６３において、ＣＰＵ１０は、印刷ユニットＭの基準のインキ着けローラ−凸版胴間のニップ圧に印刷ユニットＭのインキ着けローラ−凸版胴間のニップ圧補正量を加算し、目標とするインキ着けローラ−凸版胴間のニップ圧を演算し、演算結果をメモリＭ１９に記憶する。ＣＰＵ１０は、ステップＰ２６３の処理が完了した後、ステップＰ２６４を実行する。
【０３７２】
ステップＰ２６４において、ＣＰＵ１０は、印刷ユニットＭのインキ着けローラ−凸版胴間のニップ圧調整位置表示用ポテンショ・メータ２０’に接続されたＡ／Ｄ変換器の出力を読み込み、メモリＭ４３に記憶する。ＣＰＵ１０は、ステップＰ２６４の処理が完了した後、ステップＰ２６５を実行する。
【０３７３】
ステップＰ２６５において、ＣＰＵ１０は、印刷ユニットＭのインキ着けローラ−凸版胴間のニップ圧調整位置表示用ポテンショ・メータに接続されたＡ／Ｄ変換器の出力より、現在のインキ着けローラ−凸版胴間のニップ圧を演算し、この演算結果をメモリＭ４４に記憶し、さらに現在位置表示器に表示する。ＣＰＵ１０は、ステップＰ２６５の処理が完了した後、ステップＰ２６６を実行する。
【０３７４】
ステップＰ２６６において、ＣＰＵ１０は、メモリＭ１９に記憶された印刷ユニットＭの目標とするインキ着けローラ−凸版胴間のニップ圧を読み込む。ＣＰＵ１０は、ステップＰ２６６の処理が完了した後、ステップＰ２６７を実行する。
【０３７５】
ステップＰ２６７において、ＣＰＵ１０は、印刷ユニットＭの目標とするインキ着けローラ−凸版胴間のニップ圧より印刷ユニットＭの現在のインキ着けローラ−凸版胴間のニップ圧を減算し、インキ着けローラ−凸版胴間のニップ圧誤差量を演算し、この演算結果をメモリＭ４９に記憶し、さらに誤差量表示器に表示する。
【０３７６】
ステップＰ２６８において、ＣＰＵ１０は、メモリＭ７に記憶された印刷ユニットＭの基準の凸版胴−ゴム胴間のニップ圧を読み込む。ＣＰＵ１０は、ステップＰ２６８の処理が完了した後、ステップＰ２６９を実行する。
【０３７７】
ステップＰ２６９において、ＣＰＵ１０は、メモリＭ１６に記憶された印刷ユニットＭの凸版胴−ゴム胴間のニップ圧補正量を読み込む。ＣＰＵ１０は、ステップＰ２６９の処理が完了した後、ステップＰ２７０を実行する。
【０３７８】
ステップＰ２７０において、ＣＰＵ１０は、印刷ユニットＭの基準の凸版胴−ゴム胴間のニップ圧に印刷ユニットＭの凸版胴−ゴム胴間のニップ圧補正量を加算し、目標とする凸版胴−ゴム胴間のニップ圧を演算し、この演算結果をメモリＭ２１に記憶する。ＣＰＵ１０は、ステップＰ２７０の処理が完了した後、ステップＰ２７１を実行する。
【０３７９】
ステップＰ２７１において、ＣＰＵ１０は、印刷ユニットＭの凸版胴−ゴム胴間のニップ圧調整位置表示用ポテンショ・メータに接続されたＡ／Ｄ変換器の出力を読み込み、メモリＭ４５に記憶する。ＣＰＵ１０は、ステップＰ２７１の処理が完了した後、ステップＰ２７２を実行する。
【０３８０】
ステップＰ２７２において、ＣＰＵ１０は、印刷ユニットＭの凸版胴−ゴム胴間のニップ圧調整位置表示用ポテンショ・メータに接続されたＡ／Ｄ変換器の出力より、印刷ユニットＭの現在の凸版胴−ゴム胴間のニップ圧を演算し、この演算結果をメモリＭ４６に記憶し、さらに現在位置表示器に表示する。
【０３８１】
ステップＰ２７３において、ＣＰＵ１０は、印刷ユニットＭの目標とする凸版胴−ゴム胴間のニップ圧を読み込む。ＣＰＵ１０は、ステップＰ２７３の処理が完了した後、ステップＰ２７４を実行する。
【０３８２】
ステップＰ２７４において、ＣＰＵ１０は、印刷ユニットＭの目標とする凸版胴−ゴム胴間のニップ圧より印刷ユニットＭの現在の凸版胴−ゴム胴間のニップ圧を減算し、凸版胴−ゴム胴間のニップ圧誤差量を演算し、この演算結果をメモリＭ５０に記憶し、さらに誤差量表示器に表示する。ＣＰＵ１０は、ステップＰ２７４の処理が完了した後、ステップＰ２７５を実行する。
【０３８３】
ステップＰ２７５において、ＣＰＵ１０は、メモリＭ９に記憶された印刷ユニットＭの基準のゴム胴−圧胴間の印圧を読み込む。ＣＰＵ１０は、ステップＰ２７５の処理が完了した後、ステップＰ２７６を実行する。
【０３８４】
ステップＰ２７６において、ＣＰＵ１０は、メモリＭ１８に記憶された印刷ユニットＭのゴム胴−圧胴間の印圧補正量を読み込む。ＣＰＵ１０は、ステップＰ２７６の処理が完了した後、ステップＰ２７７を実行する。
【０３８５】
ステップＰ２７７において、ＣＰＵ１０は、印刷ユニットＭの基準のゴム胴−圧胴間の印圧に印刷ユニットＭのゴム胴−圧胴間の印圧補正量を加算し、目標とするゴム胴−圧胴間の印圧を演算し、メモリＭ２３に記憶する。ＣＰＵ１０は、ステップＰ２７７の処理が完了した後、ステップＰ２７８を実行する。
【０３８６】
ステップＰ２７８において、ＣＰＵ１０は、印刷ユニットＭのゴム胴−圧胴間の印圧調整位置表示用ポテンショ・メータに接続されたＡ／Ｄ変換器の出力を読み込み、メモリＭ４７に記憶する。ＣＰＵ１０は、ステップＰ２７８の処理が完了した後、ステップＰ２７９を実行する。
【０３８７】
ステップＰ２７９において、ＣＰＵ１０は、印刷ユニットＭのゴム胴−圧胴間の印圧調整位置表示用ポテンショ・メータに接続されたＡ／Ｄ変換器の出力より、印刷ユニットＭの現在のゴム胴−圧胴間の印圧を演算し、メモリＭ４８に記憶し、さらに現在位置表示器に表示する。ＣＰＵ１０は、ステップＰ２７９の処理が完了した後、ステップＰ２８０を実行する。
【０３８８】
ステップＰ２８０において、ＣＰＵ１０は、印刷ユニットＭの目標とするゴム胴−圧胴間の印圧を読み込む。ＣＰＵ１０は、ステップＰ２８０の処理が完了した後、ステップＰ２８１を実行する。
【０３８９】
ステップＰ２８１において、ＣＰＵ１０は、印刷ユニットＭの目標とするゴム胴−圧胴間の印圧より印刷ユニットＭの現在のゴム胴−圧胴間の印圧を減算し、ゴム胴−圧胴間の印圧誤差量を演算し、メモリＭ５１に記憶し、さらに誤差量表示器に表示する。ＣＰＵ１０は、ステップＰ２８１の処理が完了した後、ステップＰ１０８を実行する。
【０３９０】
ステップＰ１０８〜ステップＰ１１１における処理は第１の実施形態と同様であるため説明は省略する。なお、この第４の実施形態においては、実際のニップ圧調整又は印圧調整は、オペレータが誤差量表示器の値と現在位置表示器の値を見ながら手動で行う。
【０３９１】
〔第５の実施の形態〕
本願発明の第５の実施形態に係る液体塗布機械の接触圧調整方法、及び、液体塗布機械の接触圧調整装置について説明する。図２１は本願発明の第５の実施形態に係る液体塗布機械の接触圧調整装置が適用される印刷機内部の模式図である。図２１に示すように、本実施形態に係る印刷機には、各インキ供給部Ｍごとに、インキを溜めておくインキ・ツボ（図示せず）からインキを導き出すインキ・ツボ・ローラ２００、インキ・ツボ・ローラ２００と接するインキを版の画線部にムラなく着けるインキ着けローラ２０１と、インキ着けローラ２０１と接する版上の突出部が画線部となるパターン・ローラ２０２と、パターン・ローラ２０２と接する版面の画線部のインキが移される集合胴であるゴム胴２０３と、ゴム胴２０３と接する凹版胴２０４と、凹版胴２０４と接する印刷物に印圧を加える圧胴２０５とを備えている。なお、本実施形態に係るニップ圧又は印圧を調整する接触圧調整手段は、第１の実施形態で説明した接触圧調整方法と同様である。
【０３９２】
インキ着けローラ２０１は、インキ・ツボ・ローラ２００とインキ着けローラ２０１との間のニップ圧を調整するためにインキ・ツボ・ローラ２００−インキ着けローラ２０１間のニップ圧調整用モータ４１が設置されている。インキ・ツボ・ローラ２００−インキ着けローラ２０１間のニップ圧調整用モータ４１は、インキ・ツボ・ローラ２００−インキ着けローラ２０１間のニップ圧調整用モータ・ドライバ４２により制御されている。また、インキ・ツボ・ローラ２００−インキ着けローラ２０１間のニップ圧調整用モータ４１には、インキ・ツボ・ローラ２００とインキ着けローラ２０１との間のニップ圧を検出するためにインキ・ツボ・ローラ２００−インキ着けローラ２０１間のニップ圧調整用モータ用ポテンショ・メータ４３が設置されている。
【０３９３】
また、インキ着けローラ２０１には、インキ着けローラ２０１とパターン・ローラ２０２との間のニップ圧を調整するためにインキ着けローラ２０１−パターン・ローラ２０２間のニップ圧調整用モータ４４が設置されている。インキ着けローラ２０１−パターン・ローラ２０２間のニップ圧調整用モータ４４は、インキ着けローラ２０１−パターン・ローラ２０２間のニップ圧調整用モータ・ドライバ４５により制御されている。また、インキ着けローラ２０１−パターン・ローラ２０２間のニップ圧調整用モータ４４には、インキ着けローラ２０１とパターン・ローラ２０２との間のニップ圧を検出するためにインキ着けローラ２０１−パターン・ローラ２０２間のニップ圧調整用モータ用ポテンショ・メータ４６が設置されている。
【０３９４】
パターン・ローラ２０２は、パターン・ローラ２０２とゴム胴２０３との間のニップ圧を調整するためにパターン・ローラ２０２−ゴム胴２０３間のニップ圧調整用モータ４７が設置されている。パターン・ローラ２０２−ゴム胴２０３間のニップ圧調整用モータ４７は、パターン・ローラ２０２−ゴム胴２０３間のニップ圧調整用モータ・ドライバ４８により制御されている。また、パターン・ローラ２０２−ゴム胴２０３間のニップ圧調整用モータ４７には、パターン・ローラ２０２とゴム胴２０３との間のニップ圧を検出するためにパターン・ローラ２０２−ゴム胴２０３間のニップ圧調整用モータ用ポテンショ・メータ４９が設置されている。
【０３９５】
ゴム胴２０３は、ゴム胴２０３と凹版胴２０４との間のニップ圧を調整するためにゴム胴２０３−凹版胴２０４間のニップ圧調整用モータ５０が設置されている。ゴム胴２０３−凹版胴２０４間のニップ圧調整用モータ５０は、ゴム胴２０３−凹版胴２０４間のニップ圧調整用モータ・ドライバ５１により制御されている。また、ゴム胴２０３−凹版胴２０４間のニップ圧調整用モータ５０には、ゴム胴２０３と凹版胴２０４との間のニップ圧を検出するためにゴム胴２０３−凹版胴２０４間のニップ圧調整用モータ用ポテンショ・メータ５２が設置されている。
【０３９６】
圧胴２０５は、凹版胴２０４と圧胴２０５との間の印圧を調整するために凹版胴２０４−圧胴２０５間の印圧調整用モータ５３が設置されている。凹版胴２０４−圧胴２０５間の印圧調整用モータ５３は、凹版胴２０４−圧胴２０５間の印圧調整用モータ・ドライバ５４により制御されている。また、凹版胴２０４−圧胴２０５間の印圧調整用モータ５３には、凹版胴２０４と圧胴２０５との間の印圧を検出するために凹版胴２０４−圧胴２０５間の印圧調整用モータ用ポテンショ・メータ５５が設置されている。
【０３９７】
次に、本願発明の第５の実施形態に係る液体塗布機械の接触圧調整装置について説明する。図２２（ａ）及び図２２（ｂ）は本願発明の第５の実施形態に係る液体塗布機械の接触圧調整装置のハードブロック図である。図２２（ａ）及び図２２（ｂ）に示すように、接触圧調整装置１は、ＣＰＵ１０、ＲＡＭ１１、ＲＯＭ１２、入力装置１３、表示器１４、出力装置(Ｆ・Ｄドライブ、プリンタ等)１５、Ｉ／Ｏ（入出力インターフェイス）１６を備えている。
【０３９８】
また、インキ供給部Ｍは、印刷機温度測定器１７、インキ・ツボ・ローラ２００−インキ着けローラ２０１間のニップ圧調整用モータ４１、インキ・ツボ・ローラ２００−インキ着けローラ２０１間のニップ圧調整用モータ・ドライバ４２、インキ・ツボ・ローラ２００−インキ着けローラ２０１間のニップ圧調整用モータ用ポテンショ・メータ４３、インキ着けローラ２０１−パターン・ローラ２０２間のニップ圧調整用モータ４４、インキ着けローラ２０１−パターン・ローラ２０２間のニップ圧調整用モータ・ドライバ４５、インキ着けローラ２０１−パターン・ローラ２０２間のニップ圧調整用モータ用ポテンショ・メータ４６、パターン・ローラ２０２−ゴム胴２０３間のニップ圧調整用モータ４７、パターン・ローラ２０２−ゴム胴２０３間のニップ圧調整用モータ・ドライバ４８、パターン・ローラ２０２−ゴム胴２０３間のニップ圧調整用モータ用ポテンショ・メータ４９、Ａ／Ｄ（アナログ／デジタル変換器）２７〜３０、Ｉ／Ｏ（入出力インターフェイス）３１〜３４を備えている。
【０３９９】
本実施形態に係る印刷機においては、４色のインキを用いるため、１色目（例えば、スミ）のインキ供給部２’、２色目（例えば、アイ）のインキ供給部３’、３色目（例えば、アカ）のインキ供給部４’、及び、４色目（例えば、キ）のインキ供給部５’にそれぞれ印刷機温度測定器１７、インキ・ツボ・ローラ２００−インキ着けローラ２０１間のニップ圧調整用モータ４１、インキ・ツボ・ローラ２００−インキ着けローラ２０１間のニップ圧調整用モータ・ドライバ４２、インキ・ツボ・ローラ２００−インキ着けローラ２０１間のニップ圧調整用モータ用ポテンショ・メータ４３、インキ着けローラ２０１−パターン・ローラ２０２間のニップ圧調整用モータ４４、インキ着けローラ２０１−パターン・ローラ２０２間のニップ圧調整用モータ・ドライバ４５、インキ着けローラ２０１−パターン・ローラ２０２間のニップ圧調整用モータ用ポテンショ・メータ４６、パターン・ローラ２０２−ゴム胴２０３間のニップ圧調整用モータ４７、パターン・ローラ２０２−ゴム胴２０３間のニップ圧調整用モータ・ドライバ４８、パターン・ローラ２０２−ゴム胴２０３間のニップ圧調整用モータ用ポテンショ・メータ４９、Ａ／Ｄ（アナログ／デジタル変換器）２７〜３０、Ｉ／Ｏ（入出力インターフェイス）３１〜３４を備えている。なお、本実施形態においては、４色のインキを用いたが、インキ供給部の数を増減して使用するインキ色数を増減することも可能である。
【０４００】
また、接触圧調整装置１は、ゴム胴２０３−凹版胴２０４間のニップ圧調整用モータ５０、ゴム胴２０３−凹版胴２０４間のニップ圧調整用モータ・ドライバ５１、ゴム胴２０３−凹版胴２０４間のニップ圧調整用モータ用ポテンショ・メータ５２、凹版胴２０４−圧胴２０５間の印圧調整用モータ５３、凹版胴２０４−圧胴２０５間の印圧調整用モータ・ドライバ５４、凹版胴２０４−圧胴２０５間の印圧調整用モータ用ポテンショ・メータ５５、Ａ／Ｄ（アナログ／デジタル変換器）５６，５７、Ｉ／Ｏ（入出力インターフェイス）５８，５９を備えている。
【０４０１】
さらに、接触圧調整装置１は、インキ供給部Ｍのインキ色ＩＣｍ記憶用メモリＭ１、選択されたインキ供給部番号記憶用メモリＭ２、カウント値Ｍ記憶用メモリＭ３、インキ供給部総数Ｍｍａｘ記憶用メモリＭ１０、印刷機温度測定器に接続されたＡ／Ｄ変換器の出力記憶用メモリＭ１１、印刷機温度記憶用メモリＭ１２、インキ・ツボ・ローラ２００−インキ着けローラ２０１間のニップ圧調整用モータ用ポテンショ・メータ４３に接続されたＡ／Ｄ変換器の出力記憶用メモリＭ５２、基準のインキ・ツボ・ローラ２００−インキ着けローラ２０１間のニップ圧記憶用メモリＭ５３、インキ着けローラ２０１−パターン・ローラ２０２間のニップ圧調整用モータ用ポテンショ・メータ４６に接続されたＡ／Ｄ変換器の出力記憶用メモリＭ５４、基準のインキ着けローラ２０１−パターン・ローラ２０２間のニップ圧記憶用メモリＭ５５、パターン・ローラ２０２−ゴム胴２０３間のニップ圧調整用モータ用ポテンショ・メータ４９に接続されたＡ／Ｄ変換器の出力記憶用メモリＭ５６、基準のパターン・ローラ２０２−ゴム胴２０３間のニップ圧記憶用メモリＭ５７、ゴム胴２０３−凹版胴２０４間のニップ圧調整用モータ用ポテンショ・メータ５２に接続されたＡ／Ｄ変換器の出力記憶用メモリＭ５８、基準のゴム胴２０３−凹版胴２０４間のニップ圧記憶用メモリＭ５９、凹版胴２０４−圧胴２０５間の印圧調整用モータ用ポテンショ・メータ５５に接続されたＡ／Ｄ変換器の出力記憶用メモリＭ６０、基準の凹版胴２０４−圧胴２０５間の印圧記憶用メモリ６１、印刷機温度−インキ・ツボ・ローラ２００とインキ着けローラ２０１間のニップ圧補正量変換テーブル記憶用メモリＭ６２、インキ・ツボ・ローラ２００−インキ着けローラ２０１間のニップ圧補正量記憶用メモリＭ６３、印刷機温度−インキ着けローラ２０１とパターン・ローラ２０２間のニップ圧補正量変換テーブル記憶用メモリＭ６４、インキ着けローラ２０１−パターン・ローラ２０２間のニップ圧補正量記憶用メモリＭ６５、印刷機温度−パターン・ローラ２０２とゴム胴２０３間のニップ圧補正量変換テーブル記憶用メモリＭ６６、パターン・ローラ２０２−ゴム胴２０３間のニップ圧補正量記憶用メモリＭ６７、目標とするインキ・ツボ・ローラ２００−インキ着けローラ２０１間のニップ圧記憶用メモリＭ６８、目標とするインキ・ツボ・ローラ２００−インキ着けローラ２０１間のニップ圧調整用モータ用ポテンショ・メータ４３に接続されたＡ／Ｄ変換器の出力記憶用メモリＭ６９、目標とするインキ着けローラ２０１−パターン・ローラ２０２間のニップ圧記憶用メモリＭ７０、目標とするインキ着けローラ２０１−パターン・ローラ２０２間のニップ圧調整用モータ用ポテンショ・メータ４６に接続されたＡ／Ｄ変換器の出力記憶用メモリＭ７１、目標とするパターン・ローラ２０２−ゴム胴２０３間のニップ圧記憶用メモリＭ７２、目標とするパターン・ローラ２０２−ゴム胴２０３間のニップ圧調整用モータ用ポテンショ・メータ４９に接続されたＡ／Ｄ変換器の出力記憶用メモリＭ７３、印刷機温度の合計値記憶用メモリＭ７４、印刷機温度の平均値記憶用メモリＭ７５、印刷機温度の平均値−ゴム胴２０３と凹版胴２０４間のニップ圧補正量変換テーブル記憶用メモリＭ７６、ゴム胴２０３−凹版胴２０４間のニップ圧補正量記憶用メモリＭ７７、目標とするゴム胴２０３−凹版胴２０４間のニップ圧記憶用メモリＭ７８、目標とするゴム胴２０３−凹版胴２０４間のニップ圧調整用モータ用ポテンショ・メータ５２に接続されたＡ／Ｄ変換器の出力記憶用メモリＭ７９、印刷機温度の平均値−凹版胴２０４と圧胴２０５間の印圧補正量変換テーブル記憶用メモリＭ８０、凹版胴２０４−圧胴２０５間の印圧補正量記憶用メモリＭ８１、目標とする凹版胴２０４−圧胴２０５間の印圧記憶用メモリＭ８２、目標とする凹版胴２０４−圧胴２０５間の印圧調整用モータ用ポテンショ・メータ５５に接続されたＡ／Ｄ変換器の出力記憶用メモリＭ８３を備えている。
【０４０２】
ＣＰＵ１０は、Ｉ／Ｏ１６，３１〜３４，５８，５９を介して与えられる各種入力情報を得て、ＲＡＭ１１やメモリＭ１〜Ｍ３，Ｍ１０〜Ｍ１２，Ｍ５２〜Ｍ８３にアクセスしながら、ＲＯＭ１２に記憶されたプログラムに従って動作する。入力装置１３には、印刷ユニットＭのインキ色ＩＣｍ入力部、印刷ユニット選択スイッチ、インキ・ツボ・ローラ２００−インキ着けローラ２０１間のニップ圧調整選択スイッチ、圧調整完了スイッチ、アップ・ボタン、ダウン・ボタン、インキ着けローラ２０１−パターン・ローラ２０２間のニップ圧調整選択スイッチ、パターン・ローラ２０２−ゴム胴２０３間のニップ圧調整選択スイッチ、ゴム胴２０３−凹版胴２０４間のニップ圧調整選択スイッチ、凹版胴２０４−圧胴２０５間の印圧調整選択スイッチ、本刷り開始ボタン、本刷り完了ボタン等の各種入力装置が設置されている。
【０４０３】
次に、本願発明の第５の実施形態に係る液体塗布機械の接触圧調整装置の動作について説明する。図２３（ａ）〜図２３（ｅ）、図２４（ａ）〜図２４（ｃ）、図２５（ａ）〜図２５（ｃ）、及び、図２６（ａ）〜図２６（ｃ）は本願発明の第５の実施形態に係る液体塗布機械の接触圧調整装置１の動作フロー図である。以下、各ステップ毎に処理の内容について説明する。
【０４０４】
ステップＰ３００において、ＣＰＵ１０は、各メモリを初期化する。ＣＰＵ１０は、ステップＰ３００の処理が完了した後、ステップＰ３０１を実行する。
【０４０５】
ステップＰ３０１において、ＣＰＵ１０は、入力装置１３に設けられた印刷ユニットＭのインキ色ＩＣｍの入力部に、オペレータにより印刷ユニットＭのインキ色ＩＣｍが入力されているかを判断する。ＣＰＵ１０は、インキ供給部Ｍのインキ色ＩＣｍが、オペレータにより入力されている場合、ステップＰ３０２を実行する。また、ＣＰＵ１０は、インキ供給部Ｍのインキ色ＩＣｍが、オペレータにより入力されていない場合、ステップＰ３０２をとばしてステップＰ３０３を実行する。
【０４０６】
ステップＰ３０２において、ＣＰＵ１０は、インキ供給部Ｍのインキ色ＩＣｍを読み込み、メモリＭ１へ記憶する。ＣＰＵ１０は、ステップＰ３０２の処理が完了した後、ステップＰ３０３を実行する。
【０４０７】
ステップＰ３０３において、ＣＰＵ１０は、入力装置１３に設けられたインキ供給部選択スイッチが、オペレータによりＯＮにされているか判断する。ＣＰＵ１０は、インキ供給部選択スイッチがＯＮになっている場合、ステップＰ３０４を実行する。また、ＣＰＵ１０は、インキ供給部選択スイッチがＯＮになっていない場合、ステップＰ３０４をとばしてステップＰ３０５を実行する。
【０４０８】
ステップＰ３０４において、ＣＰＵ１０は、選択されたインキ供給部番号ＭをメモリＭ２に記憶する。ＣＰＵ１０は、ステップＰ３０４の処理が完了した後、ステップＰ３０５を実行する。
【０４０９】
ステップＰ３０５において、ＣＰＵ１０は、入力装置１３に設けられたインキ・ツボ・ローラ−インキ着けローラ間のニップ圧調整選択スイッチが、オペレータによりＯＮにされているか判断する。ＣＰＵ１０は、インキ・ツボ・ローラ−インキ着けローラ間のニップ圧調整選択スイッチがＯＮになっている場合、ステップＰ３０６を実行する。また、ＣＰＵ１０は、インキ・ツボ・ローラ−インキ着けローラ間のニップ圧調整選択スイッチがＯＮになっていない場合、ステップＰ３０６からステップＰ３１６をとばしてステップＰ３１７を実行する。
【０４１０】
ステップＰ３０６において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ３０７からステップＰ３１６をとばしてステップＰ３１７を実行する。また、ＣＰＵ１０は、圧調整完了スイッチがＯＮになっていない場合、ステップＰ３０７を実行する。
【０４１１】
ステップＰ３０７において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ３０８を実行する。また、ＣＰＵ１０は、アップ・ボタンがＯＮになっていない場合、ステップＰ３０８からステップＰ３１１をとばしてステップＰ３１２を実行する。
【０４１２】
ステップＰ３０８において、ＣＰＵ１０は、メモリＭ２に記憶された選択されたインキ供給部番号Ｍを読み込む。ＣＰＵ１０は、ステップＰ３０８の処理が完了した後、ステップＰ３０９を実行する。
【０４１３】
ステップＰ３０９において、ＣＰＵ１０は、インキ供給部Ｍのインキ・ツボ・ローラ−インキ着けローラ間のニップ圧調整用モータ・ドライバ４２に正転指令を出力する。ＣＰＵ１０は、ステップＰ３０９の処理が完了した後、ステップＰ３１０を実行する。
【０４１４】
ステップＰ３１０において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ３１１を実行する。また、ＣＰＵ１０は、アップ・ボタンがＯＦＦになっていない場合、ステップＰ３１０を再度実行する。
【０４１５】
ステップＰ３１１において、ＣＰＵ１０は、インキ供給部Ｍのインキ・ツボ・ローラ−インキ着けローラ間のニップ圧調整用モータ・ドライバ４２への正転指令出力を停止する。ＣＰＵ１０は、ステップＰ３１１の処理が完了した後、ステップＰ３１２を実行する。
【０４１６】
ステップＰ３１２において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ３１３を実行する。また、ＣＰＵ１０は、ダウン・ボタンがＯＮになっていない場合、ステップＰ３０６を実行する。
【０４１７】
ステップＰ３１３において、ＣＰＵ１０は、メモリＭ２に記憶された選択されたインキ供給部番号Ｍを読み込む。ＣＰＵ１０は、ステップＰ３１３の処理が完了した後、ステップＰ３１４を実行する。
【０４１８】
ステップＰ３１４において、ＣＰＵ１０は、インキ供給部Ｍのインキ・ツボ・ローラ−インキ着けローラ間のニップ圧調整用モータ・ドライバ４２に逆転指令を出力する。ＣＰＵ１０は、ステップＰ３１４の処理が完了した後、ステップＰ３１５を実行する。
【０４１９】
ステップＰ３１５において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ３１６を実行する。また、ＣＰＵ１０は、ダウン・ボタンがＯＦＦになっていない場合、ステップＰ３１５を再度実行する。
【０４２０】
ステップＰ３１６において、ＣＰＵ１０は、インキ供給部Ｍのインキ・ツボ・ローラ−インキ着けローラ間のニップ圧調整用モータ・ドライバ４２への逆転指令出力を停止する。ＣＰＵ１０は、ステップＰ３１６の処理が完了した後、ステップＰ３０６を実行する。
【０４２１】
ステップＰ３１７において、ＣＰＵ１０は、入力装置１３に設けられたインキ着けローラ−パターン・ローラ間のニップ圧調整選択スイッチが、オペレータによりＯＮにされているか判断する。ＣＰＵ１０は、インキ着けローラ−パターン・ローラ間のニップ圧調整選択スイッチがＯＮになっている場合、ステップＰ３１８を実行する。また、ＣＰＵ１０は、インキ着けローラ−パターン・ローラ間のニップ圧調整選択スイッチがＯＮになっていない場合、ステップＰ３１８からステップＰ３２８をとばしてステップＰ３２９を実行する。
【０４２２】
ステップＰ３１８において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ３１９からステップＰ３２８をとばしてステップＰ３２９を実行する。また、ＣＰＵ１０は、圧調整完了スイッチがＯＮになっていない場合、ステップＰ３１９を実行する。
【０４２３】
ステップＰ３１９において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ３２０を実行する。また、ＣＰＵ１０は、アップ・ボタンがＯＮになっていない場合、ステップＰ３２０からステップＰ３２３をとばしてステップＰ３２４を実行する。
【０４２４】
ステップＰ３２０において、ＣＰＵ１０は、メモリＭ２から選択されたインキ供給部番号Ｍを読み込む。ＣＰＵ１０は、ステップＰ３２０の処理が完了した後、ステップＰ３２１を実行する。
【０４２５】
ステップＰ３２１において、ＣＰＵ１０は、インキ供給部Ｍのインキ着けローラ−パターン・ローラ間のニップ圧調整用モータ・ドライバ４５に正転指令を出力する。ＣＰＵ１０は、ステップＰ３２１の処理が完了した後、ステップＰ３２２を実行する。
【０４２６】
ステップＰ３２２において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ３２３を実行する。また、ＣＰＵ１０は、アップ・ボタンがＯＦＦになっていない場合、ステップＰ３２２を再度実行する。
【０４２７】
ステップＰ３２３において、ＣＰＵ１０は、インキ供給部Ｍのインキ着けローラ−パターン・ローラ間のニップ圧調整用モータ・ドライバ４５への正転指令出力を停止する。ＣＰＵ１０は、ステップＰ３２３の処理が完了した後、ステップＰ３２４を実行する。
【０４２８】
ステップＰ３２４において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ３２５を実行する。また、ＣＰＵ１０は、ダウン・ボタンがＯＮになっていない場合、ステップＰ３１８を実行する。
【０４２９】
ステップＰ３２５において、ＣＰＵ１０は、メモリＭ２から選択されたインキ供給部番号Ｍを読み込む。ＣＰＵ１０は、ステップＰ３２５の処理が完了した後、ステップＰ３２６を実行する。
【０４３０】
ステップＰ３２６において、ＣＰＵ１０は、インキ供給部Ｍのインキ着けローラ−パターン・ローラ間のニップ圧調整用モータ・ドライバ４５に逆転指令を出力する。ＣＰＵ１０は、ステップＰ３２６の処理が完了した後、ステップＰ３２７を実行する。
【０４３１】
ステップＰ３２７において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ３２８を実行する。また、ＣＰＵ１０は、ダウン・ボタンがＯＦＦになっていない場合、ステップＰ３２７を再度実行する。
【０４３２】
ステップＰ３２８において、ＣＰＵ１０は、インキ供給部Ｍのインキ着けローラ−パターン・ローラ間のニップ圧調整用モータ・ドライバ４５への逆転指令出力を停止する。ＣＰＵ１０は、ステップＰ３２８の処理が完了した後、ステップＰ３１８を実行する。
【０４３３】
ステップＰ３２９において、ＣＰＵ１０は、入力装置１３に設けられたパターン・ローラ−ゴム胴間のニップ圧調整選択スイッチが、オペレータによりＯＮにされているか判断する。ＣＰＵ１０は、パターン・ローラ−ゴム胴間のニップ圧調整選択スイッチがＯＮになっている場合、ステップＰ３３０を実行する。また、ＣＰＵ１０は、パターン・ローラ−ゴム胴間のニップ圧調整選択スイッチがＯＮになっていない場合、ステップＰ３３０からステップＰ３４０をとばしてステップＰ３４１を実行する。
【０４３４】
ステップＰ３３０において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ３３１からステップＰ３４０をとばしてステップＰ３４１を実行する。また、ＣＰＵ１０は、圧調整完了スイッチがＯＮになっていない場合、ステップＰ３３１を実行する。
【０４３５】
ステップＰ３３１において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ３３２を実行する。また、ＣＰＵ１０は、アップ・ボタンがＯＮになっていない場合、ステップＰ３３２からステップＰ３３５をとばしてステップＰ３３６を実行する。
【０４３６】
ステップＰ３３２において、ＣＰＵ１０は、メモリＭ２から選択されたインキ供給部番号Ｍを読み込む。ＣＰＵ１０は、ステップＰ３３２の処理が完了した後、ステップＰ３３３を実行する。
【０４３７】
ステップＰ３３３において、ＣＰＵ１０は、インキ供給部Ｍのパターン・ローラ−ゴム胴間のニップ圧調整用モータ・ドライバ４８に正転指令を出力する。ＣＰＵ１０は、ステップＰ３３３の処理が完了した後、ステップＰ３３４を実行する。
【０４３８】
ステップＰ３３４において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ３３５を実行する。また、ＣＰＵ１０は、アップ・ボタンがＯＦＦになっていない場合、ステップＰ３３４を再度実行する。
【０４３９】
ステップＰ３３５において、ＣＰＵ１０は、インキ供給部Ｍのパターン・ローラ−ゴム胴間のニップ圧調整用モータ・ドライバ４８への正転指令出力を停止する。ＣＰＵ１０は、ステップＰ３３５の処理が完了した後、ステップＰ３３６を実行する。
【０４４０】
ステップＰ３３６において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ３３７を実行する。また、ＣＰＵ１０は、ダウン・ボタンがＯＮになっていない場合、ステップＰ３３０を実行する。
【０４４１】
ステップＰ３３７において、ＣＰＵ１０は、メモリＭ２から選択されたインキ供給部番号Ｍを読み込む。ＣＰＵ１０は、ステップＰ３３７の処理が完了した後、ステップＰ３３８を実行する。
【０４４２】
ステップＰ３３８において、ＣＰＵ１０は、インキ供給部Ｍのパターン・ローラ−ゴム胴間のニップ圧調整用モータ・ドライバ４８に逆転指令を出力する。ＣＰＵ１０は、ステップＰ３３８の処理が完了した後、ステップＰ３３９を実行する。
【０４４３】
ステップＰ３３９において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ３４０を実行する。また、ＣＰＵ１０は、ダウン・ボタンがＯＦＦになっていない場合、ステップＰ３３９を再度実行する。
【０４４４】
ステップＰ３４０において、ＣＰＵ１０は、インキ供給部Ｍのパターン・ローラ−ゴム胴間のニップ圧調整用モータ・ドライバ４８への逆転指令出力を停止する。ＣＰＵ１０は、ステップＰ３４０の処理が完了した後、ステップＰ３３０を実行する。
【０４４５】
ステップＰ３４１において、ＣＰＵ１０は、入力装置１３に設けられたゴム胴−凹版胴間のニップ圧調整選択スイッチが、オペレータによりＯＮにされているか判断する。ＣＰＵ１０は、ゴム胴−凹版胴間のニップ圧調整選択スイッチがＯＮになっている場合、ステップＰ３４２を実行する。また、ＣＰＵ１０は、ゴム胴−凹版胴間のニップ圧調整選択スイッチがＯＮになっていない場合、ステップＰ３４２からステップＰ３５０をとばしてステップＰ３５１を実行する。
【０４４６】
ステップＰ３４２において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ３４３からステップＰ３５０をとばしてステップＰ３５１を実行する。また、ＣＰＵ１０は、圧調整完了スイッチがＯＮになっていない場合、ステップＰ３４３を実行する。
【０４４７】
ステップＰ３４３において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ３４４を実行する。また、ＣＰＵ１０は、アップ・ボタンがＯＮになっていない場合、ステップＰ３４４からステップＰ３４６をとばしてステップＰ３４７を実行する。
【０４４８】
ステップＰ３４４において、ＣＰＵ１０は、ゴム胴−凹版胴間のニップ圧調整用モータ・ドライバ５１に正転指令を出力する。ＣＰＵ１０は、ステップＰ３４４の処理が完了した後、ステップＰ３４５を実行する。
【０４４９】
ステップＰ３４５において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ３４６を実行する。また、ＣＰＵ１０は、アップ・ボタンがＯＦＦになっていない場合、ステップＰ３４５を再度実行する。
【０４５０】
ステップＰ３４６において、ＣＰＵ１０は、インキ供給部Ｍのゴム胴−凹版胴間のニップ圧調整用モータ・ドライバ５１への正転指令出力を停止する。ＣＰＵ１０は、ステップＰ３４６の処理が完了した後、ステップＰ３４７を実行する。
【０４５１】
ステップＰ３４７において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ３４８を実行する。また、ＣＰＵ１０は、ダウン・ボタンがＯＮになっていない場合、ステップＰ３４２を実行する。
【０４５２】
ステップＰ３４８において、ＣＰＵ１０は、ゴム胴−凹版胴間のニップ圧調整用モータ・ドライバ５１に逆転指令を出力する。ＣＰＵ１０は、ステップＰ３４８の処理が完了した後、ステップＰ３４９を実行する。
【０４５３】
ステップＰ３４９において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ３５０を実行する。また、ＣＰＵ１０は、ダウン・ボタンがＯＦＦになっていない場合、ステップＰ３４９を再度実行する。
【０４５４】
ステップＰ３５０において、ＣＰＵ１０は、ゴム胴−凹版胴間のニップ圧調整用モータ・ドライバ５１への逆転指令出力を停止する。ＣＰＵ１０は、ステップＰ３５０の処理が完了した後、ステップＰ３４２を実行する。
【０４５５】
ステップＰ３５１において、ＣＰＵ１０は、入力装置１３に設けられた凹版胴−圧胴間の印圧調整選択スイッチが、オペレータによりＯＮにされているか判断する。ＣＰＵ１０は、凹版胴−圧胴間の印圧調整選択スイッチがＯＮになっている場合、ステップＰ３５２を実行する。また、ＣＰＵ１０は、凹版胴−圧胴間の印圧調整選択スイッチがＯＮになっていない場合、ステップＰ３５２からステップＰ３６０をとばしてステップＰ３６１を実行する。
【０４５６】
ステップＰ３５２において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ３５３からステップＰ３６０をとばしてステップＰ３６１を実行する。また、ＣＰＵ１０は、圧調整完了スイッチがＯＮになっていない場合、ステップＰ３５３を実行する。
【０４５７】
ステップＰ３５３において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ３５４を実行する。また、ＣＰＵ１０は、アップ・ボタンがＯＮになっていない場合、ステップＰ３５４からステップＰ３５６をとばしてステップＰ３５７を実行する。
【０４５８】
ステップＰ３５４において、ＣＰＵ１０は、凹版胴−圧胴間の印圧調整用モータ・ドライバ５４に正転指令を出力する。ＣＰＵ１０は、ステップＰ３５４の処理が完了した後、ステップＰ３５５を実行する。
【０４５９】
ステップＰ３５５において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ３５６を実行する。また、ＣＰＵ１０は、アップ・ボタンがＯＦＦになっていない場合、ステップＰ３５５を再度実行する。
【０４６０】
ステップＰ３５６において、ＣＰＵ１０は、凹版胴−圧胴間の印圧調整用モータ・ドライバ５４への正転指令出力を停止する。ＣＰＵ１０は、ステップＰ３５６の処理が完了した後、ステップＰ３５７を実行する。
【０４６１】
ステップＰ３５７において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ３５８を実行する。また、ＣＰＵ１０は、ダウン・ボタンがＯＮになっていない場合、ステップＰ３５２を実行する。
【０４６２】
ステップＰ３５８において、ＣＰＵ１０は、凹版胴−圧胴間の印圧調整用モータ・ドライバ５４に逆転指令を出力する。ＣＰＵ１０は、ステップＰ３５８の処理が完了した後、ステップＰ３５９を実行する。
【０４６３】
ステップＰ３５９において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ３６０を実行する。また、ＣＰＵ１０は、ダウン・ボタンがＯＦＦになっていない場合、ステップＰ３５９を再度実行する。
【０４６４】
ステップＰ３６０において、ＣＰＵ１０は、凹版胴−圧胴間の印圧調整用モータ・ドライバ５４への逆転指令出力を停止する。ＣＰＵ１０は、ステップＰ３６０の処理が完了した後、ステップＰ３５２を実行する。以上のステップにより、オペレータのマニュアル操作による本刷り開始前の各インキ供給部Ｍの各接触圧調整手段の調整が行われる。
【０４６５】
ステップＰ３６１において、ＣＰＵ１０は、入力装置１３に設けられた本刷り開始ボタンが、オペレータによりＯＮにされているか判断する。ＣＰＵ１０は、本刷り開始ボタンがＯＮになっている場合、ステップＰ３６２を実行する。また、ＣＰＵ１０は、本刷り開始ボタンがＯＮになっていない場合、ステップＰ３０１を実行する。
【０４６６】
ステップＰ３６２において、ＣＰＵ１０は、メモリＭ３に記憶されたカウント値Ｍに１を書き込む。ＣＰＵ１０は、ステップＰ３６２の処理が完了した後、ステップＰ３６３を実行する。
【０４６７】
ステップＰ３６３において、ＣＰＵ１０は、インキ供給部Ｍのインキ・ツボ・ローラ−インキ着けローラ間のニップ圧調整用モータ用ポテンショ・メータ４３に接続されたＡ／Ｄ変換器の出力を読み込み、メモリＭ５２に記憶する。ＣＰＵ１０は、ステップＰ３６３の処理が完了した後、ステップＰ３６４を実行する。
【０４６８】
ステップＰ３６４において、ＣＰＵ１０は、インキ供給部Ｍのインキ・ツボ・ローラ−インキ着けローラ間のニップ圧調整用モータ用ポテンショ・メータ４３に接続されたＡ／Ｄ変換器の出力より、インキ供給部Ｍの基準のインキ・ツボ・ローラ−インキ着けローラ間のニップ圧を演算し、この演算結果をメモリＭ５３に記憶する。ＣＰＵ１０は、ステップＰ３６４の処理が完了した後、ステップＰ３６５を実行する。
【０４６９】
ステップＰ３６５において、ＣＰＵ１０は、インキ供給部Ｍのインキ着けローラ−パターン・ローラ間のニップ圧調整用モータ用ポテンショ・メータ４６に接続されたＡ／Ｄ変換器の出力を読み込み、メモリＭ５４に記憶する。ＣＰＵ１０は、ステップＰ３６５の処理が完了した後、ステップＰ３６６を実行する。
【０４７０】
ステップＰ３６６において、ＣＰＵ１０は、インキ供給部Ｍのインキ着けローラ−パターン・ローラ間のニップ圧調整用モータ用ポテンショ・メータ４６に接続されたＡ／Ｄ変換器の出力より、インキ供給部Ｍの基準のインキ着けローラ−パターン・ローラ間のニップ圧を演算し、この演算結果をメモリＭ５５に記憶する。ＣＰＵ１０は、ステップＰ３６６の処理が完了した後、ステップＰ３６７を実行する。
【０４７１】
ステップＰ３６７において、ＣＰＵ１０は、インキ供給部Ｍのパターン・ローラ−ゴム胴間のニップ圧調整用モータ用ポテンショ・メータ４９に接続されたＡ／Ｄ変換器の出力を読み込み、メモリＭ５６に記憶する。ＣＰＵ１０は、ステップＰ３６７の処理が完了した後、ステップＰ３６８を実行する。
【０４７２】
ステップＰ３６８において、ＣＰＵ１０は、インキ供給部Ｍのパターン・ローラ−ゴム胴間のニップ圧調整用モータ用ポテンショ・メータ４９に接続されたＡ／Ｄ変換器の出力より、インキ供給部Ｍの基準のパターン・ローラ−ゴム胴間のニップ圧を演算し、この演算結果をメモリＭ５７に記憶する。ＣＰＵ１０は、ステップＰ３６８の処理が完了した後、ステップＰ３６９を実行する。
【０４７３】
ステップＰ３６９において、ＣＰＵ１０は、メモリＭ３に記憶されたカウント値Ｍに１を加算し上書きする。ＣＰＵ１０は、ステップＰ３６９の処理が完了した後、ステップＰ３７０を実行する。
【０４７４】
ステップＰ３７０において、ＣＰＵ１０は、メモリＭ１０に記憶されたインキ供給部総数Ｍｍａｘを読み込む。ＣＰＵ１０は、ステップＰ３７０の処理が完了した後、ステップＰ３７１を実行する。
【０４７５】
ステップＰ３７１において、ＣＰＵ１０は、メモリＭ３に記憶されたカウント値Ｍがインキ供給部総数Ｍｍａｘより大きいか判断する。ＣＰＵ１０は、メモリＭ３に記憶されたカウント値Ｍがインキ供給部総数Ｍｍａｘより大きい場合、ステップＰ３７２を実行する。また、ＣＰＵ１０は、メモリＭ３に記憶されたカウント値Ｍがインキ供給部総数Ｍｍａｘより大きくない場合、ステップＰ３６３を実行する。
【０４７６】
ステップＰ３７２において、ＣＰＵ１０は、ゴム胴−凹版胴間のニップ圧調整用モータ用ポテンショ・メータ５２に接続されたＡ／Ｄ変換器の出力を読み込み、メモリＭ５８に記憶する。ＣＰＵ１０は、ステップＰ３７２の処理が完了した後、ステップＰ３７３を実行する。
【０４７７】
ステップＰ３７３において、ＣＰＵ１０は、ゴム胴−凹版胴間のニップ圧調整用モータ用ポテンショ・メータ５２に接続されたＡ／Ｄ変換器の出力より、基準のゴム胴−凹版胴間のニップ圧を演算し、この演算結果をメモリＭ５９に記憶する。ＣＰＵ１０は、ステップＰ３７３の処理が完了した後、ステップＰ３７４を実行する。
【０４７８】
ステップＰ３７４において、ＣＰＵ１０は、凹版胴−圧胴間の印圧調整用モータ用ポテンショ・メータ５５に接続されたＡ／Ｄ変換器の出力を読み込み、メモリＭ６０に記憶する。ＣＰＵ１０は、ステップＰ３７４の処理が完了した後、ステップＰ３７５を実行する。
【０４７９】
ステップＰ３７５において、ＣＰＵ１０は、凹版胴−圧胴間の印圧調整用モータ用ポテンショ・メータ５５に接続されたＡ／Ｄ変換器の出力より、基準の凹版胴−圧胴間の印圧を演算し、この演算結果をメモリＭ６１に記憶する。ＣＰＵ１０は、ステップＰ３７５の処理が完了した後、ステップＰ３７６を実行する。以上のステップにより、本刷りが開始された時の各インキ供給部Ｍの各接触圧調整手段の位置を、基準位置として記憶する。
【０４８０】
ステップＰ３７６において、ＣＰＵ１０は、メモリＭ３に記憶されたカウント値Ｍに１を書き込む。ＣＰＵ１０は、ステップＰ３７６の処理が完了した後、ステップＰ３７７を実行する。
【０４８１】
ステップＰ３７７において、ＣＰＵ１０は、インキ供給部Ｍの印刷機温度測定器１７に接続されたＡ／Ｄ変換器の出力を読み込み、メモリＭ１１に記憶する。ＣＰＵ１０は、ステップＰ３７７の処理が完了した後、ステップＰ３７８を実行する。
【０４８２】
ステップＰ３７８において、ＣＰＵ１０は、インキ供給部Ｍの印刷機温度測定器１７に接続されたＡ／Ｄ変換器の出力より、インキ供給部Ｍの印刷機温度を演算し、この演算結果をメモリＭ１２に記憶する。ＣＰＵ１０は、ステップＰ３７８の処理が完了した後、ステップＰ３７９を実行する。
【０４８３】
ステップＰ３７９において、ＣＰＵ１０は、メモリＭ１に記憶されたインキ供給部Ｍのインキ色ＩＣｍを読み込む。ＣＰＵ１０は、ステップＰ３７９の処理が完了した後、ステップＰ３８０を実行する。
【０４８４】
ステップＰ３８０において、ＣＰＵ１０は、メモリＭ６２に記憶されたインキ色ＩＣｍの印刷機温度−インキ・ツボ・ローラとインキ着けローラ間のニップ圧補正量変換テーブルを読み込む。ＣＰＵ１０は、ステップＰ３８０の処理が完了した後、ステップＰ３８１を実行する。
【０４８５】
ステップＰ３８１において、ＣＰＵ１０は、インキ色ＩＣｍの印刷機温度−インキ・ツボ・ローラとインキ着けローラ間のニップ圧補正量変換テーブルを用いて、インキ供給部Ｍの印刷機温度より、インキ・ツボ・ローラ−インキ着けローラ間のニップ圧補正量を求め、メモリＭ６３に記憶する。ＣＰＵ１０は、ステップＰ３８１の処理が完了した後、ステップＰ３８２を実行する。
【０４８６】
ステップＰ３８２において、ＣＰＵ１０は、メモリＭ６４に記憶されたインキ色ＩＣｍの印刷機温度−インキ着けローラとパターン・ローラ間のニップ圧補正量変換テーブルを読み込む。ステップＰ３８２の処理が完了した後、ステップＰ３８３を実行する。
【０４８７】
ステップＰ３８３において、ＣＰＵ１０は、インキ色ＩＣｍの印刷機温度−インキ着けローラとパターン・ローラ間のニップ圧補正量変換テーブルを用いて、インキ供給部Ｍの印刷機温度より、インキ着けローラ−パターン・ローラ間のニップ圧補正量を求め、メモリＭ６５に記憶する。ＣＰＵ１０は、ステップＰ３８３の処理が完了した後、ステップＰ３８４を実行する。
【０４８８】
ステップＰ３８４において、ＣＰＵ１０は、メモリＭ６６に記憶されたインキ色ＩＣｍの印刷機温度−パターン・ローラとゴム胴間のニップ圧補正量変換テーブルを読み込む。ＣＰＵ１０は、ステップＰ３８４の処理が完了した後、ステップＰ３８５を実行する。
【０４８９】
ステップＰ３８５において、ＣＰＵ１０は、インキ色ＩＣｍの印刷機温度−パターン・ローラとゴム胴間のニップ圧補正量変換テーブルを用いて、インキ供給部Ｍの印刷機温度より、パターン・ローラ−ゴム胴間のニップ圧補正量を求め、メモリＭ６７に記憶する。ＣＰＵ１０は、ステップＰ３８５の処理が完了した後、ステップＰ３８６を実行する。
【０４９０】
ステップＰ３８６において、ＣＰＵ１０は、メモリＭ５３に記憶されたインキ供給部Ｍの基準のインキ・ツボ・ローラ−インキ着けローラ間のニップ圧を読み込む。ＣＰＵ１０は、ステップＰ３８６の処理が完了した後、ステップＰ３８７を実行する。
【０４９１】
ステップＰ３８７において、ＣＰＵ１０は、メモリＭ６３に記憶されたインキ供給部Ｍのインキ・ツボ・ローラ−インキ着けローラ間のニップ圧補正量を読み込む。ＣＰＵ１０は、ステップＰ３８７の処理が完了した後、ステップＰ３８８を実行する。
【０４９２】
ステップＰ３８８において、ＣＰＵ１０は、インキ供給部Ｍの基準のインキ・ツボ・ローラ−インキ着けローラ間のニップ圧にインキ供給部Ｍのインキ・ツボ・ローラ−インキ着けローラ間のニップ圧補正量を加算し、目標とするインキ・ツボ・ローラ−インキ着けローラ間のニップ圧を演算し、この演算結果をメモリＭ６８に記憶する。ＣＰＵ１０は、ステップＰ３８８の処理が完了した後、ステップＰ３８９を実行する。
【０４９３】
ステップＰ３８９において、ＣＰＵ１０は、インキ供給部Ｍの目標とするインキ・ツボ・ローラ−インキ着けローラ間のニップ圧より、目標とするインキ・ツボ・ローラ−インキ着けローラ間のニップ圧調整用モータ用ポテンショ・メータ４３に接続されたＡ／Ｄ変換器の出力を演算し、この演算結果をメモリＭ６９に記憶する。ＣＰＵ１０は、ステップＰ３８９の処理が完了した後、ステップＰ３９０を実行する。
【０４９４】
ステップＰ３９０において、ＣＰＵ１０は、インキ供給部Ｍのインキ・ツボ・ローラ−インキ着けローラ間のニップ圧調整用モータ用ポテンショ・メータ４３に接続されたＡ／Ｄ変換器の出力を読み込み、メモリＭ５２に記憶する。ＣＰＵ１０は、ステップＰ３９０の処理が完了した後、ステップＰ３９１を実行する。
【０４９５】
ステップＰ３９１において、ＣＰＵ１０は、メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力と、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力とが等しいか判断する。
【０４９６】
メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力と、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力とが等しい場合、ステップＰ３９２からステップＰ４００をとばしてステップＰ４０１を実行する。
【０４９７】
また、メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力と、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力とが等しくない場合、ステップＰ３９２を実行する。
【０４９８】
ステップＰ３９２において、ＣＰＵ１０は、メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力より、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力が大きいか判断する。
【０４９９】
メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力より、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力が大きい場合、ステップＰ３９３を実行する。
【０５００】
また、メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力より、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力が大きくない場合、ステップＰ３９７を実行する。
【０５０１】
ステップＰ３９３において、ＣＰＵ１０は、インキ供給部Ｍのインキ・ツボ・ローラ−インキ着けローラ間のニップ圧調整用モータ・ドライバ４２に正転指令を出力する。ＣＰＵ１０は、ステップＰ３９３の処理が完了した後、ステップＰ３９４を実行する。
【０５０２】
ステップＰ３９４において、ＣＰＵ１０は、インキ供給部Ｍのインキ・ツボ・ローラ−インキ着けローラ間のニップ圧調整用モータ用ポテンショ・メータ４３に接続されたＡ／Ｄ変換器の出力を読み込み、メモリＭ５２に記憶する。ＣＰＵ１０は、ステップＰ３９４の処理が完了した後、ステップＰ３９５を実行する。
【０５０３】
ステップＰ３９５において、ＣＰＵ１０は、メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力と、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力とが等しいか判断する。
【０５０４】
メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力と、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力とが等しい場合、ステップＰ３９６を実行する。
【０５０５】
また、メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力と、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力とが等しくない場合、ステップＰ３９４を実行する。
【０５０６】
ステップＰ３９６において、ＣＰＵ１０は、インキ供給部Ｍのインキ・ツボ・ローラ−インキ着けローラ間のニップ圧調整用モータ・ドライバ４２への正転指令出力を停止する。ＣＰＵ１０は、ステップＰ３９６の処理が完了した後、ステップＰ４０１を実行する。
【０５０７】
ステップＰ３９７において、ＣＰＵ１０は、インキ供給部Ｍのインキ・ツボ・ローラ−インキ着けローラ間のニップ圧調整用モータ・ドライバ４２に逆転指令を出力する。ＣＰＵ１０は、ステップＰ３９７の処理が完了した後、ステップＰ３９８を実行する。
【０５０８】
ステップＰ３９８において、ＣＰＵ１０は、インキ供給部Ｍのインキ・ツボ・ローラ−インキ着けローラ間のニップ圧調整用モータ用ポテンショ・メータ４３に接続されたＡ／Ｄ変換器の出力を読み込み、メモリＭ５２に記憶する。ＣＰＵ１０は、ステップＰ３９８の処理が完了した後、ステップＰ３９９を実行する。
【０５０９】
ステップＰ３９９において、ＣＰＵ１０は、メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力と、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力とが等しいか判断する。
【０５１０】
メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力と、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力とが等しい場合、ステップＰ４００を実行する。
【０５１１】
また、メモリＭ５２に記憶されたインキ供給部Ｍのインキ・ツボ・ローラ−インキ着けローラ間のニップ圧調整用モータ用ポテンショ・メータ４３に接続されたＡ／Ｄ変換器の出力と、メモリＭ６９に記憶されたインキ供給部Ｍの目標とするインキ・ツボ・ローラ−インキ着けローラ間のニップ圧調整用モータ用ポテンショ・メータ４３に接続されたＡ／Ｄ変換器の出力とが等しくない場合、ステップＰ３９８を実行する。
【０５１２】
ステップＰ４００において、ＣＰＵ１０は、インキ供給部Ｍのインキ・ツボ・ローラ−インキ着けローラ間のニップ圧調整用モータ・ドライバ４２への逆転指令を停止し、インキ供給部Ｍのインキ着けローラ−凸版胴間のニップ圧調整用モータを停止させる。ＣＰＵ１０は、ステップＰ４００の処理が完了した後、ステップＰ４０１を実行する。
【０５１３】
ステップＰ４０１において、ＣＰＵ１０は、メモリＭ５５に記憶されたインキ供給部Ｍの基準のインキ着けローラ−パターン・ローラ間のニップ圧を読み込む。ＣＰＵ１０は、ステップＰ４０１の処理が完了した後、ステップＰ４０２を実行する。
【０５１４】
ステップＰ４０２において、ＣＰＵ１０は、メモリＭ６５に記憶されたインキ供給部Ｍのインキ着けローラ−パターン・ローラ間のニップ圧補正量を読み込む。ＣＰＵ１０は、ステップＰ４０２の処理が完了した後、ステップＰ４０３を実行する。
【０５１５】
ステップＰ４０３において、ＣＰＵ１０は、インキ供給部Ｍの基準のインキ着けローラ−パターン・ローラ間のニップ圧にインキ供給部Ｍのインキ着けローラ−パターン・ローラ間のニップ圧補正量を加算し、目標とするインキ着けローラ−パターン・ローラ間のニップ圧を演算し、この演算結果をメモリＭ７０に記憶する。ＣＰＵ１０は、ステップＰ４０３の処理が完了した後、ステップＰ４０４を実行する。
【０５１６】
ステップＰ４０４において、ＣＰＵ１０は、インキ供給部Ｍの目標とするインキ着けローラ−パターン・ローラ間のニップ圧より、目標とするインキ着けローラ−パターン・ローラ間のニップ圧調整用モータ用ポテンショ・メータ４６に接続されたＡ／Ｄ変換器の出力を演算し、この演算結果をメモリＭ７１に記憶する。ＣＰＵ１０は、ステップＰ４０４の処理が完了した後、ステップＰ４０５を実行する。
【０５１７】
ステップＰ４０５において、ＣＰＵ１０は、インキ供給部Ｍのインキ着けローラ−パターン・ローラ間のニップ圧調整用モータ用ポテンショ・メータ４６に接続されたＡ／Ｄ変換器の出力を読み込み、メモリＭ５４に記憶する。ＣＰＵ１０は、ステップＰ４０５の処理が完了した後、ステップＰ４０６を実行する。
【０５１８】
ステップＰ４０６において、ＣＰＵ１０は、メモリＭ５４に記憶されたインキ供給部Ｍのインキ着けローラ−パターン・ローラ間のニップ圧調整用モータ用ポテンショ・メータ４６に接続されたＡ／Ｄ変換器の出力と、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力とが等しいか判断する。
【０５１９】
メモリＭ５４に記憶されたインキ供給部Ｍのインキ着けローラ−パターン・ローラ間のニップ圧調整用モータ用ポテンショ・メータ４６に接続されたＡ／Ｄ変換器の出力と、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力とが等しい場合は、ステップＰ４０７からステップＰ４１５をとばしてステップＰ４１６を実行する。
【０５２０】
また、メモリＭ５４に記憶されたインキ供給部Ｍのインキ着けローラ−パターン・ローラ間のニップ圧調整用モータ用ポテンショ・メータ４６に接続されたＡ／Ｄ変換器の出力と、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力とが等しくない場合は、ステップＰ４０７を実行する。
【０５２１】
ステップＰ４０７において、ＣＰＵ１０は、メモリＭ５４に記憶されたインキ供給部Ｍのインキ着けローラ−パターン・ローラ間のニップ圧調整用モータ用ポテンショ・メータ４６に接続されたＡ／Ｄ変換器の出力より、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力が大きいか判断する。
【０５２２】
メモリＭ５４に記憶されたインキ供給部Ｍのインキ着けローラ−パターン・ローラ間のニップ圧調整用モータ用ポテンショ・メータ４６に接続されたＡ／Ｄ変換器の出力より、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力が大きい場合、ステップＰ４０８を実行する。
【０５２３】
また、メモリＭ５４に記憶されたインキ供給部Ｍのインキ着けローラ−パターン・ローラ間のニップ圧調整用モータ用ポテンショ・メータ４６に接続されたＡ／Ｄ変換器の出力より、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力が大きくない場合、ステップＰ４１２を実行する。
【０５２４】
ステップＰ４０８において、ＣＰＵ１０は、インキ供給部Ｍのインキ着けローラ−パターン・ローラ間のニップ圧調整用モータ・ドライバ４５に正転指令を出力する。ＣＰＵ１０は、ステップＰ４０８の処理が完了した後、ステップＰ４０９を実行する。
【０５２５】
ステップＰ４０９において、ＣＰＵ１０は、インキ供給部Ｍのインキ着けローラ−パターン・ローラ間のニップ圧調整用モータ用ポテンショ・メータ４６に接続されたＡ／Ｄ変換器の出力を読み込み、メモリＭ５４に記憶する。ＣＰＵ１０は、ステップＰ４０９の処理が完了した後、ステップＰ４１０を実行する。
【０５２６】
ステップＰ４１０において、ＣＰＵ１０は、メモリＭ５４に記憶されたインキ供給部Ｍのインキ着けローラ−パターン・ローラ間のニップ圧調整用モータ用ポテンショ・メータ４６に接続されたＡ／Ｄ変換器の出力と、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力とが等しいか判断する。
【０５２７】
メモリＭ５４に記憶されたインキ供給部Ｍのインキ着けローラ−パターン・ローラ間のニップ圧調整用モータ用ポテンショ・メータ４６に接続されたＡ／Ｄ変換器の出力と、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力とが等しい場合は、ステップＰ４１１を実行する。
【０５２８】
また、メモリＭ５４に記憶されたインキ供給部Ｍのインキ着けローラ−パターン・ローラ間のニップ圧調整用モータ用ポテンショ・メータ４６に接続されたＡ／Ｄ変換器の出力と、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力とが等しくない場合は、ステップＰ４０９を実行する。
【０５２９】
ステップＰ４１１において、ＣＰＵ１０は、インキ供給部Ｍのインキ着けローラ−パターン・ローラ間のニップ圧調整用モータ・ドライバ４５への正転指令出力を停止する。ＣＰＵ１０は、ステップＰ４１１の処理が完了した後、ステップＰ４１６を実行する。
【０５３０】
ステップＰ４１２において、ＣＰＵ１０は、インキ供給部Ｍのインキ着けローラ−パターン・ローラ間のニップ圧調整用モータ・ドライバ４５に逆転指令を出力する。ＣＰＵ１０は、ステップＰ４１２の処理が完了した後、ステップＰ４１３を実行する。
【０５３１】
ステップＰ４１３において、ＣＰＵ１０は、インキ供給部Ｍのインキ着けローラ−パターン・ローラ間のニップ圧調整用モータ用ポテンショ・メータ４６に接続されたＡ／Ｄ変換器の出力を読み込み、メモリＭ５４に記憶する。ＣＰＵ１０は、ステップＰ４１３の処理が完了した後、ステップＰ４１４を実行する。
【０５３２】
ステップＰ４１４において、ＣＰＵ１０は、メモリＭ５４に記憶されたインキ供給部Ｍのインキ着けローラ−パターン・ローラ間のニップ圧調整用モータ用ポテンショ・メータ４６に接続されたＡ／Ｄ変換器の出力と、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力とが等しいか判断する。
【０５３３】
メモリＭ５４に記憶されたインキ供給部Ｍのインキ着けローラ−パターン・ローラ間のニップ圧調整用モータ用ポテンショ・メータ４６に接続されたＡ／Ｄ変換器の出力と、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力とが等しい場合は、ステップＰ４１５を実行する。
【０５３４】
また、メモリＭ５４に記憶されたインキ供給部Ｍのインキ着けローラ−パターン・ローラ間のニップ圧調整用モータ用ポテンショ・メータ４６に接続されたＡ／Ｄ変換器の出力と、メモリＭ７１に記憶されたインキ供給部Ｍの目標とするインキ着けローラ−パターン・ローラ間のニップ圧調整用モータ用ポテンショ・メータ４６に接続されたＡ／Ｄ変換器の出力とが等しくない場合は、ステップＰ４１３を実行する。
【０５３５】
ステップＰ４１５において、ＣＰＵ１０は、インキ供給部Ｍのインキ着けローラ−パターン・ローラ間のニップ圧調整用モータ・ドライバ４５への逆転指令出力を停止する。ＣＰＵ１０は、ステップＰ４１５の処理が完了した後、ステップＰ４１６を実行する。
【０５３６】
ステップＰ４１６において、ＣＰＵ１０は、メモリＭ５７に記憶されたインキ供給部Ｍの基準のパターン・ローラ−ゴム胴間のニップ圧を読み込む。ＣＰＵ１０は、ステップＰ４１６の処理が完了した後、ステップＰ４１７を実行する。
【０５３７】
ステップＰ４１７において、ＣＰＵ１０は、メモリＭ６７に記憶されたインキ供給部Ｍのパターン・ローラ−ゴム胴間のニップ圧補正量を読み込む。ＣＰＵ１０は、ステップＰ４１７の処理が完了した後、ステップＰ４１８を実行する。
【０５３８】
ステップＰ４１８において、ＣＰＵ１０は、インキ供給部Ｍの基準のパターン・ローラ−ゴム胴間のニップ圧にインキ供給部Ｍのパターン・ローラ−ゴム胴間のニップ圧補正量を加算し、目標とするパターン・ローラ−ゴム胴間のニップ圧を演算し、この演算結果をメモリＭ７２に記憶する。ＣＰＵ１０は、ステップＰ４１８の処理が完了した後、ステップＰ４１９を実行する。
【０５３９】
ステップＰ４１９において、ＣＰＵ１０は、インキ供給部Ｍの目標とするパターン・ローラ−ゴム胴間のニップ圧より、目標とするパターン・ローラ−ゴム胴間のニップ圧調整用モータ用ポテンショ・メータ４９に接続されたＡ／Ｄ変換器の出力を演算し、この演算結果をＭ７３に記憶する。ＣＰＵ１０は、ステップＰ４１９の処理が完了した後、ステップＰ４２０を実行する。
【０５４０】
ステップＰ４２０において、ＣＰＵ１０は、インキ供給部Ｍのパターン・ローラ−ゴム胴間のニップ圧調整用モータ用ポテンショ・メータ４９に接続されたＡ／Ｄ変換器の出力を読み込み、メモリＭ５６に記憶する。ＣＰＵ１０は、ステップＰ４２０の処理が完了した後、ステップＰ４２１を実行する。
【０５４１】
ステップＰ４２１において、ＣＰＵ１０は、メモリＭ５６に記憶されたインキ供給部Ｍのパターン・ローラ−ゴム胴間のニップ圧調整用モータ用ポテンショ・メータ４９に接続されたＡ／Ｄ変換器の出力と、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力とが等しいか判断する。
【０５４２】
メモリＭ５６に記憶されたインキ供給部Ｍのパターン・ローラ−ゴム胴間のニップ圧調整用モータ用ポテンショ・メータ４９に接続されたＡ／Ｄ変換器の出力と、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力とが等しい場合は、ステップＰ４２２からステップＰ４３０をとばしてステップＰ４３１を実行する。
【０５４３】
また、メモリＭ５６に記憶されたインキ供給部Ｍのパターン・ローラ−ゴム胴間のニップ圧調整用モータ用ポテンショ・メータ４９に接続されたＡ／Ｄ変換器の出力と、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力とが等しくない場合は、ステップＰ４２２を実行する。
【０５４４】
ステップＰ４２２において、ＣＰＵ１０は、メモリＭ５６に記憶されたインキ供給部Ｍのパターン・ローラ−ゴム胴間のニップ圧調整用モータ用ポテンショ・メータ４９に接続されたＡ／Ｄ変換器の出力より、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力が大きいか判断する。
【０５４５】
メモリＭ５６に記憶されたインキ供給部Ｍのパターン・ローラ−ゴム胴間のニップ圧調整用モータ用ポテンショ・メータ４９に接続されたＡ／Ｄ変換器の出力より、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力が大きい場合、ステップＰ４２３を実行する。
【０５４６】
また、メモリＭ５６に記憶されたインキ供給部Ｍのパターン・ローラ−ゴム胴間のニップ圧調整用モータ用ポテンショ・メータ４９に接続されたＡ／Ｄ変換器の出力より、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力が大きくない場合、ステップＰ４２７を実行する。
【０５４７】
ステップＰ４２３において、ＣＰＵ１０は、インキ供給部Ｍのパターン・ローラ−ゴム胴間のニップ圧調整用モータ・ドライバ４８に正転指令を出力する。ＣＰＵ１０は、ステップＰ４２３の処理が完了した後にステップＰ４２４を実行する。
【０５４８】
ステップＰ４２４において、ＣＰＵ１０は、インキ供給部Ｍのパターン・ローラ−ゴム胴間のニップ圧調整用モータ用ポテンショ・メータ４９に接続されたＡ／Ｄ変換器の出力を読み込み、メモリＭ５６に記憶する。ＣＰＵ１０は、ステップＰ４２４の処理が完了した後、ステップＰ４２５を実行する。
【０５４９】
ステップＰ４２５において、ＣＰＵ１０は、メモリＭ５６に記憶されたインキ供給部Ｍのパターン・ローラ−ゴム胴間のニップ圧調整用モータ用ポテンショ・メータ４９に接続されたＡ／Ｄ変換器の出力と、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力とが等しいか判断する。
【０５５０】
メモリＭ５６に記憶されたインキ供給部Ｍのパターン・ローラ−ゴム胴間のニップ圧調整用モータ用ポテンショ・メータ４９に接続されたＡ／Ｄ変換器の出力と、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力とが等しい場合は、ステップＰ４２６を実行する。
【０５５１】
また、メモリＭ５６に記憶されたインキ供給部Ｍのパターン・ローラ−ゴム胴間のニップ圧調整用モータ用ポテンショ・メータ４９に接続されたＡ／Ｄ変換器の出力と、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力とが等しくない場合は、ステップＰ４２４を実行する。
【０５５２】
ステップＰ４２６において、ＣＰＵ１０は、インキ供給部Ｍのパターン・ローラ−ゴム胴間のニップ圧調整用モータ・ドライバ４８への正転指令出力を停止する。ＣＰＵ１０は、ステップＰ４２６の処理が完了した後、ステップＰ４３１を実行する。
【０５５３】
ステップＰ４２７において、ＣＰＵ１０は、インキ供給部Ｍのパターン・ローラ−ゴム胴間のニップ圧調整用モータ・ドライバ４８に逆転指令を出力する。ＣＰＵ１０は、ステップＰ４２７の処理が完了した後、ステップＰ４２８を実行する。
【０５５４】
ステップＰ４２８において、ＣＰＵ１０は、インキ供給部Ｍのパターン・ローラ−ゴム胴間のニップ圧調整用モータ用ポテンショ・メータ４９に接続されたＡ／Ｄ変換器の出力を読み込み、メモリＭ５６に記憶する。ＣＰＵ１０は、ステップＰ４２８の処理が完了した後、ステップＰ４２９を実行する。
【０５５５】
ステップＰ４２９において、ＣＰＵ１０は、メモリＭ５６に記憶されたインキ供給部Ｍのパターン・ローラ−ゴム胴間のニップ圧調整用モータ用ポテンショ・メータ４９に接続されたＡ／Ｄ変換器の出力と、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力とが等しいか判断する。
【０５５６】
メモリＭ５６に記憶されたインキ供給部Ｍのパターン・ローラ−ゴム胴間のニップ圧調整用モータ用ポテンショ・メータ４９に接続されたＡ／Ｄ変換器の出力と、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力とが等しい場合は、ステップＰ４３０を実行する。
【０５５７】
また、メモリＭ５６に記憶されたインキ供給部Ｍのパターン・ローラ−ゴム胴間のニップ圧調整用モータ用ポテンショ・メータ４９に接続されたＡ／Ｄ変換器の出力と、メモリＭ７３に記憶されたインキ供給部Ｍの目標とするパターン・ローラ−ゴム胴間のニップ圧調整用モータ用ポテンショ・メータ４９に接続されたＡ／Ｄ変換器の出力とが等しくない場合は、ステップＰ４２８を実行する。
【０５５８】
ステップＰ４３０において、ＣＰＵ１０は、インキ供給部Ｍのパターン・ローラ−ゴム胴間のニップ圧調整用モータ・ドライバ４８への逆転指令出力を停止する。ＣＰＵ１０は、ステップＰ４３０の処理が完了した後、ステップＰ４３１を実行する。
【０５５９】
ステップＰ４３１において、ＣＰＵ１０は、メモリＭ３に記憶されたカウント値Ｍに１を加算し上書きする。ＣＰＵ１０は、ステップＰ４３１の処理が完了した後、ステップＰ４３２を実行する。
【０５６０】
ステップＰ４３２において、ＣＰＵ１０は、メモリＭ１０に記憶されたインキ供給部総数Ｍｍａｘを読み込む。ＣＰＵ１０は、ステップＰ４３２の処理が完了した後、ステップＰ４３３を実行する。
【０５６１】
ステップＰ４３３において、ＣＰＵ１０は、メモリＭ３に記憶されたカウント値Ｍがインキ供給部総数Ｍｍａｘより大きいか判断する。ＣＰＵ１０は、メモリＭ３に記憶されたカウント値Ｍがインキ供給部総数Ｍｍａｘより大きい場合、ステップＰ４３４を実行する。また、ＣＰＵ１０は、メモリＭ３に記憶されたカウント値Ｍがインキ供給部総数Ｍｍａｘより大きくない場合、ステップＰ３７７を実行する。
【０５６２】
ステップＰ４３４において、ＣＰＵ１０は、印刷機温度の合計値記憶用メモリＭ７４に、ゼロを書き込む。ＣＰＵ１０は、ステップＰ４３４の処理が完了した後、ステップＰ４３５を実行する。
【０５６３】
ステップＰ４３５において、ＣＰＵ１０は、メモリＭ３に記憶されたカウント値Ｍに１を書き込む。ＣＰＵ１０は、ステップＰ４３５の処理が完了した後、ステップＰ４３６を実行する。
【０５６４】
ステップＰ４３６において、ＣＰＵ１０は、メモリＭ１２に記憶されたインキ供給部Ｍの印刷機温度を読み込む。ＣＰＵ１０は、ステップＰ４３６の処理が完了した後、ステップＰ４３７を実行する。
【０５６５】
ステップＰ４３７において、ＣＰＵ１０は、メモリＭ７４に記憶された印刷機温度の合計値を読み込む。ＣＰＵ１０は、ステップＰ４３７の処理が完了した後、ステップＰ４３８を実行する。
【０５６６】
ステップＰ４３８において、ＣＰＵ１０は、印刷機温度の合計値にインキ供給部Ｍの印刷機温度を加算し、求めた値を印刷機温度の合計値記憶用メモリＭ７４に上書きする。ＣＰＵ１０は、ステップＰ４３８の処理が完了した後、ステップＰ４３９を実行する。
【０５６７】
ステップＰ４３９において、ＣＰＵ１０は、メモリＭ３に記憶されたカウント値Ｍに１を加算し上書きする。ＣＰＵ１０は、ステップＰ４３９の処理が完了した後、ステップＰ４４０を実行する。
【０５６８】
ステップＰ４４０において、ＣＰＵ１０は、メモリＭ１０からインキ供給部総数Ｍｍａｘを読み込む。ＣＰＵ１０は、ステップＰ４４０の処理が完了した後、ステップＰ４４１を実行する。
【０５６９】
ステップＰ４４１において、ＣＰＵ１０は、メモリＭ３に記憶されたカウント値Ｍがインキ供給部総数Ｍｍａｘより大きいか判断する。ＣＰＵ１０は、メモリＭ３に記憶されたカウント値Ｍがインキ供給部総数Ｍｍａｘより大きい場合、ステップＰ４４２を実行する。また、ＣＰＵ１０は、メモリＭ３に記憶されたカウント値Ｍがインキ供給部総数Ｍｍａｘより大きくない場合、ステップＰ４３６を実行する。
【０５７０】
ステップＰ４４２において、ＣＰＵ１０は、印刷機温度の合計値を読み込む。ＣＰＵ１０は、ステップＰ４４２の処理が完了した後、ステップＰ４４３を実行する。
【０５７１】
ステップＰ４４３において、ＣＰＵ１０は、メモリＭ１０からインキ供給部総数Ｍｍａｘを読み込む。ＣＰＵ１０は、ステップＰ４４３の処理が完了した後、ステップＰ４４４を実行する。
【０５７２】
ステップＰ４４４において、ＣＰＵ１０は、印刷機温度の合計値をインキ供給部総数Ｍｍａｘで除算し、印刷機温度の平均値を演算し、この演算結果をメモリＭ７５に記憶する。ＣＰＵ１０は、ステップＰ４４４の処理が完了した後、ステップＰ４４５を実行する。
【０５７３】
ステップＰ４４５において、ＣＰＵ１０は、メモリＭ７４に記憶された印刷機温度の平均値−ゴム胴と凹版胴間のニップ圧補正量変換テーブルを読み込む。ＣＰＵ１０は、ステップＰ４４５の処理が完了した後、ステップＰ４４６を実行する。
【０５７４】
ステップＰ４４６において、ＣＰＵ１０は、印刷機温度の平均値−ゴム胴と凹版胴間のニップ圧補正量変換テーブルを用いて、印刷機温度の平均値より、ゴム胴−凹版胴間のニップ圧補正量を求め、メモリＭ７６に記憶する。ＣＰＵ１０は、ステップＰ４４６の処理が完了した後、ステップＰ４４７を実行する。
【０５７５】
ステップＰ４４７において、ＣＰＵ１０は、メモリＭ８０に記憶された印刷機温度の平均値−凹版胴と圧胴間の印圧補正量変換テーブルを読み込む。ＣＰＵ１０は、ステップＰ４４７の処理が完了した後、ステップＰ４４８を実行する。
【０５７６】
ステップＰ４４８において、ＣＰＵ１０は、印刷機温度の平均値−凹版胴と圧胴間の印圧補正量変換テーブルを用いて、印刷機温度の平均値より、凹版胴−圧胴間の印圧補正量を求め、メモリＭ８１に記憶する。ＣＰＵ１０は、ステップＰ４４８の処理が完了した後、ステップＰ４４９を実行する。
【０５７７】
ステップＰ４４９において、ＣＰＵ１０は、メモリＭ５９に記憶された基準のゴム胴−凹版胴間のニップ圧を読み込む。ＣＰＵ１０は、ステップＰ４４９の処理が完了した後、ステップＰ４５０を実行する。
【０５７８】
ステップＰ４５０において、ＣＰＵ１０は、メモリＭ７７に記憶されたゴム胴−凹版胴間のニップ圧補正量を読み込む。ＣＰＵ１０は、ステップＰ４５０の処理が完了した後、ステップＰ４５１を実行する。
【０５７９】
ステップＰ４５１において、ＣＰＵ１０は、基準のゴム胴−凹版胴間のニップ圧にゴム胴−凹版胴間のニップ圧補正量を加算し、目標とするゴム胴−凹版胴間のニップ圧を演算し、この演算結果をメモリＭ７８に記憶する。ＣＰＵ１０は、ステップＰ４５１の処理が完了した後、ステップＰ４５２を実行する。
【０５８０】
ステップＰ４５２において、ＣＰＵ１０は、目標とするゴム胴−凹版胴間のニップ圧より、目標とするゴム胴−凹版胴間のニップ圧調整用モータ用ポテンショ・メータ５２に接続されたＡ／Ｄ変換器の出力を演算し、この演算結果をメモリＭ７９に記憶する。ＣＰＵ１０は、ステップＰ４５２の処理が完了した後、ステップＰ４５３を実行する。
【０５８１】
ステップＰ４５３において、ＣＰＵ１０は、ゴム胴−凹版胴間のニップ圧調整用モータ用ポテンショ・メータ５２に接続されたＡ／Ｄ変換器の出力を読み込み、メモリＭ５８に記憶する。ＣＰＵ１０は、ステップＰ４５３の処理が完了した後、ステップＰ４５４を実行する。
【０５８２】
ステップＰ４５４において、ＣＰＵ１０は、メモリＭ５８に記憶されたゴム胴−凹版胴間のニップ圧調整用モータ用ポテンショ・メータ５２に接続されたＡ／Ｄ変換器の出力と、メモリＭ７９に記憶された目標とするゴム胴−凹版胴間のニップ圧調整用モータ用ポテンショ・メータ５２に接続されたＡ／Ｄ変換器の出力とが等しいか判断する。
【０５８３】
メモリＭ５８に記憶されたゴム胴−凹版胴間のニップ圧調整用モータ用ポテンショ・メータ５２に接続されたＡ／Ｄ変換器の出力と、メモリＭ７９に記憶された目標とするゴム胴−凹版胴間のニップ圧調整用モータ用ポテンショ・メータ５２に接続されたＡ／Ｄ変換器の出力とが等しい場合は、ステップＰ４５５からステップＰ４６３をとばしてステップＰ４６４を実行する。
【０５８４】
また、メモリＭ５８に記憶されたゴム胴−凹版胴間のニップ圧調整用モータ用ポテンショ・メータ５２に接続されたＡ／Ｄ変換器の出力と、メモリＭ７９に記憶された目標とするゴム胴−凹版胴間のニップ圧調整用モータ用ポテンショ・メータ５２に接続されたＡ／Ｄ変換器の出力とが等しくない場合は、ステップＰ４５５を実行する。
【０５８５】
ステップＰ４５５において、ＣＰＵ１０は、メモリＭ５８に記憶されたゴム胴−凹版胴間のニップ圧調整用モータ用ポテンショ・メータ５２に接続されたＡ／Ｄ変換器の出力より、メモリＭ７９に記憶された目標とするゴム胴−凹版胴間のニップ圧調整用モータ用ポテンショ・メータ５２に接続されたＡ／Ｄ変換器の出力が大きいか判断する。
【０５８６】
メモリＭ５８に記憶されたゴム胴−凹版胴間のニップ圧調整用モータ用ポテンショ・メータ５２に接続されたＡ／Ｄ変換器の出力より、メモリＭ７９に記憶された目標とするゴム胴−凹版胴間のニップ圧調整用モータ用ポテンショ・メータ５２に接続されたＡ／Ｄ変換器の出力が大きい場合、ステップＰ４５６を実行する。
【０５８７】
また、メモリＭ５８に記憶されたゴム胴−凹版胴間のニップ圧調整用モータ用ポテンショ・メータ５２に接続されたＡ／Ｄ変換器の出力より、メモリＭ７９に記憶された目標とするゴム胴−凹版胴間のニップ圧調整用モータ用ポテンショ・メータ５２に接続されたＡ／Ｄ変換器の出力が大きくない場合、ステップＰ４６０を実行する。
【０５８８】
ステップＰ４５６において、ＣＰＵ１０は、ゴム胴−凹版胴間のニップ圧調整用モータ・ドライバ５１に正転指令を出力する。ＣＰＵ１０は、ステップＰ４５６の処理が完了した後にステップＰ４５７を実行する。
【０５８９】
ステップＰ４５７において、ＣＰＵ１０は、ゴム胴−凹版胴間のニップ圧調整用モータ用ポテンショ・メータ５２に接続されたＡ／Ｄ変換器の出力を読み込み、メモリＭ５８に記憶する。ＣＰＵ１０は、ステップＰ４５７の処理が完了した後、ステップＰ４５８を実行する。
【０５９０】
ステップＰ４５８において、ＣＰＵ１０は、メモリＭ５８に記憶されたゴム胴−凹版胴間のニップ圧調整用モータ用ポテンショ・メータ５２に接続されたＡ／Ｄ変換器の出力と、メモリＭ７９に記憶された目標とするゴム胴−凹版胴間のニップ圧調整用モータ用ポテンショ・メータ５２に接続されたＡ／Ｄ変換器の出力とが等しいか判断する。
【０５９１】
メモリＭ５８に記憶されたゴム胴−凹版胴間のニップ圧調整用モータ用ポテンショ・メータ５２に接続されたＡ／Ｄ変換器の出力と、メモリＭ７９に記憶された目標とするゴム胴−凹版胴間のニップ圧調整用モータ用ポテンショ・メータ５２に接続されたＡ／Ｄ変換器の出力とが等しい場合は、ステップＰ４５９を実行する。
【０５９２】
また、メモリＭ５８に記憶されたゴム胴−凹版胴間のニップ圧調整用モータ用ポテンショ・メータ５２に接続されたＡ／Ｄ変換器の出力と、メモリＭ７９に記憶された目標とするゴム胴−凹版胴間のニップ圧調整用モータ用ポテンショ・メータ５２に接続されたＡ／Ｄ変換器の出力とが等しくない場合は、ステップＰ４５７を実行する。
【０５９３】
ステップＰ４５９において、ＣＰＵ１０は、ゴム胴−凹版胴間のニップ圧調整用モータ・ドライバ５１への正転指令出力を停止する。ＣＰＵ１０は、ステップＰ４５９の処理が完了した後、ステップＰ４６４を実行する。
【０５９４】
ステップＰ４６０において、ＣＰＵ１０は、ゴム胴−凹版胴間のニップ圧調整用モータ・ドライバ５１に逆転指令を出力する。ＣＰＵ１０は、ステップＰ４６０の処理が完了した後、ステップＰ４６１を実行する。
【０５９５】
ステップＰ４６１において、ＣＰＵ１０は、ゴム胴−凹版胴間のニップ圧調整用モータ用ポテンショ・メータ５２に接続されたＡ／Ｄ変換器の出力を読み込み、メモリＭ５８に記憶する。ＣＰＵ１０は、ステップＰ４６１の処理が完了した後、ステップＰ４６２を実行する。
【０５９６】
ステップＰ４６２において、ＣＰＵ１０は、メモリＭ５８に記憶されたゴム胴−凹版胴間のニップ圧調整用モータ用ポテンショ・メータ５２に接続されたＡ／Ｄ変換器の出力と、メモリＭ７９に記憶された目標とするゴム胴−凹版胴間のニップ圧調整用モータ用ポテンショ・メータ５２に接続されたＡ／Ｄ変換器の出力とが等しいか判断する。
【０５９７】
メモリＭ５８に記憶されたゴム胴−凹版胴間のニップ圧調整用モータ用ポテンショ・メータ５２に接続されたＡ／Ｄ変換器の出力と、メモリＭ７９に記憶された目標とするゴム胴−凹版胴間のニップ圧調整用モータ用ポテンショ・メータ５２に接続されたＡ／Ｄ変換器の出力とが等しい場合は、ステップＰ４６３を実行する。
【０５９８】
また、メモリＭ５８に記憶されたゴム胴−凹版胴間のニップ圧調整用モータ用ポテンショ・メータ５２に接続されたＡ／Ｄ変換器の出力と、メモリＭ７９に記憶された目標とするゴム胴−凹版胴間のニップ圧調整用モータ用ポテンショ・メータに接続されたＡ／Ｄ変換器の出力とが等しくない場合は、ステップＰ４６１を実行する。
【０５９９】
ステップＰ４６３において、ＣＰＵ１０は、ゴム胴−凹版胴間のニップ圧調整用モータ・ドライバ５１への逆転指令出力を停止する。ＣＰＵ１０は、ステップＰ４６３の処理が完了した後、ステップＰ４６４を実行する。 
【０６００】
ステップＰ４６４において、ＣＰＵ１０は、メモリＭ６１に記憶された基準の凹版胴−圧胴間の印圧を読み込む。ＣＰＵ１０は、ステップＰ４６４の処理が完了した後、ステップＰ４６５を実行する。
【０６０１】
ステップＰ４６５において、ＣＰＵ１０は、メモリＭ８１に記憶された凹版胴−圧胴間の印圧補正量を読み込む。ＣＰＵ１０は、ステップＰ４６５の処理が完了した後、ステップＰ４６６を実行する。
【０６０２】
ステップＰ４６６において、ＣＰＵ１０は、基準の凹版胴−圧胴間の印圧に凹版胴−圧胴間の印圧補正量を加算し、目標とする凹版胴−圧胴間の印圧を演算し、この演算結果をメモリＭ８２に記憶する。ＣＰＵ１０は、ステップＰ４６６の処理が完了した後、ステップＰ４６７を実行する。
【０６０３】
ステップＰ４６７において、ＣＰＵ１０は、目標とする凹版胴−圧胴間の印圧より、目標とする凹版胴−圧胴間の印圧調整用モータ用ポテンショ・メータ５５に接続されたＡ／Ｄ変換器の出力を演算し、この演算結果をメモリＭ８３に記憶する。ＣＰＵ１０は、ステップＰ４６７の処理が完了した後、ステップＰ４６８を実行する。
【０６０４】
ステップＰ４６８において、ＣＰＵ１０は、凹版胴−圧胴間の印圧調整用モータ用ポテンショ・メータ５５に接続されたＡ／Ｄ変換器の出力を読み込み、メモリＭ６０に記憶する。ＣＰＵ１０は、ステップＰ４６８の処理が完了した後、ステップＰ４６９を実行する。
【０６０５】
ステップＰ４６９において、ＣＰＵ１０は、メモリＭ６０に記憶された凹版胴−圧胴間の印圧調整用モータ用ポテンショ・メータ５５に接続されたＡ／Ｄ変換器の出力と、メモリＭ８３に記憶された目標とする凹版胴−圧胴間の印圧調整用モータ用ポテンショ・メータ５５に接続されたＡ／Ｄ変換器の出力とが等しいか判断する。
【０６０６】
メモリＭ６０に記憶された凹版胴−圧胴間の印圧調整用モータ用ポテンショ・メータ５５に接続されたＡ／Ｄ変換器の出力と、メモリＭ８３に記憶された目標とする凹版胴−圧胴間の印圧調整用モータ用ポテンショ・メータ５５に接続されたＡ／Ｄ変換器の出力とが等しい場合は、ステップＰ４７０からステップＰ４７８をとばしてステップＰ４７９を実行する。
【０６０７】
また、メモリＭ６０に記憶された凹版胴−圧胴間の印圧調整用モータ用ポテンショ・メータ５５に接続されたＡ／Ｄ変換器の出力と、メモリＭ８３に記憶された目標とする凹版胴−圧胴間の印圧調整用モータ用ポテンショ・メータ５５に接続されたＡ／Ｄ変換器の出力とが等しくない場合は、ステップＰ４７０を実行する。
【０６０８】
ステップＰ４７０において、ＣＰＵ１０は、メモリＭ６０に記憶された凹版胴−圧胴間の印圧調整用モータ用ポテンショ・メータ５５に接続されたＡ／Ｄ変換器の出力より、メモリＭ８３に記憶された目標とする凹版胴−圧胴間の印圧調整用モータ用ポテンショ・メータ５５に接続されたＡ／Ｄ変換器の出力が大きいか判断する。
【０６０９】
メモリＭ６０に記憶された凹版胴−圧胴間の印圧調整用モータ用ポテンショ・メータ５５に接続されたＡ／Ｄ変換器の出力より、メモリＭ８３に記憶された目標とする凹版胴−圧胴間の印圧調整用モータ用ポテンショ・メータ５５に接続されたＡ／Ｄ変換器の出力が大きい場合、ステップＰ４７１を実行する。
【０６１０】
また、メモリＭ６０に記憶された凹版胴−圧胴間の印圧調整用モータ用ポテンショ・メータ５５に接続されたＡ／Ｄ変換器の出力より、メモリＭ８３に記憶された目標とする凹版胴−圧胴間の印圧調整用モータ用ポテンショ・メータ５５に接続されたＡ／Ｄ変換器の出力が大きくない場合、ステップＰ４７５を実行する。
【０６１１】
ステップＰ４７１において、ＣＰＵ１０は、凹版胴−圧胴間の印圧調整用モータ・ドライバ５４に正転指令を出力する。ＣＰＵ１０は、ステップＰ４７１の処理が完了した後にステップＰ４７２を実行する。
【０６１２】
ステップＰ４７２において、ＣＰＵ１０は、凹版胴−圧胴間の印圧調整用モータ用ポテンショ・メータ５５に接続されたＡ／Ｄ変換器の出力を読み込み、メモリＭ６０に記憶する。ＣＰＵ１０は、ステップＰ４７２の処理が完了した後、ステップＰ４７３を実行する。
【０６１３】
ステップＰ４７３において、ＣＰＵ１０は、メモリＭ６０に記憶された凹版胴−圧胴間の印圧調整用モータ用ポテンショ・メータ５５に接続されたＡ／Ｄ変換器の出力と、メモリＭ８３に記憶された目標とする凹版胴−圧胴間の印圧調整用モータ用ポテンショ・メータ５５に接続されたＡ／Ｄ変換器の出力とが等しいか判断する。
【０６１４】
メモリＭ６０に記憶された凹版胴−圧胴間の印圧調整用モータ用ポテンショ・メータ５５に接続されたＡ／Ｄ変換器の出力と、メモリＭ８３に記憶された目標とする凹版胴−圧胴間の印圧調整用モータ用ポテンショ・メータ５５に接続されたＡ／Ｄ変換器の出力とが等しい場合は、ステップＰ４７４を実行する。
【０６１５】
また、メモリＭ６０に記憶された凹版胴−圧胴間の印圧調整用モータ用ポテンショ・メータ５５に接続されたＡ／Ｄ変換器の出力と、メモリＭ８３に記憶された目標とする凹版胴−圧胴間の印圧調整用モータ用ポテンショ・メータ５５に接続されたＡ／Ｄ変換器の出力とが等しくない場合は、ステップＰ４７２を実行する。
【０６１６】
ステップＰ４７４において、ＣＰＵ１０は、凹版胴−圧胴間の印圧調整用モータ・ドライバ５４への正転指令出力を停止する。ＣＰＵ１０は、ステップＰ４７４の処理が完了した後、ステップＰ４７９を実行する。
【０６１７】
ステップＰ４７５において、ＣＰＵ１０は、凹版胴−圧胴間の印圧調整用モータ・ドライバ５４に逆転指令を出力する。ＣＰＵ１０は、ステップＰ４７５の処理が完了した後、ステップＰ４７６を実行する。
【０６１８】
ステップＰ４７６において、ＣＰＵ１０は、凹版胴−圧胴間の印圧調整用モータ用ポテンショ・メータ５５に接続されたＡ／Ｄ変換器の出力を読み込み、メモリＭ６０に記憶する。ＣＰＵ１０は、ステップＰ４７６の処理が完了した後、ステップＰ４７７を実行する。
【０６１９】
ステップＰ４７７において、ＣＰＵ１０は、メモリＭ６０に記憶された凹版胴−圧胴間の印圧調整用モータ用ポテンショ・メータ５５に接続されたＡ／Ｄ変換器の出力と、メモリＭ８３に記憶された目標とする凹版胴−圧胴間の印圧調整用モータ用ポテンショ・メータ５５に接続されたＡ／Ｄ変換器の出力とが等しいか判断する。
【０６２０】
メモリＭ６０に記憶された凹版胴−圧胴間の印圧調整用モータ用ポテンショ・メータ５５に接続されたＡ／Ｄ変換器の出力と、メモリＭ８３に記憶された目標とする凹版胴−圧胴間の印圧調整用モータ用ポテンショ・メータ５５に接続されたＡ／Ｄ変換器の出力とが等しい場合は、ステップＰ４７８を実行する。
【０６２１】
また、メモリＭ６０に記憶された凹版胴−圧胴間の印圧調整用モータ用ポテンショ・メータ５５に接続されたＡ／Ｄ変換器の出力と、メモリＭ８３に記憶された目標とする凹版胴−圧胴間の印圧調整用モータ用ポテンショ・メータ５５に接続されたＡ／Ｄ変換器の出力とが等しくない場合は、ステップＰ４７６を実行する。
【０６２２】
ステップＰ４７８において、ＣＰＵ１０は、凹版胴−圧胴間の印圧調整用モータ・ドライバ５４への逆転指令出力を停止する。ＣＰＵ１０は、ステップＰ４７８の処理が完了した後、ステップＰ４７９を実行する。以上のステップにより、各インキ供給部Ｍの印刷機温度測定器によって測定された印刷機温度に応じて、各インキ供給部の各接触圧調整手段を調整する。
【０６２３】
ステップＰ４７９において、ＣＰＵ１０は、入力装置１３に設けられた本刷り完了ボタンが、オペレータによりＯＮにされているか判断する。ＣＰＵ１０は、本刷り完了ボタンがＯＮになっている場合、ステップＰ３００を実行する。また、ＣＰＵ１０は、本刷り完了ボタンがＯＮになっていない場合、ステップＰ３７７を実行する。
【０６２４】
〔第６の実施の形態〕
本願発明の第６の実施形態に係る液体塗布機械の接触圧調整方法、及び、液体塗布機械の接触圧調整装置について説明する。図２７は本願発明の第６の実施形態に係る液体塗布機械の接触圧調整装置が適用される印刷機内部の模式図である。図２７に示すように、本実施形態に係る印刷機には、各インキ供給部Ｍごとに、インキ・ツボ（図示せず）からインキを導き出すインキ・ツボ・ローラ３００、インキ・ツボ・ローラ３００と接する版上の凹部が画線部となるパターン胴３０１と、パターン胴３０１と接する版面の画線部のインキが移される凹版胴３０２と、凹版胴３０２と接する印刷物に印圧を加える圧胴３０３とを備えている。なお、本実施形態に係るニップ圧又は印圧を調整する接触圧調整手段は、第１の実施形態で説明した接触圧調整方法と同様である。
【０６２５】
インキ・ツボ・ローラ３００は、インキ・ツボ・ローラ３００とパターン胴３０１との間のニップ圧を調整するためにインキ・ツボ・ローラ３００−パターン胴３０１間のニップ圧調整用モータ５８が設置されている。インキ・ツボ・ローラ３００−パターン胴３０１間のニップ圧調整用モータ５８は、インキ・ツボ・ローラ３００−パターン胴３０１間のニップ圧調整用モータ・ドライバ５９により制御されている。また、インキ・ツボ・ローラ３００−パターン胴３０１間のニップ圧調整用モータ５８には、インキ・ツボ・ローラ３００とパターン胴３０１との間のニップ圧を検出するためにインキ・ツボ・ローラ３００−パターン胴３０１間のニップ圧調整用モータ用ポテンショ・メータ６０が設置されている。
【０６２６】
パターン胴３０１は、パターン胴３０１と凹版胴３０２との間のニップ圧を調整するためにパターン胴３０１−凹版胴３０２間のニップ圧調整用モータ６１が設置されている。パターン胴３０１−凹版胴３０２間のニップ圧調整用モータ６１は、パターン胴３０１−凹版胴３０２間のニップ圧調整用モータ・ドライバ６２により制御されている。また、パターン胴３０１−凹版胴３０２間のニップ圧調整用モータ６１には、パターン胴３０１と凹版胴３０２との間のニップ圧を検出するためにパターン胴３０１−凹版胴３０２間のニップ圧調整用モータ用ポテンショ・メータ６３が設置されている。
【０６２７】
圧胴３０３は、凹版胴３０２と圧胴３０３との間の印圧を調整するために凹版胴３０２−圧胴３０３間の印圧調整用モータ６４が設置されている。凹版胴３０２−圧胴３０３間の印圧調整用モータ６４は、凹版胴３０２−圧胴３０３間の印圧調整用モータ・ドライバ６５により制御されている。また、凹版胴３０２−圧胴３０３間の印圧調整用モータ６４には、凹版胴３０２と圧胴３０３との間の印圧を検出するために凹版胴３０２−圧胴３０３間の印圧調整用モータ用ポテンショ・メータ６６が設置されている。
【０６２８】
次に、本願発明の第６の実施形態に係る液体塗布機械の接触圧調整装置について説明する。図２８（ａ）及び図２８（ｂ）は本願発明の第６の実施形態に係る液体塗布機械の接触圧調整装置のハードブロック図である。図２８（ａ）及び図２８（ｂ）に示すように、液体塗布機械の接触圧調整装置１は、ＣＰＵ１０、ＲＡＭ１１、ＲＯＭ１２、入力装置１３、表示器１４、出力装置(Ｆ・Ｄドライブ、プリンタ等)１５、Ｉ／Ｏ（入出力インターフェイス）１６を備えている。
【０６２９】
また、インキ供給部Ｍは、印刷機温度測定器１７、インキ・ツボ・ローラ３００−パターン胴３０１間のニップ圧調整用モータ５８、インキ・ツボ・ローラ３００−パターン胴３０１間のニップ圧調整用モータ・ドライバ５９、インキ・ツボ・ローラ３００−パターン胴３０１間のニップ圧調整用モータ用ポテンショ・メータ６０、パターン胴３０１−凹版胴３０２間のニップ圧調整用モータ６１、パターン胴３０１−凹版胴３０２間のニップ圧調整用モータ・ドライバ６２、パターン胴３０１−凹版胴３０２間のニップ圧調整用モータ用ポテンショ・メータ６３、Ａ／Ｄ（アナログ／デジタル変換器）２７〜２９、Ｉ／Ｏ（入出力インターフェイス）３１〜３３を備えている。
【０６３０】
本実施形態に係る印刷機においては、４色のインキを用いるため、１色目（例えば、スミ）のインキ供給部２、２色目（例えば、アイ）のインキ供給部３、３色目（例えば、アカ）のインキ供給部４、及び、４色目（例えば、キ）のインキ供給部５にそれぞれ印刷機温度測定器１７、インキ・ツボ・ローラ３００−パターン胴３０１間のニップ圧調整用モータ５８、インキ・ツボ・ローラ３００−パターン胴３０１間のニップ圧調整用モータ・ドライバ５９、インキ・ツボ・ローラ３００−パターン胴３０１間のニップ圧調整用モータ用ポテンショ・メータ６０、パターン胴３０１−凹版胴３０２間のニップ圧調整用モータ６１、パターン胴３０１−凹版胴３０２間のニップ圧調整用モータ・ドライバ６２、パターン胴３０１−凹版胴３０２間のニップ圧調整用モータ用ポテンショ・メータ６３、Ａ／Ｄ（アナログ／デジタル変換器）２７〜２９、Ｉ／Ｏ（入出力インターフェイス）３１〜３３を備えている。なお、本実施形態においては、４色のインキを用いたが、インキ供給部の台数を増減して使用するインキ色数を増減することも可能である。
【０６３１】
また、接触圧調整装置１は、凹版胴３０２−圧胴３０３間の印圧調整用モータ６４、凹版胴３０２−圧胴３０３間の印圧調整用モータ・ドライバ６５、凹版胴３０２−圧胴３０３間の印圧調整用モータ用ポテンショ・メータ６６、Ａ／Ｄ（アナログ／デジタル変換器）５７、Ｉ／Ｏ（入出力インターフェイス）５９を備えている。
【０６３２】
さらに、接触圧調整装置１は、インキ供給部Ｍのインキ色ＩＣｍ記憶用メモリＭ１、選択されたインキ供給部番号記憶用メモリＭ２、カウント値Ｍ記憶用メモリＭ３、インキ供給部総数Ｍｍａｘ記憶用メモリＭ１０、印刷機温度測定器に接続されたＡ／Ｄ変換器の出力記憶用メモリＭ１１、印刷機温度記憶用メモリＭ１２、印刷機温度の合計値記憶用メモリＭ７４、印刷機温度の平均値記憶用メモリＭ７５、インキ・ツボ・ローラ３００−パターン胴３０１間のニップ圧調整用モータ用ポテンショ・メータ６０に接続されたＡ／Ｄ変換器の出力記憶用メモリＭ８４、基準のインキ・ツボ・ローラ３００−パターン胴３０１間のニップ圧記憶用メモリＭ８５、パターン胴３０１−凹版胴３０２間のニップ圧調整用モータ用ポテンショ・メータ６３に接続されたＡ／Ｄ変換器の出力記憶用メモリＭ８６、基準のパターン胴３０１−凹版胴３０２間のニップ圧記憶用メモリＭ８７、凹版胴３０２−圧胴３０３間の印圧調整用モータ用ポテンショ・メータ６６に接続されたＡ／Ｄ変換器の出力記憶用メモリＭ８８、基準の凹版胴３０２−圧胴３０３間の印圧記憶用メモリＭ８９、印刷機温度−インキ・ツボ・ローラ３００とパターン胴３０１間のニップ圧補正量変換テーブル記憶用メモリＭ９０、インキ・ツボ・ローラ３００−パターン胴３０１間のニップ圧補正量記憶用メモリＭ９１、印刷機温度−パターン胴３０１と凹版胴３０２間のニップ圧補正量変換テーブル記憶用メモリＭ９２、パターン胴３０１−凹版胴３０２間のニップ圧補正量記憶用メモリＭ９３、目標とするインキ・ツボ・ローラ３００−パターン胴３０１間のニップ圧記憶用メモリＭ９４、目標とするインキ・ツボ・ローラ３００−パターン胴３０１間のニップ圧調整用モータ用ポテンショ・メータ６０に接続されたＡ／Ｄ変換器の出力記憶用メモリＭ９５、目標とするパターン胴３０１−凹版胴３０２間のニップ圧記憶用メモリＭ９６、目標とするパターン胴３０１−凹版胴３０２間のニップ圧調整用モータ用ポテンショ・メータ６３に接続されたＡ／Ｄ変換器の出力記憶用メモリＭ９７、印刷機温度の平均値−凹版胴３０２と圧胴３０３間の印圧補正量変換テーブル記憶用メモリＭ９８、凹版胴３０２−圧胴３０３間の印圧補正量記憶用メモリＭ９９、目標とする凹版胴３０２−圧胴３０３間の印圧記憶用メモリＭ１００、目標とする凹版胴３０２−圧胴３０３間の印圧調整用モータ用ポテンショ・メータ６６に接続されたＡ／Ｄ変換器の出力記憶用メモリＭ１０１を備えている。
【０６３３】
ＣＰＵ１０は、Ｉ／Ｏ１６，３１〜３３，５９を介して与えられる各種入力情報を得て、ＲＡＭ１１やメモリＭ１〜Ｍ３、Ｍ１０〜Ｍ１２、Ｍ７４、Ｍ７５、Ｍ８４〜Ｍ１０１にアクセスしながら、ＲＯＭ１２に記憶されたプログラムに従って動作する。入力装置１３には、インキ供給部Ｍのインキ色ＩＣｍ入力部、インキ供給部選択スイッチ、インキ・ツボ・ローラ３００−パターン胴３０１間のニップ圧調整選択スイッチ、圧調整完了スイッチ、アップ・ボタン、ダウン・ボタン、パターン胴３０１−凹版胴３０２間のニップ圧調整選択スイッチ、凹版胴３０２−圧胴３０３間の印圧調整選択スイッチ、本刷り開始ボタン、本刷り完了ボタン等の各種入力装置が設置されている。
【０６３４】
次に、本願発明の第６の実施形態に係る液体塗布機械の接触圧調整装置の動作について説明する。図２９（ａ）〜図２９（ｃ）、図３０（ａ）〜図３０（ｃ）、図３１（ａ）、図３１（ｂ）、図３２（ａ）、及び、図３２（ｂ）は本願発明の第６の実施形態に係る液体塗布機械の接触圧調整装置１の動作フロー図である。以下、各ステップ毎に処理の内容について説明する。
【０６３５】
ステップＰ５００において、ＣＰＵ１０は、各メモリを初期化する。ＣＰＵ１０は、ステップＰ５００の処理が完了した後、ステップＰ５０１を実行する。
【０６３６】
ステップＰ５０１において、ＣＰＵ１０は、入力装置１３に設けられたインキ供給部Ｍのインキ色ＩＣｍの入力部に、オペレータによりインキ供給部Ｍのインキ色ＩＣｍが入力されているかを判断する。ＣＰＵ１０は、インキ供給部Ｍのインキ色ＩＣｍが、オペレータにより入力されている場合、ステップＰ５０２を実行する。また、ＣＰＵ１０は、インキ供給部Ｍのインキ色ＩＣｍが、オペレータにより入力されていない場合、ステップＰ５０２をとばしてステップＰ５０３を実行する。
【０６３７】
ステップＰ５０２において、ＣＰＵ１０は、インキ供給部Ｍのインキ色ＩＣｍを読み込み、メモリＭ１へ記憶する。ＣＰＵ１０は、ステップＰ５０２の処理が完了した後、ステップＰ５０３を実行する。
【０６３８】
ステップＰ５０３において、ＣＰＵ１０は、入力装置１３に設けられたインキ供給部選択スイッチが、オペレータによりＯＮにされているか判断する。ＣＰＵ１０は、インキ供給部選択スイッチがＯＮになっている場合、ステップＰ５０４を実行する。また、ＣＰＵ１０は、インキ供給部選択スイッチがＯＮになっていない場合、ステップＰ５０４をとばしてステップＰ５０５を実行する。
【０６３９】
ステップＰ５０４において、ＣＰＵ１０は、選択されたインキ供給部番号ＭをメモリＭ２に記憶する。ＣＰＵ１０は、ステップＰ５０４の処理が完了した後、ステップＰ５０５を実行する。
【０６４０】
ステップＰ５０５において、ＣＰＵ１０は、入力装置１３に設けられたインキ・ツボ・ローラ−パターン胴間のニップ圧調整選択スイッチが、オペレータによりＯＮにされているか判断する。ＣＰＵ１０は、インキ・ツボ・ローラ−パターン胴間のニップ圧調整選択スイッチがＯＮになっている場合、ステップＰ５０６を実行する。また、ＣＰＵ１０は、インキ・ツボ・ローラ−パターン胴間のニップ圧調整選択スイッチがＯＮになっていない場合、ステップＰ５０６からステップＰ５１６をとばしてステップＰ５１７を実行する。
【０６４１】
ステップＰ５０６において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ５０７からステップＰ５１６をとばしてステップＰ５１７を実行する。また、ＣＰＵ１０は、圧調整完了スイッチがＯＮになっていない場合、ステップＰ５０７を実行する。
【０６４２】
ステップＰ５０７において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ５０８を実行する。また、ＣＰＵ１０は、アップ・ボタンがＯＮになっていない場合、ステップＰ５０８からステップＰ５１１をとばしてステップＰ５１２を実行する。
【０６４３】
ステップＰ５０８において、ＣＰＵ１０は、メモリＭ２に記憶された選択されたインキ供給部番号Ｍを読み込む。ＣＰＵ１０は、ステップＰ５０８の処理が完了した後、ステップＰ５０９を実行する。
【０６４４】
ステップＰ５０９において、ＣＰＵ１０は、インキ供給部Ｍのインキ・ツボ・ローラ−パターン胴間のニップ圧調整用モータ・ドライバ５９に正転指令を出力する。ＣＰＵ１０は、ステップＰ５０９の処理が完了した後、ステップＰ５１０を実行する。
【０６４５】
ステップＰ５１０において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ５１１を実行する。また、ＣＰＵ１０は、アップ・ボタンがＯＦＦになっていない場合、ステップＰ５１０を再度実行する。
【０６４６】
ステップＰ５１１において、ＣＰＵ１０は、インキ供給部Ｍのインキ・ツボ・ローラ−パターン胴間のニップ圧調整用モータ・ドライバ５９への正転指令出力を停止する。ＣＰＵ１０は、ステップＰ５１１の処理が完了した後、ステップＰ５１２を実行する。
【０６４７】
ステップＰ５１２において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ５１３を実行する。また、ＣＰＵ１０は、ダウン・ボタンがＯＮになっていない場合、ステップＰ５０６を実行する。
【０６４８】
ステップＰ５１３において、ＣＰＵ１０は、メモリＭ２に記憶された選択されたインキ供給部番号Ｍを読み込む。ＣＰＵ１０は、ステップＰ５１３の処理が完了した後、ステップＰ５１４を実行する。
【０６４９】
ステップＰ５１４において、ＣＰＵ１０は、インキ供給部Ｍのインキ・ツボ・ローラ−パターン胴間のニップ圧調整用モータ・ドライバ５９に逆転指令を出力する。ＣＰＵ１０は、ステップＰ５１４の処理が完了した後、ステップＰ５１５を実行する。
【０６５０】
ステップＰ５１５において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ５１６を実行する。また、ＣＰＵ１０は、ダウン・ボタンがＯＦＦになっていない場合、ステップＰ５１５を再度実行する。
【０６５１】
ステップＰ５１６において、ＣＰＵ１０は、インキ供給部Ｍのインキ・ツボ・ローラ−パターン胴間のニップ圧調整用モータ・ドライバ５９への逆転指令出力を停止する。ＣＰＵ１０は、ステップＰ５１６の処理が完了した後、ステップＰ５０６を実行する。
【０６５２】
ステップＰ５１７において、ＣＰＵ１０は、入力装置１３に設けられたパターン胴−凹版胴間のニップ圧調整選択スイッチが、オペレータによりＯＮにされているか判断する。ＣＰＵ１０は、パターン胴−凹版胴間のニップ圧調整選択スイッチがＯＮになっている場合、ステップＰ５１８を実行する。また、ＣＰＵ１０は、パターン胴−凹版胴間のニップ圧調整選択スイッチがＯＮになっていない場合、ステップＰ５１８からステップＰ５２８をとばしてステップＰ５２９を実行する。
【０６５３】
ステップＰ５１８において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ５１９からステップＰ５２８をとばしてステップＰ５２９を実行する。また、ＣＰＵ１０は、圧調整完了スイッチがＯＮになっていない場合、ステップＰ５１９を実行する。
【０６５４】
ステップＰ５１９において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ５２０を実行する。また、ＣＰＵ１０は、アップ・ボタンがＯＮになっていない場合、ステップＰ５２０からステップＰ５２３をとばしてステップＰ５２４を実行する。
【０６５５】
ステップＰ５２０において、ＣＰＵ１０は、メモリＭ２から選択されたインキ供給部番号Ｍを読み込む。ＣＰＵ１０は、ステップＰ５２０の処理が完了した後、ステップＰ５２１を実行する。
【０６５６】
ステップＰ５２１において、ＣＰＵ１０は、インキ供給部Ｍのパターン胴−凹版胴間のニップ圧調整用モータ・ドライバ６２に正転指令を出力する。ＣＰＵ１０は、ステップＰ５２１の処理が完了した後、ステップＰ５２２を実行する。
【０６５７】
ステップＰ５２２において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ５２３を実行する。また、ＣＰＵ１０は、アップ・ボタンがＯＦＦになっていない場合、ステップＰ５２２を再度実行する。
【０６５８】
ステップＰ５２３において、ＣＰＵ１０は、インキ供給部Ｍのパターン胴−凹版胴間のニップ圧調整用モータ・ドライバ６２への正転指令出力を停止する。ＣＰＵ１０は、ステップＰ５２３の処理が完了した後、ステップＰ５２４を実行する。
【０６５９】
ステップＰ５２４において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ５２５を実行する。また、ＣＰＵ１０は、ダウン・ボタンがＯＮになっていない場合、ステップＰ５１８を実行する。
【０６６０】
ステップＰ５２５において、ＣＰＵ１０は、メモリＭ２から選択されたインキ供給部番号Ｍを読み込む。ＣＰＵ１０は、ステップＰ５２５の処理が完了した後、ステップＰ５２６を実行する。
【０６６１】
ステップＰ５２６において、ＣＰＵ１０は、インキ供給部Ｍのパターン胴−凹版胴間のニップ圧調整用モータ・ドライバ６２に逆転指令を出力する。ＣＰＵ１０は、ステップＰ５２６の処理が完了した後、ステップＰ５２７を実行する。
【０６６２】
ステップＰ５２７において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ５２８を実行する。また、ＣＰＵ１０は、ダウン・ボタンがＯＦＦになっていない場合、ステップＰ５２７を再度実行する。
【０６６３】
ステップＰ５２８において、ＣＰＵ１０は、インキ供給部Ｍのインキ着けローラ−パターン胴間のニップ圧調整用モータ・ドライバ６２への逆転指令出力を停止する。ＣＰＵ１０は、ステップＰ５２８の処理が完了した後、ステップＰ５１８を実行する。
【０６６４】
ステップＰ５２９において、ＣＰＵ１０は、入力装置１３に設けられた凹版胴−圧胴間の印圧調整選択スイッチが、オペレータによりＯＮにされているか判断する。ＣＰＵ１０は、凹版胴−圧胴間の印圧調整選択スイッチがＯＮになっている場合、ステップＰ５３０を実行する。また、ＣＰＵ１０は、凹版胴−圧胴間の印圧調整選択スイッチがＯＮになっていない場合、ステップＰ５３０からステップＰ５３８をとばしてステップＰ５３９を実行する。
【０６６５】
ステップＰ５３０において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ５３１からステップＰ５３８をとばしてステップＰ５３９を実行する。また、ＣＰＵ１０は、圧調整完了スイッチがＯＮになっていない場合、ステップＰ５３１を実行する。
【０６６６】
ステップＰ５３１において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ５３２を実行する。また、ＣＰＵ１０は、アップ・ボタンがＯＮになっていない場合、ステップＰ５３２からステップＰ５３４をとばしてステップＰ５３５を実行する。
【０６６７】
ステップＰ５３２において、ＣＰＵ１０は、凹版胴−圧胴間の印圧調整用モータ・ドライバ６５に正転指令を出力する。ＣＰＵ１０は、ステップＰ５３２の処理が完了した後、ステップＰ５３３を実行する。
【０６６８】
ステップＰ５３３において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ５３４を実行する。また、ＣＰＵ１０は、アップ・ボタンがＯＦＦになっていない場合、ステップＰ５３３を再度実行する。
【０６６９】
ステップＰ５３４において、ＣＰＵ１０は、凹版胴−圧胴間の印圧調整用モータ・ドライバ６５への正転指令出力を停止する。ＣＰＵ１０は、ステップＰ５３４の処理が完了した後、ステップＰ５３５を実行する。
【０６７０】
ステップＰ５３５において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ５３６を実行する。また、ＣＰＵ１０は、ダウン・ボタンがＯＮになっていない場合、ステップＰ５３０を実行する。
【０６７１】
ステップＰ５３６において、ＣＰＵ１０は、凹版胴−圧胴間の印圧調整用モータ・ドライバ６５に逆転指令を出力する。ＣＰＵ１０は、ステップＰ５３６の処理が完了した後、ステップＰ５３７を実行する。
【０６７２】
ステップＰ５３７において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ５３８を実行する。また、ＣＰＵ１０は、ダウン・ボタンがＯＦＦになっていない場合、ステップＰ５３７を再度実行する。
【０６７３】
ステップＰ５３８において、ＣＰＵ１０は、凹版胴−圧胴間の印圧調整用モータ・ドライバ６５への逆転指令出力を停止する。ＣＰＵ１０は、ステップＰ５３８の処理が完了した後、ステップＰ５３０を実行する。以上のステップにより、オペレータのマニュアル操作による本刷り開始前の各インキ供給部Ｍの各接触圧調整手段の調整が行われる。
【０６７４】
ステップＰ５３９において、ＣＰＵ１０は、入力装置１３に設けられた本刷り開始ボタンが、オペレータによりＯＮにされているか判断する。ＣＰＵ１０は、本刷り開始ボタンがＯＮになっている場合、ステップＰ５４０を実行する。また、ＣＰＵ１０は、本刷り開始ボタンがＯＮになっていない場合、ステップＰ５０１を実行する。
【０６７５】
ステップＰ５４０において、ＣＰＵ１０は、メモリＭ３に記憶されたカウント値Ｍに１を書き込む。ＣＰＵ１０は、ステップＰ５４０の処理が完了した後、ステップＰ５４１を実行する。
【０６７６】
ステップＰ５４１において、ＣＰＵ１０は、インキ供給部Ｍのインキ・ツボ・ローラ−パターン胴間のニップ圧調整用モータ用ポテンショ・メータ６０に接続されたＡ／Ｄ変換器の出力を読み込み、メモリＭ８４に記憶する。ＣＰＵ１０は、ステップＰ５４１の処理が完了した後、ステップＰ５４２を実行する。
【０６７７】
ステップＰ５４２において、ＣＰＵ１０は、インキ供給部Ｍのインキ・ツボ・ローラ−パターン胴間のニップ圧調整用モータ用ポテンショ・メータに接続されたＡ／Ｄ変換器の出力より、インキ供給部Ｍの基準のインキ・ツボ・ローラ−パターン胴間のニップ圧を演算し、この演算結果をメモリＭ８５に記憶する。ＣＰＵ１０は、ステップＰ５４２の処理が完了した後、ステップＰ５４３を実行する。
【０６７８】
ステップＰ５４３において、ＣＰＵ１０は、インキ供給部Ｍのパターン胴−凹版胴間のニップ圧調整用モータ用ポテンショ・メータ６３に接続されたＡ／Ｄ変換器の出力を読み込み、メモリＭ８６に記憶する。ＣＰＵ１０は、ステップＰ５４３の処理が完了した後、ステップＰ５４４を実行する。
【０６７９】
ステップＰ５４４において、ＣＰＵ１０は、インキ供給部Ｍのパターン胴−凹版胴間のニップ圧調整用モータ用ポテンショ・メータ６３に接続されたＡ／Ｄ変換器の出力より、インキ供給部Ｍの基準のパターン胴−凹版胴間のニップ圧を演算し、この演算結果をメモリＭ８７に記憶する。ＣＰＵ１０は、ステップＰ５４４の処理が完了した後、ステップＰ５４５を実行する。
【０６８０】
ステップＰ５４５において、ＣＰＵ１０は、メモリＭ３に記憶されたカウント値Ｍに１を加算し上書きする。ＣＰＵ１０は、ステップＰ５４５の処理が完了した後、ステップＰ５４６を実行する。
【０６８１】
ステップＰ５４６において、ＣＰＵ１０は、メモリＭ１０に記憶されたインキ供給部総数Ｍｍａｘを読み込む。ＣＰＵ１０は、ステップＰ５４６の処理が完了した後、ステップＰ５４７を実行する。
【０６８２】
ステップＰ５４７において、ＣＰＵ１０は、メモリＭ３に記憶されたカウント値Ｍがインキ供給部総数Ｍｍａｘより大きいか判断する。ＣＰＵ１０は、メモリＭ３に記憶されたカウント値Ｍがインキ供給部総数Ｍｍａｘより大きい場合、ステップＰ５４８を実行する。また、ＣＰＵ１０は、メモリＭ３に記憶されたカウント値Ｍがインキ供給部総数Ｍｍａｘより大きくない場合、ステップＰ５４１を実行する。
【０６８３】
ステップＰ５４８において、ＣＰＵ１０は、凹版胴−圧胴間の印圧調整用モータ用ポテンショ・メータ６６に接続されたＡ／Ｄ変換器の出力を読み込み、メモリＭ８８に記憶する。ＣＰＵ１０は、ステップＰ５４８の処理が完了した後、ステップＰ５４９を実行する。
【０６８４】
ステップＰ５４９において、ＣＰＵ１０は、凹版胴−圧胴間の印圧調整用モータ用ポテンショ・メータ６６に接続されたＡ／Ｄ変換器の出力より、基準の凹版胴−圧胴間の印圧を演算し、この演算結果をメモリＭ８９に記憶する。ＣＰＵ１０は、ステップＰ５４９の処理が完了した後、ステップＰ５５０を実行する。以上のステップにより、本刷りが開始された時の各インキ供給部Ｍの各接触圧調整手段の位置を、基準位置として記憶する。
【０６８５】
ステップＰ５５０において、ＣＰＵ１０は、メモリＭ３に記憶されたカウント値Ｍに１を書き込む。ＣＰＵ１０は、ステップＰ５５０の処理が完了した後、ステップＰ５５１を実行する。
【０６８６】
ステップＰ５５１において、ＣＰＵ１０は、インキ供給部Ｍの印刷機温度測定器１７に接続されたＡ／Ｄ変換器の出力を読み込み、メモリＭ１１に記憶する。ＣＰＵ１０は、ステップＰ５５１の処理が完了した後、ステップＰ５５２を実行する。
【０６８７】
ステップＰ５５２において、ＣＰＵ１０は、インキ供給部Ｍの印刷機温度測定器１７に接続されたＡ／Ｄ変換器の出力より、インキ供給部Ｍの印刷機温度を演算し、この演算結果をメモリＭ１２に記憶する。ＣＰＵ１０は、ステップＰ５５２の処理が完了した後、ステップＰ５５３を実行する。
【０６８８】
ステップＰ５５３において、ＣＰＵ１０は、メモリＭ１に記憶されたインキ供給部Ｍのインキ色ＩＣｍを読み込む。ＣＰＵ１０は、ステップＰ５５３の処理が完了した後、ステップＰ５５４を実行する。
【０６８９】
ステップＰ５５４において、ＣＰＵ１０は、メモリＭ９０に記憶されたインキ色ＩＣｍの印刷機温度−インキ・ツボ・ローラとパターン胴間のニップ圧補正量変換テーブルを読み込む。ＣＰＵ１０は、ステップＰ５５４の処理が完了した後、ステップＰ５５５を実行する。
【０６９０】
ステップＰ５５５において、ＣＰＵ１０は、インキ色ＩＣｍの印刷機温度−インキ・ツボ・ローラとパターン胴間のニップ圧補正量変換テーブルを用いて、インキ供給部Ｍの印刷機温度より、インキ・ツボ・ローラ−パターン胴間のニップ圧補正量を求め、メモリＭ９１に記憶する。ＣＰＵ１０は、ステップＰ５５５の処理が完了した後、ステップＰ５５６を実行する。
【０６９１】
ステップＰ５５６において、ＣＰＵ１０は、メモリＭ９２に記憶されたインキ色ＩＣｍの印刷機温度−パターン胴と凹版胴間のニップ圧補正量変換テーブルを読み込む。ステップＰ５５６の処理が完了した後、ステップＰ５５７を実行する。
【０６９２】
ステップＰ５５７において、ＣＰＵ１０は、インキ色ＩＣｍの印刷機温度−パターン胴と凹版胴間のニップ圧補正量変換テーブルを用いて、インキ供給部Ｍの印刷機温度より、パターン胴−凹版胴間のニップ圧補正量を求め、メモリＭ９３に記憶する。ＣＰＵ１０は、ステップＰ５５７の処理が完了した後、ステップＰ５５８を実行する。
【０６９３】
ステップＰ５５８において、ＣＰＵ１０は、メモリＭ８５に記憶されたインキ供給部Ｍの基準のインキ・ツボ・ローラ−パターン胴間のニップ圧を読み込む。ＣＰＵ１０は、ステップＰ５５８の処理が完了した後、ステップＰ５５９を実行する。
【０６９４】
ステップＰ５５９において、ＣＰＵ１０は、メモリＭ９１に記憶されたインキ供給部Ｍのインキ・ツボ・ローラ−パターン胴間のニップ圧補正量を読み込む。ＣＰＵ１０は、ステップＰ５５９の処理が完了した後、ステップＰ５６０を実行する。
【０６９５】
ステップＰ５６０において、ＣＰＵ１０は、インキ供給部Ｍの基準のインキ・ツボ・ローラ−パターン胴間のニップ圧にインキ供給部Ｍのインキ・ツボ・ローラ−パターン胴間のニップ圧補正量を加算し、目標とするインキ・ツボ・ローラ−パターン胴間のニップ圧を演算し、この演算結果をメモリＭ９４に記憶する。ＣＰＵ１０は、ステップＰ５６０の処理が完了した後、ステップＰ５６１を実行する。
【０６９６】
ステップＰ５６１において、ＣＰＵ１０は、インキ供給部Ｍの目標とするインキ・ツボ・ローラ−パターン胴間のニップ圧より、目標とするインキ・ツボ・ローラ−パターン胴間のニップ圧調整用モータ用ポテンショ・メータに接続されたＡ／Ｄ変換器の出力を演算し、この演算結果をメモリＭ９５に記憶する。ＣＰＵ１０は、ステップＰ５６１の処理が完了した後、ステップＰ５６２を実行する。
【０６９７】
ステップＰ５６２において、ＣＰＵ１０は、インキ供給部Ｍのインキ・ツボ・ローラ−パターン胴間のニップ圧調整用モータ用ポテンショ・メータ６０に接続されたＡ／Ｄ変換器の出力を読み込み、メモリＭ８４に記憶する。ＣＰＵ１０は、ステップＰ５６２の処理が完了した後、ステップＰ５６３を実行する。
【０６９８】
ステップＰ５６３において、ＣＰＵ１０は、メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力と、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力とが等しいか判断する。
【０６９９】
メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力と、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力とが等しい場合、ステップＰ５６４からステップＰ５７２をとばしてステップＰ５７３を実行する。
【０７００】
また、メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力と、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力とが等しくない場合、ステップＰ５６４を実行する。
【０７０１】
ステップＰ５６４において、ＣＰＵ１０は、メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力より、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力が大きいか判断する。
【０７０２】
メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力より、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力が大きい場合、ステップＰ５６５を実行する。
【０７０３】
また、メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力より、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力が大きくない場合、ステップＰ５６９を実行する。
【０７０４】
ステップＰ５６５において、ＣＰＵ１０は、インキ供給部Ｍのインキ・ツボ・ローラ−パターン胴間のニップ圧調整用モータ・ドライバ５９に正転指令を出力する。ＣＰＵ１０は、ステップＰ５６５の処理が完了した後、ステップＰ５６６を実行する。
【０７０５】
ステップＰ５６６において、ＣＰＵ１０は、インキ供給部Ｍのインキ・ツボ・ローラ−パターン胴間のニップ圧調整用モータ用ポテンショ・メータ６０に接続されたＡ／Ｄ変換器の出力を読み込み、メモリＭ８４に記憶する。ＣＰＵ１０は、ステップＰ５６６の処理が完了した後、ステップＰ５６７を実行する。
【０７０６】
ステップＰ５６７において、ＣＰＵ１０は、メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力と、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力とが等しいか判断する。
【０７０７】
メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力と、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力とが等しい場合、ステップＰ５６８を実行する。
【０７０８】
また、メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力と、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力とが等しくない場合、ステップＰ５６６を実行する。
【０７０９】
ステップＰ５６８において、ＣＰＵ１０は、インキ供給部Ｍのインキ・ツボ・ローラ−インキ着けローラ間のニップ圧調整用モータ・ドライバ５９への正転指令出力を停止する。ＣＰＵ１０は、ステップＰ５６８の処理が完了した後、ステップＰ５７３を実行する。
【０７１０】
ステップＰ５６９において、ＣＰＵ１０は、インキ供給部Ｍのインキ・ツボ・ローラ−パターン胴間のニップ圧調整用モータ・ドライバ５９に逆転指令を出力する。ＣＰＵ１０は、ステップＰ５６９の処理が完了した後、ステップＰ５７０を実行する。
【０７１１】
ステップＰ５７０において、ＣＰＵ１０は、インキ供給部Ｍのインキ・ツボ・ローラ−パターン胴間のニップ圧調整用モータ用ポテンショ・メータ６０に接続されたＡ／Ｄ変換器の出力を読み込み、メモリＭ８４に記憶する。ＣＰＵ１０は、ステップＰ５７０の処理が完了した後、ステップＰ５７１を実行する。
【０７１２】
ステップＰ５７１において、ＣＰＵ１０は、メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力と、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力とが等しいか判断する。
【０７１３】
メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力と、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力とが等しい場合、ステップＰ５７２を実行する。
【０７１４】
また、メモリＭ８４に記憶されたインキ供給部Ｍのインキ・ツボ・ローラ−パターン胴間のニップ圧調整用モータ用ポテンショ・メータ６０に接続されたＡ／Ｄ変換器の出力と、メモリＭ９５に記憶されたインキ供給部Ｍの目標とするインキ・ツボ・ローラ−パターン胴間のニップ圧調整用モータ用ポテンショ・メータ６０に接続されたＡ／Ｄ変換器の出力とが等しくない場合、ステップＰ５７０を実行する。
【０７１５】
ステップＰ５７２において、ＣＰＵ１０は、インキ供給部Ｍのインキ・ツボ・ローラ−パターン胴間のニップ圧調整用モータ・ドライバ５９への逆転指令を停止し、インキ供給部Ｍのインキ・ツボ・ローラ−パターン胴間のニップ圧調整用モータ５８を停止させる。ＣＰＵ１０は、ステップＰ５７２の処理が完了した後、ステップＰ５７３を実行する。
【０７１６】
ステップＰ５７３において、ＣＰＵ１０は、メモリＭ８７に記憶されたインキ供給部Ｍの基準のパターン胴−凹版胴間のニップ圧を読み込む。ＣＰＵ１０は、ステップＰ５７３の処理が完了した後、ステップＰ５７４を実行する。
【０７１７】
ステップＰ５７４において、ＣＰＵ１０は、メモリＭ９３に記憶されたインキ供給部Ｍのパターン胴−凹版胴間のニップ圧補正量を読み込む。ＣＰＵ１０は、ステップＰ５７４の処理が完了した後、ステップＰ５７５を実行する。
【０７１８】
ステップＰ５７５において、ＣＰＵ１０は、インキ供給部Ｍの基準のパターン胴−凹版胴間のニップ圧にインキ供給部Ｍのパターン胴−凹版胴間のニップ圧補正量を加算し、目標とするパターン胴−凹版胴間のニップ圧を演算し、この演算結果をメモリＭ９６に記憶する。ＣＰＵ１０は、ステップＰ５７５の処理が完了した後、ステップＰ５７６を実行する。
【０７１９】
ステップＰ５７６において、ＣＰＵ１０は、インキ供給部Ｍの目標とするパターン胴−凹版胴間のニップ圧より、目標とするパターン胴−凹版胴間のニップ圧調整用モータ用ポテンショ・メータ６３に接続されたＡ／Ｄ変換器の出力を演算し、この演算結果をメモリＭ９７に記憶する。ＣＰＵ１０は、ステップＰ５７６の処理が完了した後、ステップＰ５７７を実行する。
【０７２０】
ステップＰ５７７において、ＣＰＵ１０は、インキ供給部Ｍのパターン胴−凹版胴間のニップ圧調整用モータ用ポテンショ・メータ６３に接続されたＡ／Ｄ変換器の出力を読み込み、メモリＭ８６に記憶する。ＣＰＵ１０は、ステップＰ５７７の処理が完了した後、ステップＰ５７８を実行する。
【０７２１】
ステップＰ５７８において、ＣＰＵ１０は、メモリＭ８６に記憶されたインキ供給部Ｍのパターン胴−凹版胴間のニップ圧調整用モータ用ポテンショ・メータ６３に接続されたＡ／Ｄ変換器の出力と、メモリＭ９７に記憶されたインキ供給部Ｍの目標とするパターン胴−凹版胴間のニップ圧調整用モータ用ポテンショ・メータ６３に接続されたＡ／Ｄ変換器の出力とが等しいか判断する。
【０７２２】
メモリＭ８６に記憶されたインキ供給部Ｍのパターン胴−凹版胴間のニップ圧調整用モータ用ポテンショ・メータ６３に接続されたＡ／Ｄ変換器の出力と、メモリＭ９７に記憶されたインキ供給部Ｍの目標とするパターン胴−凹版胴間のニップ圧調整用モータ用ポテンショ・メータ６３に接続されたＡ／Ｄ変換器の出力とが等しい場合は、ステップＰ５７９からステップＰ５８７をとばしてステップＰ５８８を実行する。
【０７２３】
また、メモリＭ８６に記憶されたインキ供給部Ｍのパターン胴−凹版胴間のニップ圧調整用モータ用ポテンショ・メータ６３に接続されたＡ／Ｄ変換器の出力と、メモリＭ９７に記憶されたインキ供給部Ｍの目標とするパターン胴−凹版胴間のニップ圧調整用モータ用ポテンショ・メータ６３に接続されたＡ／Ｄ変換器の出力とが等しくない場合は、ステップＰ５７９を実行する。
【０７２４】
ステップＰ５７９において、ＣＰＵ１０は、メモリＭ８６に記憶されたインキ供給部Ｍのパターン胴−凹版胴間のニップ圧調整用モータ用ポテンショ・メータ６３に接続されたＡ／Ｄ変換器の出力より、メモリＭ９７に記憶されたインキ供給部Ｍの目標とするパターン胴−凹版胴間のニップ圧調整用モータ用ポテンショ・メータ６３に接続されたＡ／Ｄ変換器の出力が大きいか判断する。
【０７２５】
メモリＭ８６に記憶されたインキ供給部Ｍのパターン胴−凹版胴間のニップ圧調整用モータ用ポテンショ・メータ６３に接続されたＡ／Ｄ変換器の出力より、メモリＭ９７に記憶されたインキ供給部Ｍの目標とするパターン胴−凹版胴間のニップ圧調整用モータ用ポテンショ・メータ６３に接続されたＡ／Ｄ変換器の出力が大きい場合、ステップＰ５８０を実行する。
【０７２６】
また、メモリＭ８６に記憶されたインキ供給部Ｍのパターン胴−凹版胴間のニップ圧調整用モータ用ポテンショ・メータ６３に接続されたＡ／Ｄ変換器の出力より、メモリＭ９７に記憶されたインキ供給部Ｍの目標とするパターン胴−凹版胴間のニップ圧調整用モータ用ポテンショ・メータ６３に接続されたＡ／Ｄ変換器の出力が大きくない場合、ステップＰ５８４を実行する。
【０７２７】
ステップＰ５８０において、ＣＰＵ１０は、インキ供給部Ｍのパターン胴−凹版胴間のニップ圧調整用モータ・ドライバ６２に正転指令を出力する。ＣＰＵ１０は、ステップＰ５８０の処理が完了した後、ステップＰ５８１を実行する。
【０７２８】
ステップＰ５８１において、ＣＰＵ１０は、インキ供給部Ｍのパターン胴−凹版胴間のニップ圧調整用モータ用ポテンショ・メータ６３に接続されたＡ／Ｄ変換器の出力を読み込み、メモリＭ８６に記憶する。ＣＰＵ１０は、ステップＰ５８１の処理が完了した後、ステップＰ５８２を実行する。
【０７２９】
ステップＰ５８２において、ＣＰＵ１０は、メモリＭ８６に記憶されたインキ供給部Ｍのパターン胴−凹版胴間のニップ圧調整用モータ用ポテンショ・メータ６３に接続されたＡ／Ｄ変換器の出力と、メモリＭ９７に記憶されたインキ供給部Ｍの目標とするパターン胴−凹版胴間のニップ圧調整用モータ用ポテンショ・メータ６３に接続されたＡ／Ｄ変換器の出力とが等しいか判断する。
【０７３０】
メモリＭ８６に記憶されたインキ供給部Ｍのパターン胴−凹版胴間のニップ圧調整用モータ用ポテンショ・メータ６３に接続されたＡ／Ｄ変換器の出力と、メモリＭ９７に記憶されたインキ供給部Ｍの目標とするパターン胴−凹版胴間のニップ圧調整用モータ用ポテンショ・メータ６３に接続されたＡ／Ｄ変換器の出力とが等しい場合は、ステップＰ５８３を実行する。
【０７３１】
また、メモリＭ８６に記憶されたインキ供給部Ｍのパターン胴−凹版胴間のニップ圧調整用モータ用ポテンショ・メータ６３に接続されたＡ／Ｄ変換器の出力と、メモリＭ９７に記憶されたインキ供給部Ｍの目標とするパターン胴−凹版胴間のニップ圧調整用モータ用ポテンショ・メータ６３に接続されたＡ／Ｄ変換器の出力とが等しくない場合は、ステップＰ５８１を実行する。
【０７３２】
ステップＰ５８３において、ＣＰＵ１０は、インキ供給部Ｍのパターン胴−凹版胴間のニップ圧調整用モータ・ドライバ６２への正転指令出力を停止する。ＣＰＵ１０は、ステップＰ５８３の処理が完了した後、ステップＰ５８８を実行する。
【０７３３】
ステップＰ５８４において、ＣＰＵ１０は、インキ供給部Ｍのパターン胴−凹版胴間のニップ圧調整用モータ・ドライバ６２に逆転指令を出力する。ＣＰＵ１０は、ステップＰ５８４の処理が完了した後、ステップＰ５８５を実行する。
【０７３４】
ステップＰ５８５において、ＣＰＵ１０は、インキ供給部Ｍのパターン胴−凹版胴間のニップ圧調整用モータ用ポテンショ・メータ６３に接続されたＡ／Ｄ変換器の出力を読み込み、メモリＭ８６に記憶する。ＣＰＵ１０は、ステップＰ５８５の処理が完了した後、ステップＰ５８６を実行する。
【０７３５】
ステップＰ５８６において、ＣＰＵ１０は、メモリＭ８６に記憶されたインキ供給部Ｍのパターン胴−凹版胴間のニップ圧調整用モータ用ポテンショ・メータ６３に接続されたＡ／Ｄ変換器の出力と、メモリＭ９７に記憶されたインキ供給部Ｍの目標とするパターン胴−凹版胴間のニップ圧調整用モータ用ポテンショ・メータ６３に接続されたＡ／Ｄ変換器の出力とが等しいか判断する。
【０７３６】
メモリＭ８６に記憶されたインキ供給部Ｍのパターン胴−凹版胴間のニップ圧調整用モータ用ポテンショ・メータ６３に接続されたＡ／Ｄ変換器の出力と、メモリＭ９７に記憶されたインキ供給部Ｍの目標とするパターン胴−凹版胴間のニップ圧調整用モータ用ポテンショ・メータ６３に接続されたＡ／Ｄ変換器の出力とが等しい場合は、ステップＰ５８５を実行する。
【０７３７】
また、メモリＭ８６に記憶されたインキ供給部Ｍのパターン胴−凹版胴間のニップ圧調整用モータ用ポテンショ・メータ６３に接続されたＡ／Ｄ変換器の出力と、メモリＭ９７に記憶されたインキ供給部Ｍの目標とするパターン胴−凹版胴間のニップ圧調整用モータ用ポテンショ・メータ６３に接続されたＡ／Ｄ変換器の出力とが等しくない場合は、ステップＰ５８５を実行する。
【０７３８】
ステップＰ５８７において、ＣＰＵ１０は、インキ供給部Ｍのパターン胴−凹版胴間のニップ圧調整用モータ・ドライバ６２への逆転指令出力を停止する。ＣＰＵ１０は、ステップＰ５８７の処理が完了した後、ステップＰ５８８を実行する。
【０７３９】
ステップＰ５８８において、ＣＰＵ１０は、メモリＭ３に記憶されたカウント値Ｍに１を加算し上書きする。ＣＰＵ１０は、ステップＰ５８８の処理が完了した後、ステップＰ５８９を実行する。
【０７４０】
ステップＰ５８９において、ＣＰＵ１０は、メモリＭ１０からインキ供給部総数Ｍｍａｘを読み込む。ＣＰＵ１０は、ステップＰ５８９の処理が完了した後、ステップＰ５９０を実行する。
【０７４１】
ステップＰ５９０において、ＣＰＵ１０は、メモリＭ３に記憶されたカウント値Ｍがインキ供給部総数Ｍｍａｘより大きいか判断する。ＣＰＵ１０は、メモリＭ３に記憶されたカウント値Ｍがインキ供給部総数Ｍｍａｘより大きい場合、ステップＰ５９１を実行する。また、ＣＰＵ１０は、メモリＭ３に記憶されたカウント値Ｍがインキ供給部総数Ｍｍａｘより大きくない場合、ステップＰ５５０を実行する。
【０７４２】
ステップＰ５９１において、ＣＰＵ１０は、印刷機温度の合計値記憶用メモリＭ７４に、ゼロを書き込む。ＣＰＵ１０は、ステップＰ５９１の処理が完了した後、ステップＰ５９２を実行する。
【０７４３】
ステップＰ５９２において、ＣＰＵ１０は、メモリＭ３に記憶されたカウント値Ｍに１を書き込む。ＣＰＵ１０は、ステップＰ５９２の処理が完了した後、ステップＰ５９３を実行する。
【０７４４】
ステップＰ５９３において、ＣＰＵ１０は、メモリＭ１２に記憶されたインキ供給部Ｍの印刷機温度を読み込む。ＣＰＵ１０は、ステップＰ５９３の処理が完了した後、ステップＰ５９４を実行する。
【０７４５】
ステップＰ５９４において、ＣＰＵ１０は、メモリＭ７４に記憶された印刷機温度の合計値を読み込む。ＣＰＵ１０は、ステップＰ５９４の処理が完了した後、ステップＰ５９５を実行する。
【０７４６】
ステップＰ５９５において、ＣＰＵ１０は、印刷機温度の合計値にインキ供給部Ｍの印刷機温度を加算し、求めた値を印刷機温度の合計値記憶用メモリＭ７４に上書きする。ＣＰＵ１０は、ステップＰ５９５の処理が完了した後、ステップＰ５９６を実行する。
【０７４７】
ステップＰ５９６において、ＣＰＵ１０は、メモリＭ３に記憶されたカウント値Ｍに１を加算し上書きする。ＣＰＵ１０は、ステップＰ５９６の処理が完了した後、ステップＰ５９７を実行する。
【０７４８】
ステップＰ５９７において、ＣＰＵ１０は、メモリＭ１０からインキ供給部総数Ｍｍａｘを読み込む。ＣＰＵ１０は、ステップＰ５９７の処理が完了した後、ステップＰ５９８を実行する。
【０７４９】
ステップＰ５９８において、ＣＰＵ１０は、メモリＭ３に記憶されたカウント値Ｍがインキ供給部総数Ｍｍａｘより大きいか判断する。ＣＰＵ１０は、メモリＭ３に記憶されたカウント値Ｍがインキ供給部総数Ｍｍａｘより大きい場合、ステップＰ５９９を実行する。また、ＣＰＵ１０は、メモリＭ３に記憶されたカウント値Ｍがインキ供給部総数Ｍｍａｘより大きくない場合、ステップＰ５９３を実行する。
【０７５０】
ステップＰ５９９において、ＣＰＵ１０は、メモリＭ７４に記憶された印刷機温度の合計値を読み込む。ＣＰＵ１０は、ステップＰ５９９の処理が完了した後、ステップＰ６００を実行する。
【０７５１】
ステップＰ６００において、ＣＰＵ１０は、メモリＭ１０からインキ供給部総数Ｍｍａｘを読み込む。ＣＰＵ１０は、ステップＰ６００の処理が完了した後、ステップＰ６０１を実行する。
【０７５２】
ステップＰ６０１において、ＣＰＵ１０は、印刷機温度の合計値をインキ供給部総数Ｍｍａｘで除算し、印刷機温度の平均値を演算し、この演算結果をメモリＭ７５に記憶する。ＣＰＵ１０は、ステップＰ６０１の処理が完了した後、ステップＰ６０２を実行する。
【０７５３】
ステップＰ６０２において、ＣＰＵ１０は、メモリＭ７５に記憶された印刷機温度の平均値−凹版胴と圧胴間の印圧補正量変換テーブルを読み込む。ＣＰＵ１０は、ステップＰ６０２の処理が完了した後、ステップＰ６０３を実行する。
【０７５４】
ステップＰ６０３において、ＣＰＵ１０は、印刷機温度の平均値−凹版胴と圧胴間の印圧補正量変換テーブルを用いて、印刷機温度の平均値より、凹版胴−圧胴間の印圧補正量を求め、メモリＭ９９に記憶する。ＣＰＵ１０は、ステップＰ６０３の処理が完了した後、ステップＰ６０４を実行する。
【０７５５】
ステップＰ６０４において、ＣＰＵ１０は、メモリＭ８９に記憶された基準の凹版胴−圧胴間の印圧を読み込む。ＣＰＵ１０は、ステップＰ６０４の処理が完了した後、ステップＰ６０５を実行する。
【０７５６】
ステップＰ６０５において、ＣＰＵ１０は、メモリＭ９９に記憶された凹版胴−圧胴間の印圧補正量を読み込む。ＣＰＵ１０は、ステップＰ６０５の処理が完了した後、ステップＰ６０６を実行する。
【０７５７】
ステップＰ６０６において、ＣＰＵ１０は、基準の凹版胴−圧胴間の印圧に凹版胴−圧胴間の印圧補正量を加算し、目標とする凹版胴−圧胴間の印圧を演算し、この演算結果をメモリＭ１００に記憶する。ＣＰＵ１０は、ステップＰ６０６の処理が完了した後、ステップＰ６０７を実行する。
【０７５８】
ステップＰ６０７において、ＣＰＵ１０は、目標とする凹版胴−圧胴間の印圧より、目標とする凹版胴−圧胴間の印圧調整用モータ用ポテンショ・メータ６６に接続されたＡ／Ｄ変換器の出力を演算し、この演算結果をメモリＭ１０１に記憶する。ＣＰＵ１０は、ステップＰ６０７の処理が完了した後、ステップＰ６０８を実行する。
【０７５９】
ステップＰ６０８において、ＣＰＵ１０は、凹版胴−圧胴間の印圧調整用モータ用ポテンショ・メータ６６に接続されたＡ／Ｄ変換器の出力を読み込み、メモリＭ８８に記憶する。ＣＰＵ１０は、ステップＰ６０８の処理が完了した後、ステップＰ６０９を実行する。
【０７６０】
ステップＰ６０９において、ＣＰＵ１０は、メモリＭ８８に記憶された凹版胴−圧胴間の印圧調整用モータ用ポテンショ・メータ６６に接続されたＡ／Ｄ変換器の出力と、メモリＭ１０１に記憶された目標とする凹版胴−圧胴間の印圧調整用モータ用ポテンショ・メータ６６に接続されたＡ／Ｄ変換器の出力とが等しいか判断する。
【０７６１】
メモリＭ８８に記憶された凹版胴−圧胴間の印圧調整用モータ用ポテンショ・メータ６６に接続されたＡ／Ｄ変換器の出力と、メモリＭ１０１に記憶された目標とする凹版胴−圧胴間の印圧調整用モータ用ポテンショ・メータ６６に接続されたＡ／Ｄ変換器の出力とが等しい場合は、ステップＰ６１０からステップＰ６１８をとばしてステップＰ６１９を実行する。
【０７６２】
また、メモリＭ８８に記憶された凹版胴−圧胴間の印圧調整用モータ用ポテンショ・メータ６６に接続されたＡ／Ｄ変換器の出力と、メモリＭ１０１に記憶された目標とする凹版胴−圧胴間の印圧調整用モータ用ポテンショ・メータ６６に接続されたＡ／Ｄ変換器の出力とが等しくない場合は、ステップＰ６１０を実行する。
【０７６３】
ステップＰ６１０において、ＣＰＵ１０は、メモリＭ８８に記憶された凹版胴−圧胴間の印圧調整用モータ用ポテンショ・メータ６６に接続されたＡ／Ｄ変換器の出力より、メモリＭ１０１に記憶された目標とする凹版胴−圧胴間の印圧調整用モータ用ポテンショ・メータ６６に接続されたＡ／Ｄ変換器の出力が大きいか判断する。
【０７６４】
メモリＭ８８に記憶された凹版胴−圧胴間の印圧調整用モータ用ポテンショ・メータ６６に接続されたＡ／Ｄ変換器の出力より、メモリＭ１０１に記憶された目標とする凹版胴−圧胴間の印圧調整用モータ用ポテンショ・メータ６６に接続されたＡ／Ｄ変換器の出力が大きい場合、ステップＰ６１１を実行する。
【０７６５】
また、メモリＭ８８に記憶された凹版胴−圧胴間の印圧調整用モータ用ポテンショ・メータ６６に接続されたＡ／Ｄ変換器の出力より、メモリＭ１０１に記憶された目標とする凹版胴−圧胴間の印圧調整用モータ用ポテンショ・メータ６６に接続されたＡ／Ｄ変換器の出力が大きくない場合、ステップＰ６１５を実行する。
【０７６６】
ステップＰ６１１において、ＣＰＵ１０は、凹版胴−圧胴間の印圧調整用モータ・ドライバ６５に正転指令を出力する。ＣＰＵ１０は、ステップＰ６１１の処理が完了した後にステップＰ６１２を実行する。
【０７６７】
ステップＰ６１２において、ＣＰＵ１０は、凹版胴−圧胴間の印圧調整用モータ用ポテンショ・メータ６６に接続されたＡ／Ｄ変換器の出力を読み込み、メモリＭ８８に記憶する。ＣＰＵ１０は、ステップＰ６１２の処理が完了した後、ステップＰ６１３を実行する。
【０７６８】
ステップＰ６１３において、ＣＰＵ１０は、メモリＭ８８に記憶された凹版胴−圧胴間の印圧調整用モータ用ポテンショ・メータ６６に接続されたＡ／Ｄ変換器の出力と、メモリＭ１０１に記憶された目標とする凹版胴−圧胴間の印圧調整用モータ用ポテンショ・メータ６６に接続されたＡ／Ｄ変換器の出力とが等しいか判断する。
【０７６９】
メモリＭ８８に記憶された凹版胴−圧胴間の印圧調整用モータ用ポテンショ・メータ６６に接続されたＡ／Ｄ変換器の出力と、メモリＭ１０１に記憶された目標とする凹版胴−圧胴間の印圧調整用モータ用ポテンショ・メータ６６に接続されたＡ／Ｄ変換器の出力とが等しい場合は、ステップＰ６１４を実行する。
【０７７０】
また、メモリＭ８８に記憶された凹版胴−圧胴間の印圧調整用モータ用ポテンショ・メータ６６に接続されたＡ／Ｄ変換器の出力と、メモリＭ１０１に記憶された目標とする凹版胴−圧胴間の印圧調整用モータ用ポテンショ・メータ６６に接続されたＡ／Ｄ変換器の出力とが等しくない場合は、ステップＰ６１２を実行する。
【０７７１】
ステップＰ６１４において、ＣＰＵ１０は、凹版胴−圧胴間の印圧調整用モータ・ドライバ６５への正転指令出力を停止する。ＣＰＵ１０は、ステップＰ６１４の処理が完了した後、ステップＰ６１９を実行する。
【０７７２】
ステップＰ６１５において、ＣＰＵ１０は、凹版胴−圧胴間の印圧調整用モータ・ドライバ６５に逆転指令を出力する。ＣＰＵ１０は、ステップＰ６１５の処理が完了した後、ステップＰ６１６を実行する。
【０７７３】
ステップＰ６１６において、ＣＰＵ１０は、凹版胴−圧胴間の印圧調整用モータ用ポテンショ・メータ６６に接続されたＡ／Ｄ変換器の出力を読み込み、メモリＭ８８に記憶する。ＣＰＵ１０は、ステップＰ６１６の処理が完了した後、ステップＰ６１７を実行する。
【０７７４】
ステップＰ６１７において、ＣＰＵ１０は、メモリＭ８８に記憶された凹版胴−圧胴間の印圧調整用モータ用ポテンショ・メータ６６に接続されたＡ／Ｄ変換器の出力と、メモリＭ１０１に記憶された目標とする凹版胴−圧胴間の印圧調整用モータ用ポテンショ・メータ６６に接続されたＡ／Ｄ変換器の出力とが等しいか判断する。
【０７７５】
メモリＭ８８に記憶された凹版胴−圧胴間の印圧調整用モータ用ポテンショ・メータ６６に接続されたＡ／Ｄ変換器の出力と、メモリＭ１０１に記憶された目標とする凹版胴−圧胴間の印圧調整用モータ用ポテンショ・メータ６６に接続されたＡ／Ｄ変換器の出力とが等しい場合は、ステップＰ６１８を実行する。
【０７７６】
また、メモリＭ８８に記憶された凹版胴−圧胴間の印圧調整用モータ用ポテンショ・メータ６６に接続されたＡ／Ｄ変換器の出力と、メモリＭ１０１に記憶された目標とする凹版胴−圧胴間の印圧調整用モータ用ポテンショ・メータ６６に接続されたＡ／Ｄ変換器の出力とが等しくない場合は、ステップＰ６１６を実行する。以上のステップにより、各インキ供給部Ｍの印刷機温度測定器１７によって測定された印刷機温度に応じて、各インキ供給部Ｍの各接触圧調整手段を調整する。
【０７７７】
ステップＰ６１８において、ＣＰＵ１０は、凹版胴−圧胴間の印圧調整用モータ・ドライバ６５への逆転指令出力を停止する。ＣＰＵ１０は、ステップＰ６１８の処理が完了した後、ステップＰ６１９を実行する。
【０７７８】
ステップＰ６１９において、ＣＰＵ１０は、入力装置１３に設けられた本刷り完了ボタンが、オペレータによりＯＮにされているか判断する。ＣＰＵ１０は、本刷り完了ボタンがＯＮになっている場合、ステップＰ５００を実行する。また、ＣＰＵ１０は、本刷り完了ボタンがＯＮになっていない場合、ステップＰ５５０を実行する。
【０７７９】
〔第７の実施の形態〕
本願発明の第７の実施形態に係る液体塗布機械の接触圧調整方法、及び、液体塗布機械の接触圧調整装置について説明する。図３３は本願発明の第７の実施形態に係る液体塗布機械の接触圧調整装置が適用される印刷機内部の模式図である。図３３に示すように、本実施形態に係る番号印刷機には、インキを版の画線部にムラなく着けるインキ着けローラ４００と、インキ着けローラ４００と接する版上の突出部が画線部となる番号胴４０１と、番号胴４０１と接する印刷物に印圧を加える圧胴４０２とを備えている。なお、本実施形態に係るニップ圧又は印圧を調整する接触圧調整手段は、第１の実施形態で説明した接触圧調整方法と同様である。
【０７８０】
インキ着けローラ４００は、インキ着けローラ４００と番号胴４０１との間のニップ圧を調整するためにインキ着けローラ４００−番号胴４０１間のニップ圧調整用モータ６７が設置されている。インキ着けローラ４００−番号胴４０１間のニップ圧調整用モータ６７は、インキ着けローラ４００−番号胴４０１間のニップ圧調整用モータ・ドライバ６８により制御されている。また、インキ着けローラ４００−番号胴４０１間のニップ圧調整用モータ６７には、インキ着けローラ４００と番号胴４０１との間のニップ圧を検出するためにインキ着けローラ４００−番号胴４０１間のニップ圧調整用モータ用ポテンショ・メータ６９が設置されている。
【０７８１】
番号胴４０１は、番号胴４０１と圧胴４０２との間の印圧を調整するために番号胴４０１−圧胴４０２間の印圧調整用モータ７０が設置されている。番号胴４０１−圧胴４０２間の印圧調整用モータ７０は、番号胴４０１−圧胴４０２間の印圧調整用モータ・ドライバ７１により制御されている。また、番号胴４０１−圧胴４０２間の印圧調整用モータ７０には、番号胴４０１と圧胴４０２との間の印圧を検出するために番号胴４０１−圧胴４０２間の印圧調整用モータ用ポテンショ・メータ７２が設置されている。
【０７８２】
次に、本願発明の第７の実施形態に係る液体塗布機械の接触圧調整装置について説明する。図３４は本願発明の第７の実施の形態に係る液体塗布機械の接触圧調整装置のハードブロック図である。図３４に示すように、液体塗布機械の接触圧調整装置１は、ＣＰＵ１０、ＲＡＭ１１、ＲＯＭ１２、入力装置１３、表示器１４、出力装置(Ｆ・Ｄドライブ、プリンタ等)１５、Ｉ／Ｏ（入出力インターフェイス）１６を備えている。
【０７８３】
また、接触圧調整装置１は、印刷機温度測定器１７、インキ着けローラ４００−番号胴４０１間のニップ圧調整用モータ６７、インキ着けローラ４００−番号胴４０１間のニップ圧調整用モータ・ドライバ６８、インキ着けローラ４００−番号胴４０１間のニップ圧調整用モータ用ポテンショ・メータ６９、番号胴４０１−圧胴４０２間の印圧調整用モータ７０、番号胴４０１−圧胴４０２間の印圧調整用モータ・ドライバ７１、番号胴４０１−圧胴４０２間の印圧調整用モータ用ポテンショ・メータ７２、Ａ／Ｄ（アナログ／デジタル変換器）２７〜２９、Ｉ／Ｏ（入出力インターフェイス）３１〜３３を備えている。
【０７８４】
さらに、接触圧調整装置１は、印刷機温度測定器１７に接続されたＡ／Ｄ変換器の出力記憶用メモリＭ１１、印刷機温度記憶用メモリＭ１２、インキ着けローラ４００−番号胴４０１間のニップ圧調整用モータ用ポテンショ・メータ６９に接続されたＡ／Ｄ変換器の出力記憶用メモリＭ１０２、基準のインキ着けローラ４００−番号胴４０１間のニップ圧記憶用メモリＭ１０３、番号胴４０１−圧胴４０２間の印圧調整用モータ用ポテンショ・メータ７２に接続されたＡ／Ｄ変換器の出力記憶用メモリＭ１０４、基準の番号胴４０１−圧胴４０２間の印圧記憶用メモリＭ１０５、印刷機温度−インキ着けローラ４００と番号胴４０１間のニップ圧補正量変換テーブル記憶用メモリＭ１０６、インキ着けローラ４００−番号胴４０１間のニップ圧補正量記憶用メモリＭ１０７、印刷機温度−番号胴４０１と圧胴４０２間の印圧補正量変換テーブル記憶用メモリＭ１０８、番号胴４０１−圧胴４０２間の印圧補正量記憶用メモリＭ１０９、目標とするインキ着けローラ４００−番号胴４０１間のニップ圧記憶用メモリＭ１１０、目標とするインキ着けローラ４００−番号胴４０１間のニップ圧調整用モータ用ポテンショ・メータ６９に接続されたＡ／Ｄ変換器の出力記憶用メモリＭ１１１、目標とする番号胴４０１−圧胴４０２間の印圧記憶用メモリＭ１１２、目標とする番号胴４０１−圧胴４０２間の印圧調整用モータ用ポテンショ・メータ７２に接続されたＡ／Ｄ変換器の出力記憶用メモリＭ１１３を備えている。
【０７８５】
ＣＰＵ１０は、Ｉ／Ｏ１６，３１〜３４を介して与えられる各種入力情報を得て、ＲＡＭ１１やメモリＭ１１，メモリＭ１２，メモリＭ１０２〜Ｍ１１３にアクセスしながら、ＲＯＭ１２に記憶されたプログラムに従って動作する。入力装置１３には、インキ着けローラ４００−番号胴４０１間のニップ圧調整選択スイッチ、圧調整完了スイッチ、アップ・ボタン、ダウン・ボタン、番号胴４０１−圧胴４０２間の印圧調整選択スイッチ、本刷り開始ボタン、本刷り完了ボタン等の各種入力装置が設置されている。
【０７８６】
次に、本願発明の第７の実施形態に係る液体塗布機械の接触圧調整装置の動作について説明する。図３５（ａ）〜図３５（ｃ）、及び、図３６（ａ）〜図３６（ｃ）は本願発明の第７の実施形態に係る液体塗布機械の接触圧調整装置１の動作フロー図である。以下、各ステップ毎に処理の内容について説明する。
【０７８７】
ステップＰ７００において、ＣＰＵ１０は、各メモリを初期化する。ＣＰＵ１０は、ステップＰ７００の処理が完了した後、ステップＰ７０１を実行する。
【０７８８】
ステップＰ７０１において、ＣＰＵ１０は、入力装置１３に設けられたインキ着けローラ−番号胴間のニップ圧調整選択スイッチが、オペレータによりＯＮにされているか判断する。ＣＰＵ１０は、インキ着けローラ−番号胴間のニップ圧調整選択スイッチがＯＮになっている場合、ステップＰ７０２を実行する。また、ＣＰＵ１０は、インキ着けローラ−番号胴間のニップ圧調整選択スイッチがＯＮになっていない場合、ステップＰ７０２からステップＰ７１０をとばしてステップＰ７１１を実行する。
【０７８９】
ステップＰ７０２において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ７０３からステップＰ７１０をとばしてステップＰ７１１を実行する。また、ＣＰＵ１０は、圧調整完了スイッチがＯＮになっていない場合、ステップＰ７０３を実行する。
【０７９０】
ステップＰ７０３において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ７０４を実行する。また、ＣＰＵ１０は、アップ・ボタンがＯＮになっていない場合、ステップＰ７０４からステップＰ７０６をとばしてステップＰ７０７を実行する。
【０７９１】
ステップＰ７０４において、ＣＰＵ１０は、インキ着けローラ−番号胴間のニップ圧調整用モータ・ドライバ６８に正転指令を出力する。ＣＰＵ１０は、ステップＰ７０４の処理が完了した後、ステップＰ７０５を実行する。
【０７９２】
ステップＰ７０５において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ７０６を実行する。また、ＣＰＵ１０は、アップ・ボタンがＯＦＦになっていない場合、ステップＰ７０５を再度実行する。
【０７９３】
ステップＰ７０６において、ＣＰＵ１０は、インキ着けローラ−番号胴間のニップ圧調整用モータ・ドライバ６８への正転指令出力を停止する。ＣＰＵ１０は、ステップＰ７０６の処理が完了した後、ステップＰ７０７を実行する。
【０７９４】
ステップＰ７０７において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ７０８を実行する。また、ＣＰＵ１０は、ダウン・ボタンがＯＮになっていない場合、ステップＰ７０２を実行する。
【０７９５】
ステップＰ７０８において、ＣＰＵ１０は、インキ着けローラ−番号胴間のニップ圧調整用モータ・ドライバ６８に逆転指令を出力する。ＣＰＵ１０は、ステップＰ７０８の処理が完了した後、ステップＰ７０９を実行する。
【０７９６】
ステップＰ７０９において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ７１０を実行する。また、ＣＰＵ１０は、ダウン・ボタンがＯＦＦになっていない場合、ステップＰ７０９を再度実行する。
【０７９７】
ステップＰ７１０において、ＣＰＵ１０は、インキ着けローラ−番号胴間のニップ圧調整用モータ・ドライバ６８への逆転指令出力を停止する。ＣＰＵ１０は、ステップＰ７１０の処理が完了した後、ステップＰ７０２を実行する。
【０７９８】
ステップＰ７１１において、ＣＰＵ１０は、入力装置１３に設けられた番号胴−圧胴間の印圧調整選択スイッチが、オペレータによりＯＮにされているか判断する。ＣＰＵ１０は、番号胴−圧胴間の印圧調整選択スイッチがＯＮになっている場合、ステップＰ７１２を実行する。また、ＣＰＵ１０は、番号胴−圧胴間の印圧調整選択スイッチがＯＮになっていない場合、ステップＰ７１２からステップＰ７２０をとばしてステップＰ７２１を実行する。
【０７９９】
ステップＰ７１２において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ７１３からステップＰ７２０をとばしてステップＰ７２１を実行する。また、ＣＰＵ１０は、圧調整完了スイッチがＯＮになっていない場合、ステップＰ７１３を実行する。
【０８００】
ステップＰ７１３において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ７１４を実行する。また、ＣＰＵ１０は、アップ・ボタンがＯＮになっていない場合、ステップＰ７１４からステップＰ７１６をとばしてステップＰ７１７を実行する。
【０８０１】
ステップＰ７１４において、ＣＰＵ１０は、番号胴−圧胴間の印圧調整用モータ・ドライバ７１に正転指令を出力する。ＣＰＵ１０は、ステップＰ７１４の処理が完了した後、ステップＰ７１５を実行する。
【０８０２】
ステップＰ７１５において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ７１６を実行する。また、ＣＰＵ１０は、アップ・ボタンがＯＦＦになっていない場合、ステップＰ７１５を再度実行する。
【０８０３】
ステップＰ７１６において、ＣＰＵ１０は、番号胴−圧胴間の印圧調整用モータ・ドライバ７１への正転指令出力を停止する。ＣＰＵ１０は、ステップＰ７１６の処理が完了した後、ステップＰ７１７を実行する。
【０８０４】
ステップＰ７１７において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ７１８を実行する。また、ＣＰＵ１０は、ダウン・ボタンがＯＮになっていない場合、ステップＰ７１２を実行する。
【０８０５】
ステップＰ７１８において、ＣＰＵ１０は、番号胴−圧胴間の印圧調整用モータ・ドライバ７１に逆転指令を出力する。ＣＰＵ１０は、ステップＰ７１８の処理が完了した後、ステップＰ７１９を実行する。
【０８０６】
ステップＰ７１９において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ７２０を実行する。また、ＣＰＵ１０は、ダウン・ボタンがＯＦＦになっていない場合、ステップＰ７１９を再度実行する。
【０８０７】
ステップＰ７２０において、ＣＰＵ１０は、番号胴−圧胴間の印圧調整用モータ・ドライバ７１への逆転指令出力を停止する。ＣＰＵ１０は、ステップＰ７２０の処理が完了した後、ステップＰ７２１を実行する。以上のステップにより、オペレータのマニュアル操作による本刷り開始前の番号印刷機の各接触圧調整手段の調整が行われる。
【０８０８】
ステップＰ７２１において、ＣＰＵ１０は、入力装置１３に設けられた本刷り開始ボタンが、オペレータによりＯＮにされているか判断する。ＣＰＵ１０は、本刷り開始ボタンがＯＮになっている場合、ステップＰ７２２を実行する。また、ＣＰＵ１０は、本刷り開始ボタンがＯＮになっていない場合、ステップＰ７０１を実行する。
【０８０９】
ステップＰ７２２において、ＣＰＵ１０は、インキ着けローラ−番号胴間のニップ圧調整用モータ用ポテンショ・メータ６９に接続されたＡ／Ｄ変換器の出力を読み込み、メモリＭ１０２に記憶する。ＣＰＵ１０は、ステップＰ７２２の処理が完了した後、ステップＰ７２３を実行する。
【０８１０】
ステップＰ７２３において、ＣＰＵ１０は、インキ着けローラ−番号胴間のニップ圧調整用モータ用ポテンショ・メータ６９に接続されたＡ／Ｄ変換器の出力より、基準のインキ着けローラ−番号胴間のニップ圧を演算し、この演算結果をメモリＭ１０３に記憶する。ＣＰＵ１０は、ステップＰ７２３の処理が完了した後、ステップＰ７２４を実行する。
【０８１１】
ステップＰ７２４において、ＣＰＵ１０は、番号胴−圧胴間の印圧調整用モータ用ポテンショ・メータ７２に接続されたＡ／Ｄ変換器の出力を読み込み、メモリＭ１０４に記憶する。ＣＰＵ１０は、ステップＰ７２４の処理が完了した後、ステップＰ７２５を実行する。
【０８１２】
ステップＰ７２５において、ＣＰＵ１０は、番号胴−圧胴間の印圧調整用モータ用ポテンショ・メータ７２に接続されたＡ／Ｄ変換器の出力より、基準の番号胴−圧胴間の印圧を演算し、この演算結果をメモリＭ１０５に記憶する。ＣＰＵ１０は、ステップＰ７２５の処理が完了した後、ステップＰ７２６を実行する。以上のステップにより、本刷りが開始された時の番号印刷機の各接触圧調整手段の位置を、基準位置として記憶する。
【０８１３】
ステップＰ７２６において、ＣＰＵ１０は、印刷機温度測定器１７に接続されたＡ／Ｄ変換器の出力を読み込み、メモリＭ１１に記憶する。ＣＰＵ１０は、ステップＰ７２６の処理が完了した後、ステップＰ７２７を実行する。
【０８１４】
ステップＰ７２７において、ＣＰＵ１０は、印刷機温度測定器１７に接続されたＡ／Ｄ変換器の出力より、印刷機温度を演算し、メモリＭ１２に記憶する。ＣＰＵ１０は、ステップＰ７２７の処理が完了した後、ステップＰ７２８を実行する。
【０８１５】
ステップＰ７２８において、ＣＰＵ１０は、メモリＭ１０６に記憶された印刷機温度−インキ着けローラと番号胴間のニップ圧補正量変換テーブルを読み込む。ＣＰＵ１０は、ステップＰ７２８の処理が完了した後、ステップＰ７２９を実行する。
【０８１６】
ステップＰ７２９において、ＣＰＵ１０は、印刷機温度−インキ着けローラと番号胴間のニップ圧補正量変換テーブルを用いて、印刷機温度より、インキ着けローラ−番号胴間のニップ圧補正量を求め、メモリＭ１０７を記憶する。ＣＰＵ１０は、ステップＰ７２９の処理が完了した後、ステップＰ７３０を実行する。
【０８１７】
ステップＰ７３０において、ＣＰＵ１０は、メモリＭ１０８に記憶された印刷機温度−番号胴と圧胴間の印圧補正量変換テーブルを読み込む。ＣＰＵ１０は、ステップＰ７３０の処理が完了した後、ステップＰ７３１を実行する。
【０８１８】
ステップＰ７３１において、ＣＰＵ１０は、印刷機温度−番号胴と圧胴間の印圧補正量変換テーブルを用いて、印刷機温度より、番号胴−圧胴間の印圧補正量を求め、メモリＭ１０９に記憶する。ＣＰＵ１０は、ステップＰ７３１の処理が完了した後、ステップＰ７３２を実行する。
【０８１９】
ステップＰ７３２において、ＣＰＵ１０は、メモリＭ１０３に記憶された基準のインキ着けローラ−番号胴間のニップ圧を読み込む。ＣＰＵ１０は、ステップＰ７３２の処理が完了した後、ステップＰ７３３を実行する。
【０８２０】
ステップＰ７３３において、ＣＰＵ１０は、メモリＭ１０７に記憶されたインキ着けローラ−番号胴間のニップ圧補正量を読み込む。ＣＰＵ１０は、ステップＰ７３３の処理が完了した後、ステップＰ７３４を実行する。
【０８２１】
ステップＰ７３４において、ＣＰＵ１０は、基準のインキ着けローラ−番号胴間のニップ圧にインキ着けローラ−番号胴間のニップ圧補正量を加算し、目標とするインキ着けローラ−番号胴間のニップ圧を演算し、この演算結果をメモリＭ１１０に記憶する。ＣＰＵ１０は、ステップＰ７３４の処理が完了した後、ステップＰ７３５を実行する。
【０８２２】
ステップＰ７３５において、ＣＰＵ１０は、目標とするインキ着けローラ−番号胴間のニップ圧より、目標とするインキ着けローラ−番号胴間のニップ圧調整用モータ用ポテンショ・メータ６９に接続されたＡ／Ｄ変換器の出力を演算し、この演算結果をメモリＭ１１１に記憶する。ＣＰＵ１０は、ステップＰ７３５の処理が完了した後、ステップＰ７３６を実行する。
【０８２３】
ステップＰ７３６において、ＣＰＵ１０は、インキ着けローラ−番号胴間のニップ圧調整用モータ用ポテンショ・メータ６９に接続されたＡ／Ｄ変換器の出力を読み込み、メモリＭ１０２に記憶する。ＣＰＵ１０は、ステップＰ７３６の処理が完了した後、ステップＰ７３７を実行する。
【０８２４】
ステップＰ７３７において、ＣＰＵ１０は、メモリＭ１０２に記憶されたインキ着けローラ−番号胴間のニップ圧調整用モータ用ポテンショ・メータ６９に接続されたＡ／Ｄ変換器の出力と、メモリＭ１１１に記憶された目標とするインキ着けローラ−番号胴間のニップ圧調整用モータ用ポテンショ・メータ６９に接続されたＡ／Ｄ変換器の出力とが等しいか判断する。
【０８２５】
メモリＭ１０２に記憶されたインキ着けローラ−番号胴間のニップ圧調整用モータ用ポテンショ・メータ６９に接続されたＡ／Ｄ変換器の出力と、メモリＭ１１１に記憶された目標とするインキ着けローラ−番号胴間のニップ圧調整用モータ用ポテンショ・メータ６９に接続されたＡ／Ｄ変換器の出力とが等しい場合は、ステップＰ７３８からステップＰ７４６をとばしてステップＰ７４７を実行する。
【０８２６】
また、メモリＭ１０２に記憶されたインキ着けローラ−番号胴間のニップ圧調整用モータ用ポテンショ・メータ６９に接続されたＡ／Ｄ変換器の出力と、メモリＭ１１１に記憶された目標とするインキ着けローラ−番号胴間のニップ圧調整用モータ用ポテンショ・メータ６９に接続されたＡ／Ｄ変換器の出力とが等しくない場合は、ステップＰ７３８を実行する。
【０８２７】
ステップＰ７３８において、ＣＰＵ１０は、メモリＭ１０２に記憶されたインキ着けローラ−番号胴間のニップ圧調整用モータ用ポテンショ・メータ６９に接続されたＡ／Ｄ変換器の出力より、メモリＭ１１１に記憶された目標とするインキ着けローラ−番号胴間のニップ圧調整用モータ用ポテンショ・メータ６９に接続されたＡ／Ｄ変換器の出力が大きいか判断する。
【０８２８】
メモリＭ１０２に記憶されたインキ着けローラ−番号胴間のニップ圧調整用モータ用ポテンショ・メータ６９に接続されたＡ／Ｄ変換器の出力より、メモリＭ１１１に記憶された目標とするインキ着けローラ−番号胴間のニップ圧調整用モータ用ポテンショ・メータ６９に接続されたＡ／Ｄ変換器の出力が大きい場合、ステップＰ７３９を実行する。
【０８２９】
また、メモリＭ１０２に記憶されたインキ着けローラ−番号胴間のニップ圧調整用モータ用ポテンショ・メータ６９に接続されたＡ／Ｄ変換器の出力より、メモリＭ１１１に記憶された目標とするインキ着けローラ−番号胴間のニップ圧調整用モータ用ポテンショ・メータ６９に接続されたＡ／Ｄ変換器の出力が大きくない場合、ステップＰ７４３を実行する。
【０８３０】
ステップＰ７３９において、ＣＰＵ１０は、インキ着けローラ−番号胴間のニップ圧調整用モータ・ドライバ６８に正転指令を出力する。ＣＰＵ１０は、ステップＰ７３９の処理が完了した後、ステップＰ７４０を実行する。
【０８３１】
ステップＰ７４０において、ＣＰＵ１０は、インキ着けローラ−番号胴間のニップ圧調整用モータ用ポテンショ・メータ６９に接続されたＡ／Ｄ変換器の出力を読み込み、メモリＭ１０２に記憶する。ＣＰＵ１０は、ステップＰ７４０の処理が完了した後、ステップＰ７４１を実行する。
【０８３２】
ステップＰ７４１において、ＣＰＵ１０は、メモリＭ１０２に記憶されたインキ着けローラ−番号胴間のニップ圧調整用モータ用ポテンショ・メータ６９に接続されたＡ／Ｄ変換器の出力と、メモリＭ１１１に記憶された目標とするインキ着けローラ−番号胴間のニップ圧調整用モータ用ポテンショ・メータ６９に接続されたＡ／Ｄ変換器の出力とが等しいか判断する。
【０８３３】
メモリＭ１０２に記憶されたインキ着けローラ−番号胴間のニップ圧調整用モータ用ポテンショ・メータ６９に接続されたＡ／Ｄ変換器の出力と、メモリＭ１１１に記憶された目標とするインキ着けローラ−番号胴間のニップ圧調整用モータ用ポテンショ・メータ６９に接続されたＡ／Ｄ変換器の出力とが等しい場合は、ステップＰ７４２を実行する。
【０８３４】
また、メモリＭ１０２に記憶されたインキ着けローラ−番号胴間のニップ圧調整用モータ用ポテンショ・メータ６９に接続されたＡ／Ｄ変換器の出力と、メモリＭ１１１に記憶された目標とするインキ着けローラ−番号胴間のニップ圧調整用モータ用ポテンショ・メータ６９に接続されたＡ／Ｄ変換器の出力とが等しくない場合は、ステップＰ７４０を実行する。
【０８３５】
ステップＰ７４２において、ＣＰＵ１０は、インキ着けローラ−番号胴間のニップ圧調整用モータ・ドライバ６８への正転指令出力を停止する。ＣＰＵ１０は、ステップＰ７４２の処理が完了した後、ステップＰ７４７を実行する。
【０８３６】
ステップＰ７４３において、ＣＰＵ１０は、インキ着けローラ−番号胴間のニップ圧調整用モータ・ドライバ６８に逆転指令を出力する。ＣＰＵ１０は、ステップＰ７４３の処理が完了した後、ステップＰ７４４を実行する。
【０８３７】
ステップＰ７４４において、ＣＰＵ１０は、インキ着けローラ−番号胴間のニップ圧調整用モータ用ポテンショ・メータ６９に接続されたＡ／Ｄ変換器の出力を読み込み、メモリＭ１０２に記憶する。ＣＰＵ１０は、ステップＰ７４４の処理が完了した後、ステップＰ７４５を実行する。
【０８３８】
ステップＰ７４５において、ＣＰＵ１０は、メモリＭ１０２に記憶されたインキ着けローラ−番号胴間のニップ圧調整用モータ用ポテンショ・メータ６９に接続されたＡ／Ｄ変換器の出力と、メモリＭ１１１に記憶された目標とするインキ着けローラ−番号胴間のニップ圧調整用モータ用ポテンショ・メータ６９に接続されたＡ／Ｄ変換器の出力とが等しいか判断する。
【０８３９】
メモリＭ１０２に記憶されたインキ着けローラ−番号胴間のニップ圧調整用モータ用ポテンショ・メータ６９に接続されたＡ／Ｄ変換器の出力と、メモリＭ１１１に記憶された目標とするインキ着けローラ−番号胴間のニップ圧調整用モータ用ポテンショ・メータ６９に接続されたＡ／Ｄ変換器の出力とが等しい場合は、ステップＰ７４６を実行する。
【０８４０】
また、メモリＭ１０２に記憶されたインキ着けローラ−番号胴間のニップ圧調整用モータ用ポテンショ・メータ６９に接続されたＡ／Ｄ変換器の出力と、メモリＭ１１１に記憶された目標とするインキ着けローラ−番号胴間のニップ圧調整用モータ用ポテンショ・メータ６９に接続されたＡ／Ｄ変換器の出力とが等しくない場合は、ステップＰ７４４を実行する。
【０８４１】
ステップＰ７４６において、ＣＰＵ１０は、インキ着けローラ−番号胴間のニップ圧調整用モータ・ドライバ６８への逆転指令出力を停止する。ＣＰＵ１０は、ステップＰ７４６の処理が完了した後、ステップＰ７４７を実行する。
【０８４２】
ステップＰ７４７において、ＣＰＵ１０は、メモリＭ１０５に記憶された基準の番号胴−圧胴間の印圧を読み込む。ＣＰＵ１０は、ステップＰ７４７の処理が完了した後、ステップＰ７４８を実行する。
【０８４３】
ステップＰ７４８において、ＣＰＵ１０は、メモリＭ１０９に記憶された番号胴−圧胴間の印圧補正量を読み込む。ＣＰＵ１０は、ステップＰ７４８の処理が完了した後、ステップＰ７４９を実行する。
【０８４４】
ステップＰ７４９において、ＣＰＵ１０は、基準の番号胴−圧胴間の印圧に番号胴−圧胴間の印圧補正量を加算し、目標とする番号胴−圧胴間の印圧を演算し、この演算結果をメモリＭ１１２に記憶する。ＣＰＵ１０は、ステップＰ７４９の処理が完了した後、ステップＰ７５０を実行する。
【０８４５】
ステップＰ７５０において、ＣＰＵ１０は、目標とする番号胴−圧胴間の印圧より、目標とする番号胴−圧胴間の印圧調整用モータ用ポテンショ・メータ７２に接続されたＡ／Ｄ変換器の出力を演算し、この演算結果をＭ１１３に記憶する。ＣＰＵ１０は、ステップＰ７５０の処理が完了した後、ステップＰ７５１を実行する。
【０８４６】
ステップＰ７５１において、ＣＰＵ１０は、番号胴−圧胴間の印圧調整用モータ用ポテンショ・メータ７２に接続されたＡ／Ｄ変換器の出力を読み込み、メモリＭ１０４に記憶する。ＣＰＵ１０は、ステップＰ７５１の処理が完了した後、ステップＰ７５２を実行する。
【０８４７】
ステップＰ７５２において、ＣＰＵ１０は、メモリＭ１０４に記憶された番号胴−圧胴間の印圧調整用モータ用ポテンショ・メータ７２に接続されたＡ／Ｄ変換器の出力と、メモリＭ１１３に記憶された目標とする番号胴−圧胴間の印圧調整用モータ用ポテンショ・メータ７２に接続されたＡ／Ｄ変換器の出力とが等しいか判断する。
【０８４８】
メモリＭ１０４に記憶された番号胴−圧胴間の印圧調整用モータ用ポテンショ・メータ７２に接続されたＡ／Ｄ変換器の出力と、メモリＭ１１３に記憶された目標とする番号胴−圧胴間の印圧調整用モータ用ポテンショ・メータ７２に接続されたＡ／Ｄ変換器の出力とが等しい場合は、ステップＰ７５３からステップＰ７６１をとばしてステップＰ７６２を実行する。
【０８４９】
また、メモリＭ１０４に記憶された番号胴−圧胴間の印圧調整用モータ用ポテンショ・メータ７２に接続されたＡ／Ｄ変換器の出力と、メモリＭ１１３に記憶された目標とする番号胴−圧胴間の印圧調整用モータ用ポテンショ・メータ７２に接続されたＡ／Ｄ変換器の出力とが等しくない場合は、ステップＰ７５３を実行する。
【０８５０】
ステップＰ７５３において、ＣＰＵ１０は、メモリＭ１０４に記憶された番号胴−圧胴間の印圧調整用モータ用ポテンショ・メータ７２に接続されたＡ／Ｄ変換器の出力より、メモリＭ１１３に記憶された目標とする番号胴−圧胴間の印圧調整用モータ用ポテンショ・メータ７２に接続されたＡ／Ｄ変換器の出力が大きいか判断する。
【０８５１】
メモリＭ１０４に記憶された番号胴−圧胴間の印圧調整用モータ用ポテンショ・メータ７２に接続されたＡ／Ｄ変換器の出力より、メモリＭ１１３に記憶された目標とする番号胴−圧胴間の印圧調整用モータ用ポテンショ・メータ７２に接続されたＡ／Ｄ変換器の出力が大きい場合、ステップＰ７５４を実行する。
【０８５２】
また、メモリＭ１０４に記憶された番号胴−圧胴間の印圧調整用モータ用ポテンショ・メータ７２に接続されたＡ／Ｄ変換器の出力より、メモリＭ１１３に記憶された目標とする番号胴−圧胴間の印圧調整用モータ用ポテンショ・メータ７２に接続されたＡ／Ｄ変換器の出力が大きくない場合、ステップＰ７５８を実行する。
【０８５３】
ステップＰ７５４において、ＣＰＵ１０は、番号胴−圧胴間の印圧調整用モータ・ドライバ７１に正転指令を出力する。ＣＰＵ１０は、ステップＰ７５４の処理が完了した後にステップＰ７５５を実行する。
【０８５４】
ステップＰ７５５において、ＣＰＵ１０は、番号胴−圧胴間の印圧調整用モータ用ポテンショ・メータ７２に接続されたＡ／Ｄ変換器の出力を読み込み、メモリＭ１０４に記憶する。ＣＰＵ１０は、ステップＰ７５５の処理が完了した後、ステップＰ７５６を実行する。
【０８５５】
ステップＰ７５６において、ＣＰＵ１０は、メモリＭ１０４に記憶された番号胴−圧胴間の印圧調整用モータ用ポテンショ・メータ７２に接続されたＡ／Ｄ変換器の出力と、メモリＭ１１３に記憶された目標とする番号胴−圧胴間の印圧調整用モータ用ポテンショ・メータ７２に接続されたＡ／Ｄ変換器の出力とが等しいか判断する。
【０８５６】
メモリＭ１０４に記憶された番号胴−圧胴間の印圧調整用モータ用ポテンショ・メータ７２に接続されたＡ／Ｄ変換器の出力と、メモリＭ１１３に記憶された目標とする番号胴−圧胴間の印圧調整用モータ用ポテンショ・メータ７２に接続されたＡ／Ｄ変換器の出力とが等しい場合は、ステップＰ７５７を実行する。
【０８５７】
また、メモリＭ１０４に記憶された番号胴−圧胴間の印圧調整用モータ用ポテンショ・メータ７２に接続されたＡ／Ｄ変換器の出力と、メモリＭ１１３に記憶された目標とする番号胴−圧胴間の印圧調整用モータ用ポテンショ・メータ７２に接続されたＡ／Ｄ変換器の出力とが等しくない場合は、ステップＰ７５５を実行する。
【０８５８】
ステップＰ７５７において、ＣＰＵ１０は、番号胴−圧胴間の印圧調整用モータ・ドライバ７１への正転指令出力を停止する。ＣＰＵ１０は、ステップＰ７５７の処理が完了した後、ステップＰ７６２を実行する。
【０８５９】
ステップＰ７５８において、ＣＰＵ１０は、番号胴−圧胴間の印圧調整用モータ・ドライバ７１に逆転指令を出力する。ＣＰＵ１０は、ステップＰ７５８の処理が完了した後、ステップＰ７５９を実行する。
【０８６０】
ステップＰ７５９において、ＣＰＵ１０は、番号胴−圧胴間の印圧調整用モータ用ポテンショ・メータ７２に接続されたＡ／Ｄ変換器の出力を読み込み、メモリＭ１０４に記憶する。
ＣＰＵ１０は、ステップＰ７５９の処理が完了した後、ステップＰ７６０を実行する。
【０８６１】
ステップＰ７６０において、ＣＰＵ１０は、メモリＭ１０４に記憶された番号胴−圧胴間の印圧調整用モータ用ポテンショ・メータ７２に接続されたＡ／Ｄ変換器の出力と、メモリＭ１１３に記憶された目標とする番号胴−圧胴間の印圧調整用モータ用ポテンショ・メータ７２に接続されたＡ／Ｄ変換器の出力とが等しいか判断する。
【０８６２】
メモリＭ１０４に記憶された番号胴−圧胴間の印圧調整用モータ用ポテンショ・メータ７２に接続されたＡ／Ｄ変換器の出力と、メモリＭ１１３に記憶された目標とする番号胴−圧胴間の印圧調整用モータ用ポテンショ・メータ７２に接続されたＡ／Ｄ変換器の出力とが等しい場合は、ステップＰ７６１を実行する。
【０８６３】
また、メモリＭ１０４に記憶された番号胴−圧胴間の印圧調整用モータ用ポテンショ・メータ７２に接続されたＡ／Ｄ変換器の出力と、メモリＭ１１３に記憶された目標とする番号胴−圧胴間の印圧調整用モータ用ポテンショ・メータ７２に接続されたＡ／Ｄ変換器の出力とが等しくない場合は、ステップＰ７５９を実行する。
【０８６４】
ステップＰ７６１において、ＣＰＵ１０は、番号胴−圧胴間の印圧調整用モータ・ドライバ７１への逆転指令出力を停止する。ＣＰＵ１０は、ステップＰ７６１の処理が完了した後、ステップＰ７６２を実行する。以上のステップにより、番号印刷機の印刷機温度測定器１７によって測定された印刷機温度に応じて、番号印刷機の各接触圧調整手段を調整する。
【０８６５】
ステップＰ７６２において、ＣＰＵ１０は、入力装置１３に設けられた本刷り完了ボタンが、オペレータによりＯＮにされているか判断する。ＣＰＵ１０は、本刷り完了ボタンがＯＮになっている場合、ステップＰ７００を実行する。また、ＣＰＵ１０は、本刷り完了ボタンがＯＮになっていない場合、ステップＰ７２６を実行する。
【０８６６】
〔第８の実施の形態〕
本願発明の第８の実施形態に係る液体塗布機械の接触圧調整方法、及び、液体塗布機械の接触圧調整装置について説明する。図３７は本願発明の第８の実施形態に係る液体塗布機械の接触圧調整装置が適用されるコーター装置内部の模式図である。図３７に示すように、本実施形態に係るコーター装置には、胴面に塗料をムラなく塗布する着けローラ５００と、着けローラ５００と接するシートに塗料をムラなく塗布するコーター胴５０１と、コーター胴５０１と接するシートに印圧を加える圧胴５０２とを備えている。なお、本実施形態に係るニップ圧又は印圧を調整する接触圧調整手段は、第１の実施形態で説明した接触圧調整方法と同様である。
【０８６７】
着けローラ５００は、着けローラ５００とコーター胴５０１との間のニップ圧を調整するために着けローラ５００−コーター胴５０１間のニップ圧調整用モータ７３が設置されている。着けローラ５００−コーター胴５０１間のニップ圧調整用モータ７３は、着けローラ５００−コーター胴５０１間のニップ圧調整用モータ・ドライバ７４により制御されている。また、着けローラ５００−コーター胴５０１間のニップ圧調整用モータ７３には、着けローラ５００とコーター胴５０１との間のニップ圧を検出するために着けローラ５００−コーター胴５０１間のニップ圧調整用モータ用ポテンショ・メータ７５が設置されている。
【０８６８】
コーター胴５０１は、コーター胴５０１と圧胴５０２との間の印圧を調整するためにコーター胴５０１−圧胴５０２間の印圧調整用モータ７６が設置されている。コーター胴５０１−圧胴５０２間の印圧調整用モータ７６は、コーター胴５０１−圧胴５０２間の印圧調整用モータ・ドライバ７７により制御されている。また、コーター胴５０１−圧胴５０２間の印圧調整用モータ７６には、コーター胴５０１と圧胴５０２との間の印圧を検出するためにコーター胴５０１−圧胴５０２間の印圧調整用モータ用ポテンショ・メータ７８が設置されている。
【０８６９】
次に、本願発明の第８の実施形態に係る液体塗布機械の接触圧調整装置について説明する。図３８は本願発明の第８の実施形態に係る液体塗布機械の接触圧調整装置のハードブロック図である。図３８に示すように、液体塗布機械の接触圧調整装置１は、ＣＰＵ１０、ＲＡＭ１１、ＲＯＭ１２、入力装置１３、表示器１４、出力装置(Ｆ・Ｄドライブ、プリンタ等)１５、Ｉ／Ｏ（入出力インターフェイス）１６を備えている。
【０８７０】
また、接触圧調整装置１は、印刷機温度測定器１７、着けローラ５００−コーター胴５０１間のニップ圧調整用モータ７３、着けローラ５００−コーター胴５０１間のニップ圧調整用モータ・ドライバ７４、着けローラ５００−コーター胴５０１間のニップ圧調整用モータ用ポテンショ・メータ７５、コーター胴５０１−圧胴５０２間の印圧調整用モータ７６、コーター胴５０１−圧胴５０２間の印圧調整用モータ・ドライバ７７、コーター胴５０１−圧胴５０２間の印圧調整用モータ用ポテンショ・メータ７８、Ａ／Ｄ（アナログ／デジタル変換器）２７〜２９、Ｉ／Ｏ（入出力インターフェイス）３１〜３３を備えている。なお、印刷機温度測定器１７は、印刷機内部又は各ローラ表面の塗料の基準となる温度を測定するためのものであるため、印刷機温度測定器１７の設置場所については、着けローラ５００、コーター胴５０１及び圧胴５０２の近傍であればよい。
【０８７１】
さらに、接触圧調整装置１は、印刷機温度測定器１７に接続されたＡ／Ｄ変換器の出力記憶用メモリＭ１１、印刷機温度記憶用メモリＭ１２、着けローラ５００−コーター胴５０１間のニップ圧調整用モータ用ポテンショ・メータ７５に接続されたＡ／Ｄ変換器の出力記憶用メモリＭ１１４、基準の着けローラ５００−コーター胴５０１間のニップ圧記憶用メモリＭ１１５、コーター胴５０１−圧胴５０２間の印圧調整用モータ用ポテンショ・メータ７８に接続されたＡ／Ｄ変換器の出力記憶用メモリＭ１１６、基準のコーター胴５０１−圧胴５０２間の印圧記憶用メモリＭ１１７、印刷機温度−着けローラ５００とコーター胴５０１間のニップ圧補正量変換テーブル記憶用メモリＭ１１８、着けローラ５００−コーター胴５０１間のニップ圧補正量記憶用メモリＭ１１９、印刷機温度−コーター胴５０１と圧胴５０２間の印圧補正量変換テーブル記憶用メモリＭ１２０、コーター胴５０１−圧胴５０２間の印圧補正量記憶用メモリＭ１２１、目標とする着けローラ５００−コーター胴５０１間のニップ圧記憶用メモリＭ１２２、目標とする着けローラ５００−コーター胴５０１間のニップ圧調整用モータ用ポテンショ・メータ７５に接続されたＡ／Ｄ変換器の出力記憶用メモリＭ１２３、目標とするコーター胴５０１−圧胴５０２間の印圧記憶用メモリＭ１２４、目標とするコーター胴５０１−圧胴５０２間の印圧調整用モータ用ポテンショ・メータ７８に接続されたＡ／Ｄ変換器の出力記憶用メモリＭ１２５を備えている。
【０８７２】
ＣＰＵ１０は、Ｉ／Ｏ１６，３１〜３３を介して与えられる各種入力情報を得て、ＲＡＭ１１やメモリＭ１１，Ｍ１２，Ｍ１１４〜Ｍ１２５にアクセスしながら、ＲＯＭ１２に記憶されたプログラムに従って動作する。入力装置１３には、着けローラ５００−コーター胴５０１間のニップ圧調整選択スイッチ、圧調整完了スイッチ、アップ・ボタン、ダウン・ボタン、コーター胴５０１−圧胴５０２間のニップ圧調整選択スイッチ、本刷り開始ボタン、本刷り完了ボタン等の各種入力装置が設置されている。
【０８７３】
次に、本願発明の第８の実施形態に係る液体塗布機械の接触圧調整装置の動作について説明する。図３９（ａ）〜図３９（ｃ）、及び、図４０（ａ）〜図４０（ｃ）は本願発明の第８の実施形態に係る液体塗布機械の接触圧調整装置１の動作フロー図である。以下、各ステップ毎に処理の内容について説明する。
【０８７４】
ステップＰ８００において、ＣＰＵ１０は、各メモリを初期化する。ＣＰＵ１０は、ステップＰ８００の処理が完了した後、ステップＰ８０１を実行する。
【０８７５】
ステップＰ８０１において、ＣＰＵ１０は、入力装置１３に設けられた着けローラ−コーター胴間のニップ圧調整選択スイッチが、オペレータによりＯＮにされているか判断する。ＣＰＵ１０は、着けローラ−コーター胴間のニップ圧調整選択スイッチがＯＮになっている場合、ステップＰ８０２を実行する。また、ＣＰＵ１０は、着けローラ−コーター胴間のニップ圧調整選択スイッチがＯＮになっていない場合、ステップＰ８０２からステップＰ８１０をとばしてステップＰ８１１を実行する。
【０８７６】
ステップＰ８０２において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ８０３からステップＰ８１０をとばしてステップＰ８１１を実行する。また、ＣＰＵ１０は、圧調整完了スイッチがＯＮになっていない場合、ステップＰ８０３を実行する。
【０８７７】
ステップＰ８０３において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ８０４を実行する。また、ＣＰＵ１０は、アップ・ボタンがＯＮになっていない場合、ステップＰ８０４からステップＰ８０６をとばしてステップＰ８０７を実行する。
【０８７８】
ステップＰ８０４において、ＣＰＵ１０は、着けローラ−コーター胴間のニップ圧調整用モータ・ドライバ７４に正転指令を出力する。ＣＰＵ１０は、ステップＰ８０４の処理が完了した後、ステップＰ８０５を実行する。
【０８７９】
ステップＰ８０５において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ８０６を実行する。また、ＣＰＵ１０は、アップ・ボタンがＯＦＦになっていない場合、ステップＰ８０５を再度実行する。
【０８８０】
ステップＰ８０６において、ＣＰＵ１０は、着けローラ−コーター胴間のニップ圧調整用モータ・ドライバ７４への正転指令出力を停止する。ＣＰＵ１０は、ステップＰ８０６の処理が完了した後、ステップＰ８０７を実行する。
【０８８１】
ステップＰ８０７において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ８０８を実行する。また、ＣＰＵ１０は、ダウン・ボタンがＯＮになっていない場合、ステップＰ８０２を実行する。
【０８８２】
ステップＰ８０８において、ＣＰＵ１０は、着けローラ−コーター胴間のニップ圧調整用モータ・ドライバ７４に逆転指令を出力する。ＣＰＵ１０は、ステップＰ８０８の処理が完了した後、ステップＰ８０９を実行する。
【０８８３】
ステップＰ８０９において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ８１０を実行する。また、ＣＰＵ１０は、ダウン・ボタンがＯＦＦになっていない場合、ステップＰ８０９を再度実行する。
【０８８４】
ステップＰ８１０において、ＣＰＵ１０は、着けローラ−コータ−胴間のニップ圧調整用モータ・ドライバ７４への逆転指令出力を停止する。ＣＰＵ１０は、ステップＰ８１０の処理が完了した後、ステップＰ８０２を実行する。
【０８８５】
ステップＰ８１１において、ＣＰＵ１０は、入力装置１３に設けられたコーター胴−圧胴間の印圧調整選択スイッチが、オペレータによりＯＮにされているか判断する。ＣＰＵ１０は、コーター胴−圧胴間の印圧調整選択スイッチがＯＮになっている場合、ステップＰ８１２を実行する。また、ＣＰＵ１０は、コーター胴−圧胴間の印圧調整選択スイッチがＯＮになっていない場合、ステップＰ８１２からステップＰ８２０をとばしてステップＰ８２１を実行する。
【０８８６】
ステップＰ８１２において、ＣＰＵ１０は、入力装置１３に設けられた圧調整完了スイッチが、オペレータによりＯＮにされているか判断する。ＣＰＵ１０は、圧調整完了スイッチがＯＮになっている場合、ステップＰ８１３からステップＰ８２０をとばしてステップＰ８２１を実行する。また、ＣＰＵ１０は、圧調整完了スイッチがＯＮになっていない場合、ステップＰ８１３を実行する。
【０８８７】
ステップＰ８１３において、ＣＰＵ１０は、入力装置１３に設けられたアップ・ボタンが、オペレータによりＯＮにされているか判断する。ＣＰＵ１０は、アップ・ボタンがＯＮになっている場合、ステップＰ８１４を実行する。また、ＣＰＵ１０は、アップ・ボタンがＯＮになっていない場合、ステップＰ８１４からステップＰ８１６をとばしてステップＰ８１７を実行する。
【０８８８】
ステップＰ８１４において、ＣＰＵ１０は、コーター胴−圧胴間の印圧調整用モータ・ドライバ７７に正転指令を出力する。ＣＰＵ１０は、ステップＰ８１４の処理が完了した後、ステップＰ８１５を実行する。
【０８８９】
ステップＰ８１５において、ＣＰＵ１０は、入力装置１３に設けられたアップ・ボタンが、オペレータによりＯＦＦにされているか判断する。ＣＰＵ１０は、アップ・ボタンがＯＦＦになっている場合、ステップＰ８１６を実行する。また、ＣＰＵ１０は、アップ・ボタンがＯＦＦになっていない場合、ステップＰ８１５を再度実行する。
【０８９０】
ステップＰ８１６において、ＣＰＵ１０は、コーター胴−圧胴間の印圧調整用モータ・ドライバ７７への正転指令出力を停止する。ＣＰＵ１０は、ステップＰ８１６の処理が完了した後、ステップＰ８１７を実行する。
【０８９１】
ステップＰ８１７において、ＣＰＵ１０は、入力装置１３に設けられたダウン・ボタンが、オペレータによりＯＮにされているか判断する。ＣＰＵ１０は、ダウン・ボタンがＯＮになっている場合、ステップＰ８１８を実行する。また、ＣＰＵ１０は、ダウン・ボタンがＯＮになっていない場合、ステップＰ８１２を実行する。
【０８９２】
ステップＰ８１８において、ＣＰＵ１０は、コーター胴−圧胴間の印圧調整用モータ・ドライバ７７に逆転指令を出力する。ＣＰＵ１０は、ステップＰ８１８の処理が完了した後、ステップＰ８１９を実行する。
【０８９３】
ステップＰ８１９において、ＣＰＵ１０は、入力装置１３に設けられたダウン・ボタンが、オペレータによりＯＦＦにされているか判断する。ＣＰＵ１０は、ダウン・ボタンがＯＦＦになっている場合、ステップＰ８２０を実行する。また、ＣＰＵ１０は、ダウン・ボタンがＯＦＦになっていない場合、ステップＰ８１９を再度実行する。
【０８９４】
ステップＰ８２０において、ＣＰＵ１０は、コーター胴−圧胴間の印圧調整用モータ・ドライバ７７への逆転指令出力を停止する。ＣＰＵ１０は、ステップＰ８２０の処理が完了した後、ステップＰ８１２を実行する。以上のステップにより、オペレータのマニュアル操作による本刷り開始前のコーター装置の各接触圧調整手段の調整が行われる。
【０８９５】
ステップＰ８２１において、ＣＰＵ１０は、入力装置１３に設けられた本刷り開始ボタンが、オペレータによりＯＮにされているか判断する。ＣＰＵ１０は、本刷り開始ボタンがＯＮになっている場合、ステップＰ８２２を実行する。また、ＣＰＵ１０は、本刷り開始ボタンがＯＮになっていない場合、ステップＰ８０１を実行する。
【０８９６】
ステップＰ８２２において、ＣＰＵ１０は、着けローラ−コーター胴間のニップ圧調整用モータ用ポテンショ・メータ７５に接続されたＡ／Ｄ変換器の出力を読み込み、メモリＭ１１４に記憶する。ＣＰＵ１０は、ステップＰ８２２の処理が完了した後、ステップＰ８２３を実行する。
【０８９７】
ステップＰ８２３において、ＣＰＵ１０は、着けローラ−コーター胴間のニップ圧調整用モータ用ポテンショ・メータ７５に接続されたＡ／Ｄ変換器の出力より、基準の着けローラ−コーター胴間のニップ圧を演算し、この演算結果をメモリＭ１１５に記憶する。ＣＰＵ１０は、ステップＰ８２３の処理が完了した後、ステップＰ８２４を実行する。
【０８９８】
ステップＰ８２４において、ＣＰＵ１０は、コーター胴−圧胴間の印圧調整用モータ用ポテンショ・メータ７８に接続されたＡ／Ｄ変換器の出力を読み込み、メモリＭ１１６に記憶する。ＣＰＵ１０は、ステップＰ８２４の処理が完了した後、ステップＰ８２５を実行する。
【０８９９】
ステップＰ８２５において、ＣＰＵ１０は、コーター胴−圧胴間の印圧調整用モータ用ポテンショ・メータ７８に接続されたＡ／Ｄ変換器の出力より、基準のコーター胴−圧胴間の印圧を演算し、この演算結果をメモリＭ１１７に記憶する。ＣＰＵ１０は、ステップＰ８２５の処理が完了した後、ステップＰ８２６を実行する。以上のステップにより、本刷りが開始された時のコーター装置の各接触圧調整手段の位置を、基準位置として記憶する。
【０９００】
ステップＰ８２６において、ＣＰＵ１０は、印刷機温度測定器１７に接続されたＡ／Ｄ変換器の出力を読み込み、メモリＭ１１に記憶する。ＣＰＵ１０は、ステップＰ８２６の処理が完了した後、ステップＰ８２７を実行する。
【０９０１】
ステップＰ８２７において、ＣＰＵ１０は、印刷機温度測定器１７に接続されたＡ／Ｄ変換器の出力より、印刷機温度を演算し、メモリＭ１２に記憶する。ＣＰＵ１０は、ステップＰ８２７の処理が完了した後、ステップＰ８２８を実行する。
【０９０２】
ステップＰ８２８において、ＣＰＵ１０は、メモリＭ１１８に記憶された印刷機温度−着けローラとコーター胴間のニップ圧補正量変換テーブルを読み込む。ＣＰＵ１０は、ステップＰ８２８の処理が完了した後、ステップＰ８２９を実行する。
【０９０３】
ステップＰ８２９において、ＣＰＵ１０は、印刷機温度−着けローラとコーター胴間のニップ圧補正量変換テーブルを用いて、印刷機温度より、着けローラ−コーター胴間のニップ圧補正量を求め、メモリＭ１１９を記憶する。ＣＰＵ１０は、ステップＰ８２９の処理が完了した後、ステップＰ８３０を実行する。
【０９０４】
ステップＰ８３０において、ＣＰＵ１０は、メモリＭ１２０に記憶された印刷機温度−コーター胴と圧胴間の印圧補正量変換テーブルを読み込む。ＣＰＵ１０は、ステップＰ８３０の処理が完了した後、ステップＰ８３１を実行する。
【０９０５】
ステップＰ８３１において、ＣＰＵ１０は、印刷機温度−コーター胴と圧胴間の印圧補正量変換テーブルを用いて、印刷機温度より、コーター胴−圧胴間の印圧補正量を求め、メモリＭ１２１に記憶する。ＣＰＵ１０は、ステップＰ８３１の処理が完了した後、ステップＰ８３２を実行する。
【０９０６】
ステップＰ８３２において、ＣＰＵ１０は、メモリＭ１１５に記憶された基準の着けローラ−コーター胴間のニップ圧を読み込む。ＣＰＵ１０は、ステップＰ８３２の処理が完了した後、ステップＰ８３３を実行する。
【０９０７】
ステップＰ８３３において、ＣＰＵ１０は、メモリＭ１１９に記憶された着けローラ−コーター胴間のニップ圧補正量を読み込む。ＣＰＵ１０は、ステップＰ８３３の処理が完了した後、ステップＰ８３４を実行する。
【０９０８】
ステップＰ８３４において、ＣＰＵ１０は、基準の着けローラ−コーター胴間のニップ圧に着けローラ−コーター胴間のニップ圧補正量を加算し、目標とする着けローラ−コーター胴間のニップ圧を演算し、この演算結果をメモリＭ１２２に記憶する。ＣＰＵ１０は、ステップＰ８３４の処理が完了した後、ステップＰ８３５を実行する。
【０９０９】
ステップＰ８３５において、ＣＰＵ１０は、目標とする着けローラ−コーター胴間のニップ圧より、目標とする着けローラ−コーター胴間のニップ圧調整用モータ用ポテンショ・メータ７５に接続されたＡ／Ｄ変換器の出力を演算し、この演算結果をメモリＭ１２３に記憶する。ＣＰＵ１０は、ステップＰ８３５の処理が完了した後、ステップＰ８３６を実行する。
【０９１０】
ステップＰ８３６において、ＣＰＵ１０は、着けローラ−コーター胴間のニップ圧調整用モータ用ポテンショ・メータ７５に接続されたＡ／Ｄ変換器の出力を読み込み、メモリＭ１１４に記憶する。ＣＰＵ１０は、ステップＰ８３６の処理が完了した後、ステップＰ８３７を実行する。
【０９１１】
ステップＰ８３７において、ＣＰＵ１０は、メモリＭ１１４に記憶された着けローラ−コーター胴間のニップ圧調整用モータ用ポテンショ・メータ７５に接続されたＡ／Ｄ変換器の出力と、メモリＭ１２３に記憶された目標とする着けローラ−コーター胴間のニップ圧調整用モータ用ポテンショ・メータ７５に接続されたＡ／Ｄ変換器の出力とが等しいか判断する。
【０９１２】
メモリＭ１１４に記憶された着けローラ−コーター胴間のニップ圧調整用モータ用ポテンショ・メータ７５に接続されたＡ／Ｄ変換器の出力と、メモリＭ１２３に記憶された目標とする着けローラ−コーター胴間のニップ圧調整用モータ用ポテンショ・メータ７５に接続されたＡ／Ｄ変換器の出力とが等しい場合は、ステップＰ８３８からステップＰ８４６をとばしてステップＰ８４７を実行する。
【０９１３】
また、メモリＭ１１４に記憶された着けローラ−コーター胴間のニップ圧調整用モータ用ポテンショ・メータ７５に接続されたＡ／Ｄ変換器の出力と、メモリＭ１２３に記憶された目標とする着けローラ−コーター胴間のニップ圧調整用モータ用ポテンショ・メータ７５に接続されたＡ／Ｄ変換器の出力とが等しくない場合は、ステップＰ８３８を実行する。
【０９１４】
ステップＰ８３８において、ＣＰＵ１０は、メモリＭ１１４に記憶された着けローラ−コーター胴間のニップ圧調整用モータ用ポテンショ・メータ７５に接続されたＡ／Ｄ変換器の出力より、メモリＭ１２３に記憶された目標とする着けローラ−コーター胴間のニップ圧調整用モータ用ポテンショ・メータ７５に接続されたＡ／Ｄ変換器の出力が大きいか判断する。
【０９１５】
メモリＭ１１４に記憶された着けローラ−コーター胴間のニップ圧調整用モータ用ポテンショ・メータ７５に接続されたＡ／Ｄ変換器の出力より、メモリＭ１２３に記憶された目標とする着けローラ−コーター胴間のニップ圧調整用モータ用ポテンショ・メータ７５に接続されたＡ／Ｄ変換器の出力が大きい場合、ステップＰ８３９を実行する。
【０９１６】
また、メモリＭ１１４に記憶された着けローラ−コーター胴間のニップ圧調整用モータ用ポテンショ・メータ７５に接続されたＡ／Ｄ変換器の出力より、メモリＭ１２３に記憶された目標とする着けローラ−コーター胴間のニップ圧調整用モータ用ポテンショ・メータ７５に接続されたＡ／Ｄ変換器の出力が大きくない場合、ステップＰ８４３を実行する。
【０９１７】
ステップＰ８３９において、ＣＰＵ１０は、着けローラ−コーター胴間のニップ圧調整用モータ・ドライバ７４に正転指令を出力する。ＣＰＵ１０は、ステップＰ８３９の処理が完了した後、ステップＰ８４０を実行する。
【０９１８】
ステップＰ８４０において、ＣＰＵ１０は、インキ着けローラ−番号胴間のニップ圧調整用モータ用ポテンショ・メータ７５に接続されたＡ／Ｄ変換器の出力を読み込み、メモリＭ１１４に記憶する。ＣＰＵ１０は、ステップＰ８４０の処理が完了した後、ステップＰ８４１を実行する。
【０９１９】
ステップＰ８４１において、ＣＰＵ１０は、メモリＭ１１４に記憶された着けローラ−コーター胴間のニップ圧調整用モータ用ポテンショ・メータ７５に接続されたＡ／Ｄ変換器の出力と、メモリＭ１２３に記憶された目標とする着けローラ−コーター胴間のニップ圧調整用モータ用ポテンショ・メータ７５に接続されたＡ／Ｄ変換器の出力とが等しいか判断する。
【０９２０】
メモリＭ１１４に記憶された着けローラ−コーター胴間のニップ圧調整用モータ用ポテンショ・メータ７５に接続されたＡ／Ｄ変換器の出力と、メモリＭ１２３に記憶された目標とする着けローラ−コーター胴間のニップ圧調整用モータ用ポテンショ・メータ７５に接続されたＡ／Ｄ変換器の出力とが等しい場合は、ステップＰ８４２を実行する。
【０９２１】
また、メモリＭ１１４に記憶された着けローラ−コーター胴間のニップ圧調整用モータ用ポテンショ・メータ７５に接続されたＡ／Ｄ変換器の出力と、メモリＭ１２３に記憶された目標とする着けローラ−コーター胴間のニップ圧調整用モータ用ポテンショ・メータ７５に接続されたＡ／Ｄ変換器の出力とが等しくない場合は、ステップＰ８４０を実行する。
【０９２２】
ステップＰ８４２において、ＣＰＵ１０は、着けローラ−コーター胴間のニップ圧調整用モータ・ドライバ７４への正転指令出力を停止する。ＣＰＵ１０は、ステップＰ８４２の処理が完了した後、ステップＰ８４７を実行する。
【０９２３】
ステップＰ８４３において、ＣＰＵ１０は、着けローラ−コーター胴間のニップ圧調整用モータ・ドライバ７４に逆転指令を出力する。ＣＰＵ１０は、ステップＰ８４３の処理が完了した後、ステップＰ８４４を実行する。
【０９２４】
ステップＰ８４４において、ＣＰＵ１０は、着けローラ−コーター胴間のニップ圧調整用モータ用ポテンショ・メータ７５に接続されたＡ／Ｄ変換器の出力を読み込み、メモリＭ１１４に記憶する。ＣＰＵ１０は、ステップＰ８４４の処理が完了した後、ステップＰ８４５を実行する。
【０９２５】
ステップＰ８４５において、ＣＰＵ１０は、メモリＭ１１４に記憶された着けローラ−コーター胴間のニップ圧調整用モータ用ポテンショ・メータ７５に接続されたＡ／Ｄ変換器の出力と、メモリＭ１２３に記憶された目標とする着けローラ−コーター胴間のニップ圧調整用モータ用ポテンショ・メータ７５に接続されたＡ／Ｄ変換器の出力とが等しいか判断する。
【０９２６】
メモリＭ１１４に記憶された着けローラ−コーター胴間のニップ圧調整用モータ用ポテンショ・メータ７５に接続されたＡ／Ｄ変換器の出力と、メモリＭ１２３に記憶された目標とする着けローラ−コーター胴間のニップ圧調整用モータ用ポテンショ・メータ７５に接続されたＡ／Ｄ変換器の出力とが等しい場合は、ステップＰ８４６を実行する。
【０９２７】
また、メモリＭ１１４に記憶された着けローラ−コーター胴間のニップ圧調整用モータ用ポテンショ・メータ７５に接続されたＡ／Ｄ変換器の出力と、メモリＭ１２３に記憶された目標とする着けローラ−コーター胴間のニップ圧調整用モータ用ポテンショ・メータ７５に接続されたＡ／Ｄ変換器の出力とが等しくない場合は、ステップＰ８４４を実行する。
【０９２８】
ステップＰ８４６において、ＣＰＵ１０は、着けローラ−コーター胴間のニップ圧調整用モータ・ドライバ７４への逆転指令出力を停止する。ＣＰＵ１０は、ステップＰ８４６の処理が完了した後、ステップＰ８４７を実行する。
【０９２９】
ステップＰ８４７において、ＣＰＵ１０は、メモリＭ１１７に記憶された基準のコーター胴−圧胴間の印圧を読み込む。ＣＰＵ１０は、ステップＰ８４７の処理が完了した後、ステップＰ８４８を実行する。
【０９３０】
ステップＰ８４８において、ＣＰＵ１０は、メモリＭ１２１に記憶されたコーター胴−圧胴間の印圧補正量を読み込む。ＣＰＵ１０は、ステップＰ８４８の処理が完了した後、ステップＰ８４９を実行する。
【０９３１】
ステップＰ８４９において、ＣＰＵ１０は、基準のコーター胴−圧胴間の印圧にコーター胴−圧胴間の印圧補正量を加算し、目標とするコーター胴−圧胴間の印圧を演算し、この演算結果をメモリＭ１２４に記憶する。ＣＰＵ１０は、ステップＰ８４９の処理が完了した後、ステップＰ８５０を実行する。
【０９３２】
ステップＰ８５０において、ＣＰＵ１０は、目標とするコーター胴−圧胴間の印圧より、目標とするコーター胴−圧胴間の印圧調整用モータ用ポテンショ・メータ７８に接続されたＡ／Ｄ変換器の出力を演算し、この演算結果をＭ１２５に記憶する。ＣＰＵ１０は、ステップＰ８５０の処理が完了した後、ステップＰ８５１を実行する。
【０９３３】
ステップＰ８５１において、ＣＰＵ１０は、コーター胴−圧胴間の印圧調整用モータ用ポテンショ・メータ７８に接続されたＡ／Ｄ変換器の出力を読み込み、メモリＭ１１６に記憶する。ＣＰＵ１０は、ステップＰ８５１の処理が完了した後、ステップＰ８５２を実行する。
【０９３４】
ステップＰ８５２において、ＣＰＵ１０は、メモリＭ１１６に記憶されたコーター胴−圧胴間の印圧調整用モータ用ポテンショ・メータ７８に接続されたＡ／Ｄ変換器の出力と、目標とするコーター胴−圧胴間の印圧調整用モータ用ポテンショ・メータ７８に接続されたＡ／Ｄ変換器の出力とが等しいか判断する。
【０９３５】
メモリＭ１１６に記憶されたコーター胴−圧胴間の印圧調整用モータ用ポテンショ・メータ７８に接続されたＡ／Ｄ変換器の出力と、目標とするコーター胴−圧胴間の印圧調整用モータ用ポテンショ・メータ７８に接続されたＡ／Ｄ変換器の出力とが等しい場合は、ステップＰ８５３からステップＰ８６１をとばしてステップＰ８６２を実行する。
【０９３６】
また、メモリＭ１１６に記憶されたコーター胴−圧胴間の印圧調整用モータ用ポテンショ・メータ７８に接続されたＡ／Ｄ変換器の出力と、目標とするコーター胴−圧胴間の印圧調整用モータ用ポテンショ・メータ７８に接続されたＡ／Ｄ変換器の出力とが等しくない場合は、ステップＰ８５３を実行する。
【０９３７】
ステップＰ８５３において、ＣＰＵ１０は、メモリＭ１１６に記憶されたコーター胴−圧胴間の印圧調整用モータ用ポテンショ・メータ７８に接続されたＡ／Ｄ変換器の出力より、目標とするコーター胴−圧胴間の印圧調整用モータ用ポテンショ・メータ７８に接続されたＡ／Ｄ変換器の出力が大きいか判断する。
【０９３８】
メモリＭ１１６に記憶されたコーター胴−圧胴間の印圧調整用モータ用ポテンショ・メータ７８に接続されたＡ／Ｄ変換器の出力より、目標とするコーター胴−圧胴間の印圧調整用モータ用ポテンショ・メータ７８に接続されたＡ／Ｄ変換器の出力が大きい場合、ステップＰ８５４を実行する。
【０９３９】
また、メモリＭ１１６に記憶されたコーター胴−圧胴間の印圧調整用モータ用ポテンショ・メータ７８に接続されたＡ／Ｄ変換器の出力より、目標とするコーター胴−圧胴間の印圧調整用モータ用ポテンショ・メータ７８に接続されたＡ／Ｄ変換器の出力が大きくない場合、ステップＰ８５８を実行する。
【０９４０】
ステップＰ８５４において、ＣＰＵ１０は、コーター胴−圧胴間の印圧調整用モータ・ドライバ７７に正転指令を出力する。ＣＰＵ１０は、ステップＰ８５４の処理が完了した後にステップＰ８５５を実行する。
【０９４１】
ステップＰ８５５において、ＣＰＵ１０は、コーター胴−圧胴間の印圧調整用モータ用ポテンショ・メータ７８に接続されたＡ／Ｄ変換器の出力を読み込み、メモリＭ１１６に記憶する。ＣＰＵ１０は、ステップＰ８５５の処理が完了した後、ステップＰ８５６を実行する。
【０９４２】
ステップＰ８５６において、ＣＰＵ１０は、メモリＭ１１６に記憶されたコーター胴−圧胴間の印圧調整用モータ用ポテンショ・メータ７８に接続されたＡ／Ｄ変換器の出力と、目標とするコーター胴−圧胴間の印圧調整用モータ用ポテンショ・メータ７８に接続されたＡ／Ｄ変換器の出力とが等しいか判断する。
【０９４３】
メモリＭ１１６に記憶されたコーター胴−圧胴間の印圧調整用モータ用ポテンショ・メータ７８に接続されたＡ／Ｄ変換器の出力と、目標とするコーター胴−圧胴間の印圧調整用モータ用ポテンショ・メータ７８に接続されたＡ／Ｄ変換器の出力とが等しい場合は、ステップＰ８５７を実行する。
【０９４４】
また、メモリＭ１１６に記憶されたコーター胴−圧胴間の印圧調整用モータ用ポテンショ・メータ７８に接続されたＡ／Ｄ変換器の出力と、目標とするコーター胴−圧胴間の印圧調整用モータ用ポテンショ・メータ７８に接続されたＡ／Ｄ変換器の出力とが等しくない場合は、ステップＰ８５５を実行する。
【０９４５】
ステップＰ８５７において、ＣＰＵ１０は、コーター胴−圧胴間の印圧調整用モータ・ドライバ７７への正転指令出力を停止する。ＣＰＵ１０は、ステップＰ８５７の処理が完了した後、ステップＰ８６２を実行する。
【０９４６】
ステップＰ８５８において、ＣＰＵ１０は、コーター胴−圧胴間の印圧調整用モータ・ドライバ７７に逆転指令を出力する。ＣＰＵ１０は、ステップＰ８５８の処理が完了した後、ステップＰ８５９を実行する。
【０９４７】
ステップＰ８５９において、ＣＰＵ１０は、コーター胴−圧胴間の印圧調整用モータ用ポテンショ・メータ７８に接続されたＡ／Ｄ変換器の出力を読み込み、メモリＭ１１６に記憶する。ＣＰＵ１０は、ステップＰ８５９の処理が完了した後、ステップＰ８６０を実行する。
【０９４８】
ステップＰ８６０において、ＣＰＵ１０は、メモリＭ１１６に記憶されたコーター胴−圧胴間の印圧調整用モータ用ポテンショ・メータ７８に接続されたＡ／Ｄ変換器の出力と、目標とするコーター胴−圧胴間の印圧調整用モータ用ポテンショ・メータ７８に接続されたＡ／Ｄ変換器の出力とが等しいか判断する。
【０９４９】
メモリＭ１１６に記憶されたコーター胴−圧胴間の印圧調整用モータ用ポテンショ・メータ７８に接続されたＡ／Ｄ変換器の出力と、目標とするコーター胴−圧胴間の印圧調整用モータ用ポテンショ・メータ７８に接続されたＡ／Ｄ変換器の出力とが等しい場合は、ステップＰ８６１を実行する。
【０９５０】
また、メモリＭ１１６に記憶されたコーター胴−圧胴間の印圧調整用モータ用ポテンショ・メータ７８に接続されたＡ／Ｄ変換器の出力と、目標とするコーター胴−圧胴間の印圧調整用モータ用ポテンショ・メータ７８に接続されたＡ／Ｄ変換器の出力とが等しくない場合は、ステップＰ８５９を実行する。
【０９５１】
ステップＰ８６１において、ＣＰＵ１０は、コーター胴−圧胴間の印圧調整用モータ・ドライバ７７への逆転指令出力を停止する。ＣＰＵ１０は、ステップＰ８６１の処理が完了した後、ステップＰ８６２を実行する。以上のステップにより、コーター装置の印刷機温度測定器１７によって測定された印刷機温度に応じて、コーター装置の各接触圧調整手段を調整する。
【０９５２】
ステップＰ８６２において、ＣＰＵ１０は、入力装置１３に設けられた本刷り完了ボタンが、オペレータによりＯＮにされているか判断する。ＣＰＵ１０は、本刷り完了ボタンがＯＮになっている場合、ステップＰ８００を実行する。また、ＣＰＵ１０は、本刷り完了ボタンがＯＮになっていない場合、ステップＰ８２６を実行する。
【図面の簡単な説明】
【０９５３】
【図１】本願発明の第１の実施形態に係る液体塗布機械の接触圧調整装置が適用される印刷機内部の模式図である。
【図２】本願発明の第１の実施形態に係るニップ圧又は印圧を調整する接触圧調整方法の模式図である。
【図３（ａ）】本願発明の第１の実施形態に係る液体塗布機械の接触圧調整装置のハードブロック図である。
【図３（ｂ）】図３（ａ）に続くハードブロック図である。
【図４（ａ）】本願発明の第１の実施の形態に係る液体塗布機械の接触圧調整装置の動作フロー図である。
【図４（ｂ）】図４（ａ）に続く動作フロー図である。
【図４（ｃ）】図４（ｂ）に続く動作フロー図である。
【図４（ｄ）】図４（ｃ）に続く動作フロー図である。
【図５（ａ）】図４（ｄ）に続く動作フロー図である。
【図５（ｂ）】図５（ａ）に続く動作フロー図である。
【図６（ａ）】図５（ｂ）に続く動作フロー図である。
【図６（ｂ）】図６（ａ）に続く動作フロー図である。
【図６（ｃ）】図６（ｂ）に続く動作フロー図である。
【図７（ａ）】本願発明の第２の実施形態に係る液体塗布機械の接触圧調整装置のハードブロック図である。
【図７（ｂ）】図７（ａ）に続くハードブロック図である。
【図８（ａ）】本願発明の第２の実施形態に係る液体塗布機械の接触圧調整装置の動作フロー図である。
【図８（ｂ）】図８（ａ）に続く動作フロー図である。
【図８（ｃ）】図８（ｂ）に続く動作フロー図である。
【図８（ｄ）】図８（ｃ）に続く動作フロー図である。
【図９（ａ）】図８（ｄ）に続く動作フロー図である。
【図９（ｂ）】図９（ａ）に続く動作フロー図である。
【図９（ｃ）】図９（ｂ）に続く動作フロー図である。
【図９（ｄ）】図９（ｃ）に続く動作フロー図である。
【図９（ｅ）】図９（ｄ）に続く動作フロー図である。
【図９（ｆ）】図９（ｅ）に続く動作フロー図である。
【図１０（ａ）】図９（ｆ）に続く動作フロー図である。
【図１０（ｂ）】図１０（ａ）に続く動作フロー図である。
【図１１（ａ）】図１０（ｂ）に続く動作フロー図である。
【図１１（ｂ）】図１１（ａ）に続く動作フロー図である。
【図１１（ｃ）】図１１（ｂ）に続く動作フロー図である。
【図１２（ａ）】本願発明の第３の実施形態に係る液体塗布機械の接触圧調整装置のハードブロック図である。
【図１２（ｂ）】図１２（ａ）に続くハードブロック図である。
【図１３（ａ）】本願発明の第３の実施形態に係る液体塗布機械の接触圧調整装置の動作フロー図である。
【図１３（ｂ）】図１３（ａ）に続く動作フロー図である。
【図１３（ｃ）】図１３（ｂ）に続く動作フロー図である。
【図１３（ｄ）】図１３（ｃ）に続く動作フロー図である。
【図１４（ａ）】図１３（ｄ）に続く動作フロー図である。
【図１４（ｂ）】図１４（ａ）に続く動作フロー図である。
【図１４（ｃ）】図１４（ｂ）に続く動作フロー図である。
【図１４（ｄ）】図１４（ｃ）に続く動作フロー図である。
【図１４（ｅ）】図１４（ｄ）に続く動作フロー図である。
【図１４（ｆ）】図１４（ｅ）に続く動作フロー図である。
【図１５（ａ）】図１４（ｆ）に続く動作フロー図である。
【図１５（ｂ）】図１５（ａ）に続く動作フロー図である。
【図１６（ａ）】図１５（ｂ）に続く動作フロー図である。
【図１６（ｂ）】図１６（ａ）に続く動作フロー図である。
【図１６（ｃ）】図１６（ｂ）に続く動作フロー図である。
【図１７】本願発明の第４の実施形態に係る液体塗布機械の接触圧調整装置が適用される印刷機内部の模式図である。
【図１８（ａ）】本願発明の第４の実施形態に係る液体塗布機械の接触圧調整装置のハードブロック図である。
【図１８（ｂ）】図１８（ａ）に続くハードブロック図である。
【図１９（ａ）】本願発明の第４の実施形態に係る液体塗布機械の接触圧調整装置の動作フロー図である。
【図１９（ｂ）】図１９（ａ）に続く動作フロー図である。
【図２０（ａ）】図１９（ｂ）に続く動作フロー図である。
【図２０（ｂ）】図２０（ａ）に続く動作フロー図である。
【図２１】本願発明の第５の実施形態に係る液体塗布機械の接触圧調整装置が適用される印刷機内部の模式図である。
【図２２（ａ）】本願発明の第５の実施形態に係る液体塗布機械の接触圧調整装置のハードブロック図である。
【図２２（ｂ）】図２２（ａ）に続くハードブロック図である。
【図２３（ａ）】本願発明の第５の実施形態に係る液体塗布機械の接触圧調整装置の動作フロー図である。
【図２３（ｂ）】図２３（ａ）に続く動作フロー図である。
【図２３（ｃ）】図２３（ｂ）に続く動作フロー図である。
【図２３（ｄ）】図２３（ｃ）に続く動作フロー図である。
【図２３（ｅ）】図２３（ｄ）に続く動作フロー図である。
【図２４（ａ）】図２３（ｅ）に続く動作フロー図である。
【図２４（ｂ）】図２４（ａ）に続く動作フロー図である。
【図２４（ｃ）】図２４（ｂ）に続く動作フロー図である。
【図２５（ａ）】図２４（ｃ）に続く動作フロー図である。
【図２５（ｂ）】図２５（ａ）に続く動作フロー図である。
【図２５（ｃ）】図２５（ｂ）に続く動作フロー図である。
【図２６（ａ）】図２５（ｃ）に続く動作フロー図である。
【図２６（ｂ）】図２６（ａ）に続く動作フロー図である。
【図２６（ｃ）】図２６（ｂ）に続く動作フロー図である。
【図２７】本願発明の第６の実施形態に係る液体塗布機械の接触圧調整装置が適用される印刷機内部の模式図である。
【図２８（ａ）】本願発明の第６の実施形態に係る液体塗布機械の接触圧調整装置のハードブロック図である。
【図２８（ｂ）】図２８（ａ）に続くハードブロック図である。
【図２９（ａ）】本願発明の第６の実施形態に係る液体塗布機械の接触圧調整装置の動作フロー図である。
【図２９（ｂ）】図２９（ａ）に続く動作フロー図である。
【図２９（ｃ）】図２９（ｂ）に続く動作フロー図である。
【図３０（ａ）】図２９（ｃ）に続く動作フロー図である。
【図３０（ｂ）】図３０（ａ）に続く動作フロー図である。
【図３０（ｃ）】図３０（ｂ）に続く動作フロー図である。
【図３１（ａ）】図３０（ｃ）に続く動作フロー図である。
【図３１（ｂ）】図３１（ａ）に続く動作フロー図である。
【図３２（ａ）】図３１（ｂ）に続く動作フロー図である。
【図３２（ｂ）】図３２（ａ）に続く動作フロー図である。
【図３３】本願発明の第７の実施形態に係る液体塗布機械の接触圧調整装置が適用される番号印刷機内部の模式図である。
【図３４】本願発明の第７の実施の形態に係る液体塗布機械の接触圧調整装置のハードブロック図である。
【図３５（ａ）】本願発明の第７の実施形態に係る液体塗布機械の接触圧調整装置の動作フロー図である。
【図３５（ｂ）】図３５（ａ）に続く動作フロー図である。
【図３５（ｃ）】図３５（ｂ）に続く動作フロー図である。
【図３６（ａ）】図３５（ｃ）に続く動作フロー図である。
【図３６（ｂ）】図３６（ａ）に続く動作フロー図である。
【図３６（ｃ）】図３６（ｂ）に続く動作フロー図である。
【図３７】第８の実施形態に係る液体塗布機械の接触圧調整装置が適用されるコーター装置内部の模式図である。
【図３８】本願発明の第８の実施形態に係る液体塗布機械の接触圧調整装置のハードブロック図である。
【図３９（ａ）】本願発明の第８の実施形態に係る液体塗布機械の接触圧調整装置の動作フロー図である。
【図３９（ｂ）】図３９（ａ）に続く動作フロー図である。
【図３９（ｃ）】図３９（ｂ）に続く動作フロー図である。
【図４０（ａ）】図３９（ｃ）に続く動作フロー図である。
【図４０（ｂ）】図４０（ａ）に続く動作フロー図である。
【図４０（ｃ）】図４０（ｂ）に続く動作フロー図である。
【符号の説明】
【０９５４】
１  接触圧調整装置、２  １色目の印刷ユニット、３  ２色目の印刷ユニット、４  ３色目の印刷ユニット、５  ４色目の印刷ユニット、２’  １色目のインキ供給部、３’  ２色目のインキ供給部、４’  ３色目のインキ供給部、５’  ４色目のインキ供給部、１７  印刷機温度測定器、１８  インキ着けローラ−凸版胴間のニップ圧調整用モータ、１９  インキ着けローラ−凸版胴間のニップ圧調整用モータ・ドライバ、２０  インキ着けローラ−凸版胴間のニップ圧調整用モータ用ポテンショ・メータ、２１  凸版胴−ゴム胴間のニップ圧調整用モータ、２２  凸版胴−ゴム胴間のニップ圧調整用モータ・ドライバ、２３  凸版胴−ゴム胴間のニップ圧調整用モータ用ポテンショ・メータ、２４  ゴム胴−圧胴間の印圧調整用モータ、２５  ゴム胴−圧胴間の印圧調整用モータ・ドライバ、２６  ゴム胴−圧胴間の印圧調整用モータ用ポテンショ・メータ、３６  印刷稼動時間計測用カウンタ、３９  印刷枚数用カウンタ、２０’  インキ着けローラ−凸版胴間のニップ圧調整位置表示用ポテンショ・メータ、２３’  凸版胴−ゴム胴間のニップ圧調整位置表示用ポテンショ・メータ、２６’  ゴム胴−圧胴間の印圧調整位置表示用ポテンショ・メータ、４１  インキ・ツボ・ローラ−インキ着けローラ間のニップ圧調整用モータ、４２  インキ・ツボ・ローラ−インキ着けローラ間のニップ圧調整用モータ・ドライバ、４３  インキ・ツボ・ローラ−インキ着けローラ間のニップ圧調整用モータ用ポテンショ・メータ、４４  インキ着けローラ−パターン・ローラ間のニップ圧調整用モータ、４５  インキ着けローラ−パターン・ローラ間のニップ圧調整用モータ・ドライバ、４６  インキ着けローラ−パターン・ローラ間のニップ圧調整用モータ用ポテンショ・メータ、４７  パターン・ローラ−ゴム胴間のニップ圧調整用モータ、４８  パターン・ローラ−ゴム胴間のニップ圧調整用モータ・ドライバ、４９  パターン・ローラ−ゴム胴間のニップ圧調整用モータ用ポテンショ・メータ、５８  インキ・ツボ・ローラ−パターン胴間のニップ圧調整用モータ、５９  インキ・ツボ・ローラ−パターン胴間のニップ圧調整用モータ・ドライバ、６０  インキ・ツボ・ローラ−パターン胴間のニップ圧調整用モータ用ポテンショ・メータ、６１  パターン胴−凹版胴間のニップ圧調整用モータ、６２  パターン胴−凹版胴間のニップ圧調整用モータ・ドライバ、６３  パターン胴−凹版胴間のニップ圧調整用モータ用ポテンショ・メータ、６７  インキ着けローラ−番号胴間のニップ圧調整用モータ、６８  インキ着けローラ−番号胴間のニップ圧調整用モータ・ドライバ、６９  インキ着けローラ−番号胴間のニップ圧調整用モータ用ポテンショ・メータ、７０  番号胴−圧胴間の印圧調整用モータ、７１  番号胴−圧胴間の印圧調整用モータ・ドライバ、７２  番号胴−圧胴間の印圧調整用モータ用ポテンショ・メータ、７３  着けローラ−コーター胴間のニップ圧調整用モータ、７４  着けローラ−コーター胴間のニップ圧調整用モータ・ドライバ、７５  着けローラ−コーター胴間のニップ圧調整用モータ用ポテンショ・メータ、７６  コーター胴−圧胴間の印圧調整用モータ、７７  コーター胴−圧胴間の印圧調整用モータ・ドライバ、７８  コーター胴−圧胴間の印圧調整用モータ用ポテンショ・メータ、１００，４００  インキ着けローラ、１０１  凸版胴、１０２，２０３  ゴム胴、１０３，２０５，３０３，４０２，５０２  圧胴、２００，３００  インキ・ツボ・ローラ、２０１  インキ着けローラ、２０２  パターン・ローラ、３０１  パターン胴、２０４，３０２  凹版胴、４０１  番号胴、５００  着けローラ、５０１  コーター胴。
【図１】
2008212826.tif 000003
【図２】
2008212826.tif 000004
【図３（ａ）】
2008212826.tif 000005
【図３（ｂ）】
2008212826.tif 000006
【図４（ａ）】
2008212826.tif 000007
【図４（ｂ）】
2008212826.tif 000008
【図４（ｃ）】
2008212826.tif 000009
【図４（ｄ）】
2008212826.tif 000010
【図５（ａ）】
2008212826.tif 000011
【図５（ｂ）】
2008212826.tif 000012
【図６（ａ）】
2008212826.tif 000013
【図６（ｂ）】
2008212826.tif 000014
【図６（ｃ）】
2008212826.tif 000015
【図７（ａ）】
2008212826.tif 000016
【図７（ｂ）】
2008212826.tif 000017
【図８（ａ）】
2008212826.tif 000018
【図８（ｂ）】
2008212826.tif 000019
【図８（ｃ）】
2008212826.tif 000020
【図８（ｄ）】
2008212826.tif 000021
【図９（ａ）】
2008212826.tif 000022
【図９（ｂ）】
2008212826.tif 000023
【図９（ｃ）】
2008212826.tif 000024
【図９（ｄ）】
2008212826.tif 000025
【図９（ｅ）】
2008212826.tif 000026
【図９（ｆ）】
2008212826.tif 000027
【図１０（ａ）】
2008212826.tif 000028
【図１０（ｂ）】
2008212826.tif 000029
【図１１（ａ）】
2008212826.tif 000030
【図１１（ｂ）】
2008212826.tif 000031
【図１１（ｃ）】
2008212826.tif 000032
【図１２（ａ）】
2008212826.tif 000033
【図１２（ｂ）】
2008212826.tif 000034
【図１３（ａ）】
2008212826.tif 000035
【図１３（ｂ）】
2008212826.tif 000036
【図１３（ｃ）】
2008212826.tif 000037
【図１３（ｄ）】
2008212826.tif 000038
【図１４（ａ）】
2008212826.tif 000039
【図１４（ｂ）】
2008212826.tif 000040
【図１４（ｃ）】
2008212826.tif 000041
【図１４（ｄ）】
2008212826.tif 000042
【図１４（ｅ）】
2008212826.tif 000043
【図１４（ｆ）】
2008212826.tif 000044
【図１５（ａ）】
2008212826.tif 000045
【図１５（ｂ）】
2008212826.tif 000046
【図１６（ａ）】
2008212826.tif 000047
【図１６（ｂ）】
2008212826.tif 000048
【図１６（ｃ）】
2008212826.tif 000049
【図１７】
2008212826.tif 000050
【図１８（ａ）】
2008212826.tif 000051
【図１８（ｂ）】
2008212826.tif 000052
【図１９（ａ）】
2008212826.tif 000053
【図１９（ｂ）】
2008212826.tif 000054
【図２０（ａ）】
2008212826.tif 000055
【図２０（ｂ）】
2008212826.tif 000056
【図２１】
2008212826.tif 000057
【図２２（ａ）】
2008212826.tif 000058
【図２２（ｂ）】
2008212826.tif 000059
【図２３（ａ）】
2008212826.tif 000060
【図２３（ｂ）】
2008212826.tif 000061
【図２３（ｃ）】
2008212826.tif 000062
【図２３（ｄ）】
2008212826.tif 000063
【図２３（ｅ）】
2008212826.tif 000064
【図２４（ａ）】
2008212826.tif 000065
【図２４（ｂ）】
2008212826.tif 000066
【図２４（ｃ）】
2008212826.tif 000067
【図２５（ａ）】
2008212826.tif 000068
【図２５（ｂ）】
2008212826.tif 000069
【図２５（ｃ）】
2008212826.tif 000070
【図２６（ａ）】
2008212826.tif 000071
【図２６（ｂ）】
2008212826.tif 000072
【図２６（ｃ）】
2008212826.tif 000073
【図２７】
2008212826.tif 000074
【図２８（ａ）】
2008212826.tif 000075
【図２８（ｂ）】
2008212826.tif 000076
【図２９（ａ）】
2008212826.tif 000077
【図２９（ｂ）】
2008212826.tif 000078
【図２９（ｃ）】
2008212826.tif 000079
【図３０（ａ）】
2008212826.tif 000080
【図３０（ｂ）】
2008212826.tif 000081
【図３０（ｃ）】
2008212826.tif 000082
【図３１（ａ）】
2008212826.tif 000083
【図３１（ｂ）】
2008212826.tif 000084
【図３２（ａ）】
2008212826.tif 000085
【図３２（ｂ）】
2008212826.tif 000086
【図３３】
2008212826.tif 000087
【図３４】
2008212826.tif 000088
【図３５（ａ）】
2008212826.tif 000089
【図３５（ｂ）】
2008212826.tif 000090
【図３５（ｃ）】
2008212826.tif 000091
【図３６（ａ）】
2008212826.tif 000092
【図３６（ｂ）】
2008212826.tif 000093
【図３６（ｃ）】
2008212826.tif 000094
【図３７】
2008212826.tif 000095
【図３８】
2008212826.tif 000096
【図３９（ａ）】
2008212826.tif 000097
【図３９（ｂ）】
2008212826.tif 000098
【図３９（ｃ）】
2008212826.tif 000099
【図４０（ａ）】
2008212826.tif 000100
【図４０（ｂ）】
2008212826.tif 000101
【図４０（ｃ）】
2008212826.tif 000102